(57)【要約】      （修正有）【課題】高温環境で電力を供給するように調整されたパワーシステムを提供する。【解決手段】パワーシステムは、約−４０℃と約２１０℃の間の温度範囲で動作し、再充電可能エネルギ貯蔵から電力を供給することと、前記再充電可能エネルギ貯蔵に充電することのうちの少なくとも一つのための回路に連結する、再充電可能エネルギ貯蔵を含む。再充電可能エネルギ貯蔵は、約０．０１ジュールと約１００メガジュールの間のエネルギを貯蔵し、少なくとも充電−放電の２周期の間に約０．１０ワットと約１００メガワットの間のピーク電力を供給する。【選択図】図９
2019071449.tif 000002
【特許請求の範囲】
【請求項１】
高温環境で電力を供給するように調整されたパワーシステムであって、
約−４０℃と約２１０℃の間の温度範囲で動作し、再充電可能エネルギ貯蔵から電力を供給することと、再充電可能エネルギ貯蔵に充電することのうちの少なくとも一つのための回路に連結する、再充電可能エネルギ貯蔵を含み、
前記エネルギ貯蔵は、約０．０１ジュールと約１００メガジュールの間のエネルギを貯蔵し、少なくとも充電−放電の２周期の間に約０．１０ワットと約１００メガワットの間のピーク電力を供給するように構成されている、パワーシステム。
【請求項２】
温度範囲が約７０℃と約２００℃の間である、請求項１に記載のパワーシステム。
【請求項３】
温度範囲が約７０℃と約１５０℃の間である、請求項１に記載のパワーシステム。
【請求項４】
温度範囲が約７０℃と約１７５℃の間である、請求項１に記載のパワーシステム。
【請求項５】
温度範囲が約７０℃と約１２５℃の間である、請求項１に記載のパワーシステム。
【請求項６】
温度範囲が約８０℃と約２１０℃の間である、請求項１に記載のパワーシステム。
【請求項７】
温度範囲が約９０℃と約２１０℃の間である、請求項１に記載のパワーシステム。
【請求項８】
温度範囲が約１００℃と約２１０℃の間である、請求項１に記載のパワーシステム。
【請求項９】
温度範囲が約１２５℃と約２１０℃の間である、請求項１に記載のパワーシステム。
【請求項１０】
温度範囲が約１２６℃と約２１０℃の間である、請求項１に記載のパワーシステム。
【請求項１１】
温度範囲が約１５０℃と約２１０℃の間である、請求項１に記載のパワーシステム。
【請求項１２】
前記エネルギ貯蔵は、約０．１ジュールと約１００メガジュールの間のエネルギを貯蔵するように構成されている、請求項１に記載のパワーシステム。
【請求項１３】
前記エネルギ貯蔵は、約１ジュールと約１００メガジュールの間のエネルギを貯蔵するように構成されている、請求項１に記載のパワーシステム。
【請求項１４】
前記エネルギ貯蔵は、約１０ジュールと約１００メガジュールの間のエネルギを貯蔵するように構成されている、請求項１に記載のパワーシステム。
【請求項１５】
前記エネルギ貯蔵は、約１００ジュールと約１００メガジュールの間のエネルギを貯蔵するように構成されている、請求項１に記載のパワーシステム。
【請求項１６】
前記エネルギ貯蔵は、約１０００ジュールと約１００メガジュールの間のエネルギを貯蔵するように構成されている、請求項１に記載のパワーシステム。
【請求項１７】
前記エネルギ貯蔵は、約０．０１ジュールと約１０メガジュールの間のエネルギを貯蔵するように構成されている、請求項１に記載のパワーシステム。
【請求項１８】
前記エネルギ貯蔵は、約０．０１ジュールと約１メガジュールの間のエネルギを貯蔵するように構成されている、請求項１に記載のパワーシステム。
【請求項１９】
前記エネルギ貯蔵は、約０．０１ジュールと約１０００００ジュールの間のエネルギを貯蔵するように構成されている、請求項１に記載のパワーシステム。
【請求項２０】
前記エネルギ貯蔵は、約０．０１ジュールと約１００００ジュールの間のエネルギを貯蔵するように構成されている、請求項１に記載のパワーシステム。
【請求項２１】
前記エネルギ貯蔵は、約０．１０ワットと約１００メガワットの間のピーク電力を供給するように構成されている、請求項１に記載のパワーシステム。
【請求項２２】
前記エネルギ貯蔵は、約１ワットと約１００メガワットの間のピーク電力を供給するように構成されている、請求項１に記載のパワーシステム。
【請求項２３】
前記エネルギ貯蔵は、約１０ワットと約１００メガワットの間のピーク電力を供給するように構成されている、請求項１に記載のパワーシステム。
【請求項２４】
前記エネルギ貯蔵は、約１００ワットと約１００メガワットの間のピーク電力を供給するように構成されている、請求項１に記載のパワーシステム。
【請求項２５】
前記エネルギ貯蔵は、約０．１０ワットと約１０メガワットの間のピーク電力を供給するように構成されている、請求項１に記載のパワーシステム。
【請求項２６】
前記エネルギ貯蔵は、約０．１０ワットと約１メガワットの間のピーク電力を供給するように構成されている、請求項１に記載のパワーシステム。
【請求項２７】
前記エネルギ貯蔵は、約０．１０ワットと約５０００００ワットの間のピーク電力を供給するように構成されている、請求項１に記載のパワーシステム。
【請求項２８】
前記エネルギ貯蔵は、約０．１０ワットと約１０００００ワットの間のピーク電力を供給するように構成されている、請求項１に記載のパワーシステム。
【請求項２９】
前記エネルギ貯蔵は、約０．１０ワットと約１００００ワットの間のピーク電力を供給するように構成されている、パワーシステム。
【請求項３０】
前記エネルギ貯蔵は、少なくとも１０周期の間、充電し放電するように構成されている、請求項１に記載のパワーシステム。
【請求項３１】
前記エネルギ貯蔵は、少なくとも１００周期の間、充電し放電するように構成されている、請求項１に記載のパワーシステム。
【請求項３２】
前記エネルギ貯蔵は、少なくとも１０００周期の間、充電し放電するように構成されている、請求項１に記載のパワーシステム。
【請求項３３】
前記エネルギ貯蔵は、少なくとも１００００周期の間、充電し放電するように構成されている、請求項１に記載のパワーシステム。
【請求項３４】
前記エネルギ貯蔵は、バッテリとウルトラキャパシタのうちの少なくとも一つを含む、請求項１に記載のパワーシステム。
【請求項３５】
ウルトラキャパシタは、カーボンエネルギ貯蔵媒体を含む少なくとも一つ電極を含む、電気化学二重層キャパシタである、請求項３４に記載のパワーシステム。
【請求項３６】
前記エネルギ貯蔵は、円筒、環状、リング形状、平坦、角柱、積層、箱状、及び平坦角柱のうちの一つの外観を含む、請求項１に記載のパワーシステム。
【請求項３７】
前記パワーシステムは、ロギング器具に電力を供給するように構成されている、請求項１に記載のパワーシステム。
【請求項３８】
前記ロギング器具は、コアリングツール、シャットインツール、核磁気共鳴画像（ＮＭＲ）ツール、電磁気（ＥＭ）テレメトリツール、泥パルサテレメトリツール、抵抗計測ツール、ガンマ検知ツール、圧力センサツール、音響センサツール、地震探査ツール、原子核ツール、パルス中性子ツール、層サンプリングツール、及び誘導ツールのうちの少なくとも一つを含む、請求項３７に記載のパワーシステム。
【請求項３９】
負荷は、電子回路、変圧器、増幅器、サーボ、プロセッサ、データストレージ、ポンプ、モータ、センサ、熱同調センサ、光学センサ、トランスデューサ、光源、シンチレータ、パルサ、油圧アクチュエータ、アンテナ、シングルチャネルアナライザ、マルチチャネルアナライザ、放射線検出器、加速度計、及び磁力計のうちの、少なくとも一つを含む、請求項１に記載のパワーシステム。
【請求項４０】
前記回路は、プロセッサ、パワーコンバータ、トランジスタ、インダクタ、キャパシタ、スイッチ、データストレージ、及びバス少なくとも一つを含む、請求項１に記載のパワーシステム。
【請求項４１】
更に、プロセッサにより実行する、データストレージ内に格納される機械実行可能命令を更に含む、請求項４０に記載のパワーシステム。
【請求項４２】
更に、外部エネルギ供給に連結するインターフェースを含む、請求項１に記載のパワーシステム。
【請求項４３】
外部エネルギ供給は、ワイヤラインを介して設けられる接続、ジェネレータ、及びウルトラキャパシタのうちの、少なくとも一つを含む、請求項４２に記載のパワーシステム。
【請求項４４】
回路は更に、複数のタイプのエネルギ貯蔵デバイスから電力を引き出すように構成されている、請求項１に記載のパワーシステム。
【請求項４５】
回路は、電気信号をシミュレートすること、エネルギ貯蔵の充電状態をモニタリングすること、第１のタイプのエネルギ貯蔵から第２のタイプのエネルギ貯蔵への切替を管理すること、動作のモードを変更すること、システムヘルスをモニタリングすること、データを貯蔵し検索すること、出力電圧を自動的に調整すること、スリープモードにエンタすること、低電力状態の動作にエンタすること、及び、パワーシステムの少なくとも一つのコンポーネントをバイパスすることのうちの、少なくとも一つのための回路を含む、請求項１に記載のパワーシステム。
【請求項４６】
回路は更に、温度、振動、ショック、電圧及び電流のうちの少なくとも一つをモニタするように構成されている、請求項１に記載のパワーシステム。
【請求項４７】
回路は、少なくとも一つの冗長コンポーネントを含む、請求項１に記載のパワーシステム。
【請求項４８】
ダウンホールのロギング器具へ電力を供給する方法であって、
約−４０℃と２１０℃の間の温度範囲で動作し、前記エネルギ貯蔵から電力を供給することと、前記エネルギ貯蔵に充電することのうちの少なくとも一つのための回路に連結する、再充電可能エネルギ貯蔵を含むパワーシステムを含む、ロギング器具を選択するステップと、
ダウンホールのロギング器具により、パワーシステムからロギング器具へ電力を供給するステップと
を含む、方法。
【請求項４９】
更に、外部エネルギ供給からのエネルギでパワーシステムを充電するステップを含む、請求項４８に記載の方法。
【請求項５０】
充電するステップは、パワーシステムを連続して充電するステップと、パワーシステムを周期的に充電するステップとのうちの少なくとも一つを含む、請求項４９に記載の方法。
【請求項５１】
更に、
パワーシステムのコンポーネントに対する機能不全状態を判定するステップと、
機能不全コンポーネント周りでエネルギ貯蔵から電力をルート付けするステップと
を含む、請求項４８に記載の方法。
【請求項５２】
更に、ツールのデューティサイクルを限定するように、供給するステップをコントロールするステップを含む、請求項４８に記載の方法。
【請求項５３】
更に、ロギング器具に供給される電圧と電流のうちの少なくとも一つを調整するステップを含む、請求項４８に記載の方法。
【請求項５４】
エネルギ貯蔵内の少なくとも一つのバッテリをデパッシベートするステップを含む、請求項４８に記載の方法。
【請求項５５】
電力を供給するステップは、エネルギ貯蔵から電力を引き出すステップと、別のタイプのエネルギ貯蔵の信号をシミュレートするステップと
を含む、請求項４８に記載の方法。
【請求項５６】
電力を供給するステップは、エネルギ貯蔵の充電状態をモニタリングするステップを含む、請求項４８に記載の方法。
【請求項５７】
電力を供給するステップは、複数のタイプのエネルギ貯蔵の間で変更するステップを含む、請求項４８に記載の方法。
【請求項５８】
電力を供給するステップは、パワーシステムの少なくとも一つの形態をモニタリングし、エネルギ貯蔵の出力を自動的に調整するステップを含む、請求項４８に記載の方法。
【請求項５９】
電力を供給するステップは、パワーシステムの少なくとも一つの形態をモニタリングするステップと、パワーシステムのコンポーネントをアクティブ化することと該コンポーネントを非アクティブ化することのうちの少なくとも一つのステップと
を含む、請求項４８に記載の方法。
【請求項６０】
更に、
パワーシステムの少なくとも一つの形態に対するデータをモニタリングし、メモリ内にデータをログ化するステップを含む、請求項４８に記載の方法。
【請求項６１】
更に、データをトップサイド装備に通信するステップを含む、請求項６０に記載の方法。
【請求項６２】
ロギング器具のためのパワーシステムを製造する方法であって、
約−４０℃と２１０℃の間の温度範囲で動作し、前記エネルギ貯蔵から電力を供給することと、前記エネルギ貯蔵に充電することのうちの少なくとも一つのための回路に連結する、再充電可能エネルギ貯蔵を選択するステップと、
ロギング器具内に組み合わせるようにエネルギ貯蔵を構成するステップと
を含む、方法。
【請求項６３】
更に、複数の貯蔵セルからエネルギ貯蔵をアセンブルするステップと含む、請求項６２に記載の方法。
【請求項６４】
少なくとも一つの絶縁体が、複数の貯蔵セルの間に配置される、請求項６３に記載の方法。
【請求項６５】
エネルギ貯蔵内の少なくとも一つの貯蔵セルは、少なくとも一部、ラッパにラップされる、請求項６３に記載の方法。
【請求項６６】
更に、ロギング器具内に組み合わせるように回路を構成するステップを含む、請求項６２に記載の方法。
【請求項６７】
回路は、動作の間に被る応力と歪みのうちの少なくとも一つを減少するように、回路を方向付けするステップと含む、請求項６６に記載の方法。
【請求項６８】
回路を構成するステップは、複数の回路モジュールをアセンブルするステップを含む、請求項６６に記載の方法。
【請求項６９】
アセンブルするステップは、個々のモジュールに与えられた少なくとも一つの特性に従って、モジュールの各々を選択するステップを含む、請求項６８に記載の方法。
【請求項７０】
アセンブルするステップは、モジュールの各々をバスに連結するステップを含む、請求項６８に記載の方法。
【請求項７１】
アセンブルするステップは、モジュールの各々の間にスタンドオフサポートを配置するステップを含む、請求項６８に記載の方法。
【請求項７２】
アセンブルするステップは、第１のモジュールのコネクタを第２のモジュールのつがい可能コネクタと連結するステップを含む、請求項６８に記載の方法。
【請求項７３】
更に、カプセル材料でパワーシステム内部のコンポーネントをカプセル化するステップを含む、請求項６２に記載の方法。
【請求項７４】
回路は、パワーコンバータ、電圧調整回路、低電圧消費回路、バイパス回路、バッテリ調整回路、及び電流制限回路のうちの、少なくとも一つを含む、請求項６２に記載の方法。
【請求項７５】
高温環境で電力を供給するように調整されたパワーシステムであって、
約−４０℃と２１０℃の間の温度範囲で動作し、ウルトラキャパシタから電力を供給することと、ウルトラキャパシタに充電することのうちの少なくとも一つのための回路に連結する、少なくとも一つのウルトラキャパシタを含む、
パワーシステム。
【請求項７６】
ウルトラキャパシタは、カーボンベースのエネルギ貯蔵媒体を含む少なくとも一つの電極を含む、請求項７５に記載の方法。
【請求項７７】
カーボンベースのエネルギ貯蔵媒体は、活性炭、カーボンファイバ、レーヨン、グラフェン、エアロジェル、カーボンクロス、カーボンナノチューブ、及び、別のカーボンナノフォームのうちの、少なくとも一つを含む、請求項７６に記載の方法。
【請求項７８】
ウルトラキャパシタは電解質を含む、請求項７５に記載の方法。
【請求項７９】
電解質は、５００ｐｐｍより小さい湿気、１０００ｐｐｍより小さいハロゲン化合物の全体濃度、並びに、Ｂｒ、Ｃｄ、Ｃｏ、Ｃｒ、Ｃｕ、Ｆｅ、Ｋ、Ｌｉ、Ｍｏ、Ｎａ、Ｎｉ、Ｐｂ、及びＺｎのうちの少なくとも一つを含む金属種、それら金属種の少なくとも一つの合金、及びそれら金属種の少なくとも一つの酸化物の、２０００ｐｐｍより小さい全体濃度のうちの、一つを含む、請求項７８に記載の方法。
【請求項８０】
ウルトラキャパシタは、温度範囲に亘って、１０００ｍＡ／リットル以下のリーク電流を示すことを特徴とする、請求項７９に記載の方法。
【請求項８１】
電解質は複数のカチオンを含み、カチオンは、１−（３−シアノプロピル）−３−メチルイミダゾリウム、１，２−ジメチル−３−プロピルイミダゾリウム、１，３−ビス（３−シアノプロピル）イミダゾリウム、１，３−ジエキトシイミダゾリウム、１−ブチル−１−メチルパイパイジニウム、１−ブチル−２，３−ジメチルイミダゾリウム、１−ブチル−３−メチルピロルイジニウム、１−ブチル−４−メチルピリジニウム、１−ブチルピリジニウム、１−デシル−３−メチルイミダゾリウム、１−エチル−３−メチルイミダゾリウム、及び、３−メチル−１−プロピルピリジニウムのうちの、少なくとも一つを含む、請求項７８に記載の方法。
【請求項８２】
ウルトラキャパシタは電解質を含み、電解質は複数のアニオンを含み、アニオンは、ビス（トリフルオロメタンスルホン酸）イミド、トリス（トリフルオロメタンスルホン酸）メチド、ジジアンアミド、テトラフルオロホウ酸塩、六フッ化リン酸、トリフルオロメタンスルホン酸、ビス（ペンタフルオロエタンスルホン酸）イミド、チオシアン酸塩、及び、トリフロロ（トリフロロメチル）ホウ酸塩のうちの、少なくとも一つを含む、請求項７５に記載の方法。
【請求項８３】
ウルトラキャパシタは電解質を含み、電解質は溶液を含み、溶液は、アセトニトリル、アミド、ベンゾニトリル、ブチロラクトン、環状エーテル、炭酸ジブチル、炭酸ジエチル、ジエチルエーテル、ジメトキシエタン、炭酸ジメチル、ジメチルホルムアミド、ジメチルスルホン、ジオキサン、ジオキソラン、ギ酸エチル、炭酸エチレン、炭酸エチルメチル、ラクトン、直鎖エーテル、ギ酸メチル、プロピオ酸メチル、メチルテトラヒドロフラン、ニトリル、ニトロベンゼン、ニトロメタン、ｎ−メチルピロリドン、炭酸プロピレン、スルホラン、スルホン、テトラヒドロフラン、テトラメチレンスルホン、チオフェン、エチレングリコール、ジエチルグリコール、トリエチルグリコール、ポリエチレングリコール、炭酸エステル、γ−ブチロラクトン、ニトリル、及び、トリシアンヘキサンのうちの、少なくとも一つを含む、請求項７５に記載の方法。
【請求項８４】
ウルトラキャパシタは、密閉シールコンテナ内部に含まれる、請求項７５に記載の方法。
【請求項８５】
密閉シールコンテナはアルミニウムを含む、請求項８４に記載の方法。
【請求項８６】
高温環境で電力を供給するように調整されたパワーシステムであって、
約−４０℃と２１０℃の間の温度範囲で動作し、再充電可能エネルギ貯蔵から電力を供給することと、再充電可能エネルギ貯蔵に充電することのうちの少なくとも一つのための回路に連結する、再充電可能エネルギ貯蔵を含み、
回路は、エネルギ貯蔵内のバッテリのデパッシベートのためのサブシステムを含む、
パワーシステム。
【請求項８７】
エネルギ貯蔵は、約０．０１ジュールと約１００メガジュールの間のエネルギを貯蔵し、少なくとも充電−放電の２周期の間に約０．１０ワットと約１００メガワットの間のピーク電力を供給するように構成されている、請求項８６に記載の方法。
【請求項８８】
サブシステムは、１周期間バッテリから一定の負荷を引き出すように構成されている、請求項８６に記載のパワーシステム。
【請求項８９】
サブシステムは、デパッシベーションの必要を評価する計測装置を含む、請求項８６に記載のパワーシステム。
【請求項９０】
計測装置は、電圧センサと電流センサのうちの少なくとも一つを含む、請求項８９に記載のパワーシステム。
【請求項９１】
計測装置は、予め定められたデパッシベート負荷電流を引き出し、電圧が予め定められたレベルに上昇するまでバッテリの電圧をモニタするように構成されている、請求項８９に記載のパワーシステム。
【請求項９２】
計測装置は、予め定められたデパッシベート負荷電流を引き出し、電圧が予め定められたレベルに上昇するまでバッテリの電圧をモニタするように構成されている、請求項９１に記載のパワーシステム。
【請求項９３】
高温環境で電力を供給するように調整されたパワーシステムであって、
約−４０℃と２１０℃の間の温度範囲で動作し、再充電可能エネルギ貯蔵から電力を供給することと、再充電可能エネルギ貯蔵に充電することのうちの少なくとも一つのための回路に連結する、再充電可能エネルギ貯蔵を含み、
回路は、パワーシステムのコンポーネントをバイパスするためのサブシステムを含む、
パワーシステム。
【請求項９４】
エネルギ貯蔵は、約０．０１ジュールと約１００メガジュールの間のエネルギを貯蔵し、少なくとも充電−放電の２周期の間に約０．１０ワットと約１００メガワットの間のピーク電力を供給するように構成されている、請求項９３に記載のパワーシステム。
【請求項９５】
サブシステムは、コンポーネントの機能不全状態を自動的に判定し、エネルギ貯蔵から負荷への別途の電流経路を特定するように構成されている、請求項９３に記載のパワーシステム。
【請求項９６】
サブシステムは、バイパスを被るコンポーネントの固有の機能により無効にされる、請求項９３に記載のパワーシステム。
【請求項９７】
サブシステムは、少なくとも一つの半導体ドライブを含む、請求項９３に記載のパワーシステム。
【請求項９８】
半導体ドライブがＪＦＥＴである、請求項９３に記載のパワーシステム。
【請求項９９】
サブシステムはリレーを含む、請求項９３に記載のパワーシステム。
【請求項１００】
サブシステムは、独立パワーコンバータと冗長パワーコンバータのうちの少なくとも一つを含む、請求項９３に記載のパワーシステム。
【請求項１０１】
サブシステムは、バイパスされるコンポーネント内への電流フローと、バイパスされるコンポーネントから出る電流フローとのうちの、少なくとも一つをブロックするスイッチネットワークを含む、請求項９３に記載のパワーシステム。
【請求項１０２】
スイッチネットワークは、ダイオードとトランジスタのうちの少なくとも一つを含む、請求項１０１に記載のパワーシステム。
【請求項１０３】
高温環境で電力を供給するように調整されたパワーシステムであって、
約−４０℃と２１０℃の間の温度範囲で動作し、再充電可能エネルギ貯蔵から電力を供給することと、再充電可能エネルギ貯蔵に充電することのうちの少なくとも一つのための回路に連結する、再充電可能エネルギ貯蔵を含み、
回路は、エネルギ供給の電気出力をシミュレートするためのサブシステムを含む、
パワーシステム。
【請求項１０４】
エネルギ貯蔵は、約０．０１ジュールと約１００メガジュールの間のエネルギを貯蔵し、少なくとも充電−放電の２周期の間に約０．１０ワットと約１００メガワットの間のピーク電力を供給するように構成されている、請求項１０３に記載のパワーシステム。
【請求項１０５】
サブシステムが、シミュレータマップを含む、請求項１０３に記載のパワーシステム。
【請求項１０６】
シミュレータマップは、デジタルドメインとアナログドメインのうちの少なくとも一つで実装される、請求項１０５に記載のパワーシステム。
【請求項１０７】
サブシステムは、フィードバックコントローラを含む、請求項１０３に記載のパワーシステム。
【請求項１０８】
フィードバックコントローラは、デジタルドメインとアナログドメインのうちの少なくとも一つで実装される、請求項１０７に記載のパワーシステム。
【請求項１０９】
サブシステムは、負荷と並列で接続するように構成されている、請求項１０３に記載のパワーシステム。
【請求項１１０】
サブシステムは、負荷と直列で接続するように構成されている、請求項１０３に記載のパワーシステム。
【請求項１１１】
サブシステムは、バックコンバータ、ブーストコンバータ、バック−ブーストコンバータ、Ｃｕｋ、フライバックコンバータ、及び、フォワードコンバータのうちの、少なくとも一つを含む、請求項１０３に記載のパワーシステム。
【請求項１１２】
サブシステムは、電力の双方向の流れをサポートする、請求項１０３に記載のパワーシステム。
【請求項１１３】
シミュレータの出力は、電圧、電流、電力、及びインピーダンスのうちの、少なくとも一つを含む、請求項１０３に記載のパワーシステム。
【請求項１１４】
シミュレータへの入力は、電圧、電流、電力、及びインピーダンスのうちの、少なくとも一つを含む、請求項１０３に記載のパワーシステム。
【請求項１１５】
高温環境で電力を供給するように調整されたパワーシステムであって、
約−４０℃と２１０℃の間の温度範囲で動作し、再充電可能エネルギ貯蔵から電力を供給することと、再充電可能エネルギ貯蔵に充電することのうちの少なくとも一つのための回路に連結する、再充電可能エネルギ貯蔵を含み、
回路は、エネルギ貯蔵の充電状態をモニタするためのサブシステムを含む、
パワーシステム。
【請求項１１６】
エネルギ貯蔵は、約０．０１ジュールと約１００メガジュールの間のエネルギを貯蔵し、少なくとも充電−放電の２周期の間に約０．１０ワットと約１００メガワットの間のピーク電力を供給するように構成されている、請求項１１５に記載のパワーシステム。
【請求項１１７】
サブシステムは、電流を電圧に変換するためのセンスレジスタを含む、請求項１１５に記載のパワーシステム。
【請求項１１８】
サブシステムは、ホール効果センサを含む、請求項１１５に記載のパワーシステム。
【請求項１１９】
サブシステムは、誘導電流センサを含む、請求項１１５に記載のパワーシステム。
【請求項１２０】
サブシステムは、アナログ−デジタルコンバータを含む、請求項１１５に記載のパワーシステム。
【請求項１２１】
サブシステムは、マイクロプロセッサを含む、請求項１１５に記載のパワーシステム。
【請求項１２２】
サブシステムは、メモリを含む、請求項１１５に記載のパワーシステム。
【請求項１２３】
メモリ内の変数は、充電状態を反映するように更新される、請求項１２２に記載のパワーシステム。
【請求項１２４】
高温環境で電力を供給するように調整されたパワーシステムであって、
約−４０℃と２１０℃の間の温度範囲で動作し、再充電可能エネルギ貯蔵から電力を供給することと、再充電可能エネルギ貯蔵に充電することのうちの少なくとも一つのための回路に連結する、再充電可能エネルギ貯蔵を含み、
回路は、エネルギの少なくとも二つのエネルギのソース間でスイッチするためのサブシステムを含む、
パワーシステム。
【請求項１２５】
エネルギ貯蔵は、約０．０１ジュールと約１００メガジュールの間のエネルギを貯蔵し、少なくとも充電−放電の２周期の間に約０．１０ワットと約１００メガワットの間のピーク電力を供給するように構成されている、請求項１２４に記載のパワーシステム。
【請求項１２６】
エネルギソースの少なくとも一つは、少なくとも一つのバッテリを含む、請求項１２４に記載のパワーシステム。
【請求項１２７】
エネルギソースの少なくとも一つは、遠隔パワーサプライに連結するワイヤラインを含む、請求項１２４に記載のパワーシステム。
【請求項１２８】
エネルギソースの少なくとも一つは、ジェネレータを含む、請求項１２４に記載のパワーシステム。
【請求項１２９】
エネルギソースの少なくとも二つは、実質的に同じタイプのエネルギソースである、請求項１２４に記載のパワーシステム。
【請求項１３０】
エネルギソースの少なくとも二つは、実質的に類似しないタイプのエネルギソースである、請求項１２４に記載のパワーシステム。
【請求項１３１】
サブシステムは、一つのエネルギソースから一時に電力を引き出すように構成されている、請求項１２４に記載のパワーシステム。
【請求項１３２】
サブシステムは、少なくとも一つのエネルギソースから同時に電力を引き出すように構成されている、請求項１２４に記載のパワーシステム。
【請求項１３３】
サブシステムは、少なくとも一つのトランジスタを含む、請求項１２４に記載のパワーシステム。
【請求項１３４】
サブシステムは、リレーを含む、請求項１２４に記載のパワーシステム。
【請求項１３５】
サブシステムは、レベルシフト回路を含む、請求項１２４に記載のパワーシステム。
【請求項１３６】
サブシステムは、時間平均凝集挙動を達成するように、エネルギソース間で変調する、請求項１２４に記載のパワーシステム。
【請求項１３７】
サブシステムは、デジタル切替コントロール信号を供給するように構成されている、請求項１２４に記載のパワーシステム。
【請求項１３８】
サブシステムは、アナログ切替コントロール信号を供給するように構成されている、請求項１２４に記載のパワーシステム。
【請求項１３９】
サブシステムは、エネルギソースの充電状態、エネルギソースにより示される電圧、エネルギソースにより示されるインピーダンス、大気温度、振動、及び遠隔位置から受信される信号のうちの、少なくとも一つを解釈し、対応する切替コントロール信号を供給するように構成されている、請求項１２４に記載のパワーシステム。
【請求項１４０】
高温環境で電力を供給するように調整されたパワーシステムであって、
約−４０℃と２１０℃の間の温度範囲で動作し、再充電可能エネルギ貯蔵から電力を供給することと、再充電可能エネルギ貯蔵に充電することのうちの少なくとも一つのための回路に連結する、再充電可能エネルギ貯蔵を含み、
回路は、パワーシステムの電力出力を自動的に調整するためのサブシステムを含む、
パワーシステム。
【請求項１４１】
エネルギ貯蔵は、約０．０１ジュールと約１００メガジュールの間のエネルギを貯蔵し、少なくとも充電−放電の２周期の間に約０．１０ワットと約１００メガワットの間のピーク電力を供給するように構成されている、請求項１４０に記載のパワーシステム。
【請求項１４２】
サブシステムは、温度に従って電圧出力をコントロールするように構成されている、請求項１４１に記載のパワーシステム。
【請求項１４３】
サブシステムは、可変電圧セットポイントを設けることにより電圧出力をコントロールするように構成されている、請求項１４１に記載のパワーシステム。
【請求項１４４】
高温環境で電力を供給するように調整されたパワーシステムであって、
約−４０℃と２１０℃の間の温度範囲で動作し、再充電可能エネルギ貯蔵から電力を供給することと、再充電可能エネルギ貯蔵に充電することのうちの少なくとも一つのための回路に連結する、再充電可能エネルギ貯蔵を含み、
回路は、動作のモード間でスイッチするためのサブシステムを含む、
パワーシステム。
【請求項１４５】
エネルギ貯蔵は、約０．０１ジュールと約１００メガジュールの間のエネルギを貯蔵し、少なくとも充電−放電の２周期の間に約１ワットと約１メガワットの間のピーク電力を供給するように構成されている、請求項１４４に記載のパワーシステム。
【請求項１４６】
サブシステムは、少なくとも二つの動作のモードを設けるように構成されている、請求項１４４に記載のパワーシステム。
【請求項１４７】
サブシステムは、パワーシステムからの電圧出力のコントロールを提供するように構成されている、請求項１４４に記載のパワーシステム。
【請求項１４８】
サブシステムは、パワーシステムからの電流出力のコントロールを提供するように構成されている、請求項１４４に記載のパワーシステム。
【請求項１４９】
サブシステムは、パワーシステムからの最大電流出力のコントロールを提供するように構成されている、請求項１４４に記載のパワーシステム。
【請求項１５０】
サブシステムは、パワーシステムへの電圧入力のコントロールを提供するように構成されている、請求項１４４に記載のパワーシステム。
【請求項１５１】
サブシステムは、パワーシステムへの電流入力のコントロールを提供するように構成されている、請求項１４４に記載のパワーシステム。
【請求項１５２】
サブシステムは、パワーシステムへの最大電流入力のコントロールを提供するように構成されている、請求項１４４に記載のパワーシステム。
【請求項１５３】
サブシステムは、ある回路の非アクティブ化を提供するように構成されている、請求項１４４に記載のパワーシステム。
【請求項１５４】
サブシステムは、自動動作を提供するように構成されている、請求項１４４に記載のパワーシステム。
【請求項１５５】
サブシステムは、遠隔信号により構成されるように配置されている、請求項１４４に記載のパワーシステム。
【請求項１５６】
サブシステムは、ユーザ生成信号により構成されるように配置されている、請求項１４４に記載のパワーシステム
【請求項１５７】
動作のモード間でスイッチするためのサブシステムは、温度に従うように構成されている、請求項１４４に記載のパワーシステム。
【請求項１５８】
動作のモード間でスイッチするためのサブシステムは、受動コンポーネントをスイッチするための、トランジスタとリレーのうちの少なくとも一つを含む、請求項１４４に記載のパワーシステム。
【請求項１５９】
動作のモード間でスイッチするためのサブシステムは、デジタルコントローラ内のパラメータに適合する、請求項１４４に記載のパワーシステム。
【請求項１６０】
高温環境で電力を供給するように調整されたパワーシステムであって、
約−４０℃と２１０℃の間の温度範囲で動作し、再充電可能エネルギ貯蔵から電力を供給することと、再充電可能エネルギ貯蔵に充電することのうちの少なくとも一つのための回路に連結する、再充電可能エネルギ貯蔵を含み、
回路は、環境因子に従って動作を調整するためのサブシステムを含む、
パワーシステム。
【請求項１６１】
エネルギ貯蔵は、約０．０１ジュールと約１００メガジュールの間のエネルギを貯蔵し、少なくとも充電−放電の２周期の間に約０．１０ワットと約１００メガワットの間のピーク電力を供給するように構成されている、請求項１６０に記載のパワーシステム。
【請求項１６２】
サブシステムは、パワーシステムへの電流入力を制限することを提供するように構成されている、請求項１６０に記載のパワーシステム。
【請求項１６３】
サブシステムは、パワーシステムからの電流出力を制限することを提供するように構成されている、請求項１６０に記載のパワーシステム。
【請求項１６４】
サブシステムは、パワーシステムからの電圧出力を制限することを提供するように構成されている、請求項１６０に記載のパワーシステム。
【請求項１６５】
サブシステムは、温度に従ってコントロールすることを提供するように構成されている、請求項１６０に記載のパワーシステム。
【請求項１６６】
サブシステムは、振動に従ってコントロールすることを提供するように構成されている、請求項１６０に記載のパワーシステム。
【請求項１６７】
サブシステムは、圧力に従ってコントロールすることを提供するように構成されている、請求項１６０に記載のパワーシステム。
【請求項１６８】
高温環境で電力を供給するように調整されたパワーシステムであって、
約−４０℃と２１０℃の間の温度範囲で動作し、再充電可能エネルギ貯蔵から電力を供給することと、再充電可能エネルギ貯蔵に充電することのうちの少なくとも一つのための回路に連結する、再充電可能エネルギ貯蔵を含み、
回路は、低電力動作を誘導するためのサブシステムを含む、
パワーシステム。
【請求項１６９】
エネルギ貯蔵は、約０．０１ジュールと約１００メガジュールの間のエネルギを貯蔵し、少なくとも充電−放電の２周期の間に約０．１０ワットと約１００メガワットの間のピーク電力を供給するように構成されている、請求項１６８に記載のパワーシステム。
【請求項１７０】
サブシステムは、貯蔵と輸送のうちの少なくとも一つに対する準備の間に起動されるように構成されている、請求項１６８に記載のパワーシステム。
【請求項１７１】
サブシステムは、カバーの設置により起動されるように構成されている、請求項１６８に記載のパワーシステム。
【請求項１７２】
サブシステムは、デジタルコントローラとアナログコントローラのうちの一つの、少なくとも二つのピンに亘って、短絡を起こすように構成されている、請求項１７１に記載のパワーシステム。
【請求項１７３】
サブシステムは、レジスタを含むカバーの設置により起動されるように構成されている、請求項１６８に記載のパワーシステム。
【請求項１７４】
サブシステムは、バッテリを含むカバーの設置により起動されるように構成されている、請求項１６８に記載のパワーシステム。
【請求項１７５】
サブシステムは、ダイオードを含むカバーの設置により起動されるように構成されている、請求項１６８に記載のパワーシステム。
【請求項１７６】
サブシステムは、回転可能コネクタを伴うダストキャップを含む、請求項１６８に記載のパワーシステム。
【請求項１７７】
サブシステムは、非動作の検出により起動されるように構成されている、請求項１６８に記載のパワーシステム。
【請求項１７８】
非動作の検出は、低電流出力の周期により示される、請求項１７７に記載のパワーシステム。
【請求項１７９】
サブシステムは、少なくとも一つのコンポーネントの無効化を提供するように構成されている、請求項１６８に記載のパワーシステム。
【請求項１８０】
サブシステムは、電圧出力をコントロールすることを提供するように構成されている、請求項１６８に記載のパワーシステム。
【請求項１８１】
高温環境で電力を供給するように調整されたパワーシステムであって、
約−４０℃と２１０℃の間の温度範囲で動作し、再充電可能エネルギ貯蔵から電力を供給することと、再充電可能エネルギ貯蔵に充電することのうちの少なくとも一つのための回路に連結する、再充電可能エネルギ貯蔵を含み、
回路は、データをロギングするためのサブシステムを含む、
パワーシステム。
【請求項１８２】
エネルギ貯蔵は、約０．０１ジュールと約１００メガジュールの間のエネルギを貯蔵し、少なくとも充電−放電の２周期の間に約０．１０ワットと約１００メガワットの間のピーク電力を供給するように構成されている、請求項１８１に記載のパワーシステム。
【請求項１８３】
データをロギングするためのサブシステムは、メモリを含む、請求項１８１に記載のパワーシステム。
【請求項１８４】
サブシステムは、システム動作をコントロールすること、ステータスを遠隔位置に送信すること、及び動作後のパワーシステムを評価することのうちの、少なくとも一つを提供するように構成されている、請求項１８１に記載のパワーシステム。
【請求項１８５】
サブシステムは、バッテリ電圧、バッテリ電流、バッテリ充電状態、温度、振動、ショックイベント、及びロジックイベントのうちの、少なくとも一つを記録するように構成されている、請求項１８１に記載のパワーシステム。
【請求項１８６】
ロジックイベントは、流体フロー、泥パルス作動、及び切替状態のうちの、少なくとも一つの表示を含む、請求項１８５に記載のパワーシステム。
【請求項１８７】
サブシステムは、メモリからデータを検索するように構成されている、請求項１８１に記載のパワーシステム。
【請求項１８８】
サブシステムは、データを通信するように構成されている、請求項１８１に記載のパワーシステム。
【請求項１８９】
サブシステムは、リードオンリメモリ（読み取り専用メモリ）を含む、請求項１８１に記載のパワーシステム。
【請求項１９０】
サブシステムは、ランダムアクセスメモリを含む、請求項１８１に記載のパワーシステム。
【請求項１９１】
サブシステムは、複数のメモリチップを含む、請求項１８１に記載のパワーシステム。
【請求項１９２】
サブシステムは、ＲＡＭ内のロケーションからＰＯＭ内のロケーションに格納されたデータをアーカイブすることを提供するように構成されている、請求項１８１に記載のパワーシステム。
【請求項１９３】
サブシステムは、パラメータ化されたデータを格納することを提供するように構成されている、請求項１８１に記載のパワーシステム。
【請求項１９４】
高温環境で電力を供給するように調整されたパワーシステムであって、
約−４０℃と２１０℃の間の温度範囲で動作し、再充電可能エネルギ貯蔵から電力を供給することと、再充電可能エネルギ貯蔵に充電することのうちの少なくとも一つのための回路に連結する、再充電可能エネルギ貯蔵を含み、
回路は、パワーサプライのパフォーマンスを管理するためのサブシステムを含む、
パワーシステム。
【請求項１９５】
エネルギ貯蔵は、約０．０１ジュールと約１００メガジュールの間のエネルギを貯蔵し、少なくとも充電−放電の２周期の間に約０．１０ワットと約１００メガワットの間のピーク電力を供給するように構成されている、請求項１９４に記載のパワーシステム。
【請求項１９６】
サブシステムは、ランタイム調整を提供するように構成されている、請求項１９４に記載のパワーシステム。
【請求項１９７】
サブシステムは、周期的調整を提供するように構成されている、請求項１９４に記載のパワーシステム。
【請求項１９８】
サブシステムは、ユーザによる調整を提供するように構成されている、請求項１９４に記載のパワーシステム。
【請求項１９９】
サブシステムは、遠隔信号によりアクティブ化される調整を提供するように構成されている、請求項１９４に記載のパワーシステム。
【請求項２００】
パワー損失を最小限にすることは、見積もりされたパワー損失の第１の計算、少なくとも一つの電気的パラメータの計測、反復する摂動と観察のステップ、及び反復の計算のうち、少なくとも一つにより補助される、請求項１９４に記載のパワーシステム。
【請求項２０１】
サブシステムは、スタンバイパワー損失、自己放電パワー損失、トランジスタのスイッチングによる及びゲートによる損失、導通損失、及び磁心損失のうちの、少なくとも一つを最小限にすることを提供するように構成されている、請求項１９４に記載のパワーシステム。
【請求項２０２】
サブシステムは、負荷内のパワー損失を最小限にすることを提供するように構成されている、請求項１９４に記載のパワーシステム。
【請求項２０３】
サブシステムは、パワーシステムからの電圧出力、パワーシステムからの電流出力、及びパワーシステムからの電力出力のうち、少なくとも一つをコントロールするように構成されている、請求項１９４に記載のパワーシステム。
【請求項２０４】
サブシステムは、コントロール信号を調整するように構成されている、請求項１９４に記載のパワーシステム。
【請求項２０５】
高温環境で電力を供給するように調整されたパワーシステムであって、
約−４０℃と２１０℃の間の温度範囲で動作し、再充電可能エネルギ貯蔵から電力を供給することと、再充電可能エネルギ貯蔵に充電することのうちの少なくとも一つのための回路に連結する、再充電可能エネルギ貯蔵を含み、
回路は、パワーシステムのシステムヘルスをモニタリングするためのサブシステムを含む、
パワーシステム。
【請求項２０６】
エネルギ貯蔵は、約０．０１ジュールと約１００メガジュールの間のエネルギを貯蔵し、少なくとも充電−放電の２周期の間に約０．１０ワットと約１００メガワットの間のピーク電力を供給するように構成されている、請求項２０５に記載のパワーシステム。
【請求項２０７】
サブシステムは、メモリを含む、請求項２０５に記載のパワーシステム。
【請求項２０８】
サブシステムは、温度計測デバイス及び加速度計測デバイスのうちの少なくとも一つを含む、請求項２０５に記載のパワーシステム。
【請求項２０９】
サブシステムは、温度、振動、及びショックのうちの、少なくとも一つの計測から、システムヘルスの見積もりを導出するように構成されている、請求項２０５に記載のパワーシステム。
【請求項２１０】
高温環境で電力を供給するように調整されたパワーシステムであって、
約−４０℃と２１０℃の間の温度範囲で動作し、再充電可能エネルギ貯蔵から電力を供給することと、再充電可能エネルギ貯蔵に充電することのうちの少なくとも一つのための回路に連結する、再充電可能エネルギ貯蔵を含み、
回路は、冗長素子にアクセスするためのサブシステムを含む、
パワーシステム。
【請求項２１１】
エネルギ貯蔵は、約０．０１ジュールと約１００メガジュールの間のエネルギを貯蔵し、少なくとも充電−放電の２周期の間に約０．１０ワットと約１００メガワットの間のピーク電力を供給するように構成されている、請求項２１０に記載のパワーシステム。
【請求項２１２】
サブシステムは、少なくとも一つのスタンバイ再充電可能エネルギ貯蔵デバイスを含む、請求項２１０に記載のパワーシステム。
【請求項２１３】
サブシステムは、少なくとも一つのスタンバイ回路を含む、請求項２１０に記載のパワーシステム。
【請求項２１４】
スタンバイ回路はパワーコンバータを含む、請求項２１３に記載のパワーシステム。
【請求項２１５】
サブシステムは、電圧出力計測から機能不全を特定するように構成されている、請求項２１０に記載のパワーシステム。
【請求項２１６】
サブシステムは、再充電可能エネルギ貯蔵に対する電圧出力計測と、再充電可能エネルギ貯蔵を介する電流とから、機能不全を特定するように構成されている、請求項２１０に記載のパワーシステム。
【請求項２１７】
サブシステムは、複数の再充電可能エネルギ貯蔵デバイスに結合する複数のレジスタ分割器と、アナログ−デジタルコンバータとを含む、請求項２１０に記載のパワーシステム。
【請求項２１８】
パワーサプライを用いる方法であって、
少なくとも一つのウルトラキャパシタを含むパワーサプライを選択するステップと、
約−４０℃と２１０℃の間の温度範囲内で、少なくとも１時間ウルトラキャパシタ上で約０．１ボルトと約４ボルトの間の電圧を維持しつつ、パワーサプライを動作するステップと
を含み、
上記時間の終わりに、ウルトラキャパシタは、動作温度の範囲に亘って、リットルの体積毎に１０００ｍアンペアより小さいリーク電流を示す、方法。
【請求項２１９】
パワーシステムを用いる方法であって、
高温動作のために構成された再充電可能エネルギ貯蔵を高温動作のために構成された電子回路と結合するステップと、
パワーシステムの出力からパワーパルスを引き出すことによりパワーシステムを動作するステップと
を含み、
個々のパルスは、少なくとも０．０１Ｖのピーク値と、少なくとも０．０１Ｊの全体の電力と時間の積（エネルギ）を含む、方法。
【発明の詳細な説明】
【技術分野】
【０００１】
本発明は、特に、概略ハイドロカーボンの探査における地下環境で用いられる器具及び工具のための、高温環境内でエネルギを供給する方法及び装置に関する。
【背景技術】
【０００２】
人類は石油を探索し取り出すことを継続しているが、ハイドロカーボンに対する探索は益々複雑になっている。この複雑さは、あらゆる種類の複雑な器具に起因する。他の技術分野と同様に、器具の複雑さが増すと、利用者においては電力需要が増加する。
【先行技術文献】
【非特許文献】
【０００３】
【非特許文献１】Ｔｈｅ  ｏｘｉｄａｔｉｏｎ  ｏｆ  ａｌｃｏｈｏｌｓ  ｉｎ  ｓｕｂｓｔｉｔｕｔｅｄ  ｉｍｉｄａｚｏｌｉｕｍ  ｉｏｎｉｃ  ｌｉｑｕｉｄｓ  ｕｓｉｎｇ  ｒｕｔｈｅｎｉｕｍ  ｃａｔａｌｙｓｔｓ」Ｆａｒｍｅｒ  ａｎｄ  Ｗｅｌｔｏｎ、Ｔｈｅ  Ｒｏｙａｌ  Ｓｏｃｉｅｔｙ  ｏｆ  Ｃｈｅｍｉｓｔｒｙ、２００２、４、９７−１０２
【発明の概要】
【発明が解決しようとする課題】
【０００４】
不運なことに、ダウンホールの環境は、システムオーナやオペレータに対し、現実の不可避的な問題を突きつける。例えば、ダウンホールの温度により生じる問題は、影響が小さくない。即ち、掘削及びロギングが地表クラストにより深く進むと、高温環境のダウンホール工具の探索が増加し続ける。
【０００５】
従来のパワーサプライが機能しなくなるとき、増加する温度により技術的限界が示されることが多い。例えば、化学ベースの電池貯蔵が、機能を損失するポイントに本質的に下げられてしまう場合である。
【０００６】
よって、高温環境内で電力供給するパワーシステムが求められている。パワーシステムは、従来の装置が有益な電力を供給できないような場合に、ユーザに電力を提供する再充電可能エネルギ貯蔵を含むのが、好ましい。更に、エネルギ貯蔵装置は、利用し、操作し、処分するのに、経済的であるのが好ましい。
【課題を解決するための手段】
【０００７】
一つの実施形態では、高温環境で電力を供給するように調整されたパワーシステムが提供される。パワーシステムは、
約−４０℃と２１０℃の間の温度範囲で動作し、再充電可能エネルギ貯蔵から電力を供給することと、再充電可能エネルギ貯蔵に充電することのうちの少なくとも一つのための回路に連結する、再充電可能エネルギ貯蔵を含み、
前記エネルギ貯蔵は、約０．０１ジュールと約１００メガジュールの間のエネルギを貯蔵し、少なくとも充電−放電の２周期の間に約０．１０ワットと約１００メガワットの間のピーク電力を供給するように構成されている。
【０００８】
別の実施形態では、ダウンホールのロギング器具へ電力を供給する方法が提供される。方法は、
約−４０℃と２１０℃の間の温度範囲で動作し、前記エネルギ貯蔵から電力を供給することと、前記エネルギ貯蔵に充電することのうちの少なくとも一つのための回路に連結する、再充電可能エネルギ貯蔵を含むパワーシステムを含む、ロギング器具を選択するステップと、
ダウンホールのロギング器具により、パワーシステムからロギング器具へ電力を供給するステップと
を含む。
【０００９】
別の実施形態では、ロギング器具のためのパワーシステムを製造する方法が提供される。方法は、
約−４０℃と２１０℃の間の温度範囲で動作し、前記エネルギ貯蔵から電力を供給することと、前記エネルギ貯蔵に充電することのうちの少なくとも一つのための回路に連結する、再充電可能エネルギ貯蔵を選択するステップと、
ロギング器具内に組み合わせるようにエネルギ貯蔵を構成するステップと
を含む。
【００１０】
別の実施形態では、高温環境で電力を供給するように調整されたパワーシステムが提供される。パワーシステムは、
約−４０℃と２１０℃の間の温度範囲で動作し、再充電可能エネルギ貯蔵から電力を供給することと、再充電可能エネルギ貯蔵に充電することのうちの少なくとも一つのための回路に連結する、再充電可能エネルギ貯蔵を含み、
回路は、エネルギ貯蔵内のバッテリのデパッシベートのためのサブシステムを含む。
【００１１】
別の実施形態では、高温環境で電力を供給するように調整されたパワーシステムが提供される。パワーシステムは、
約−４０℃と２１０℃の間の温度範囲で動作し、再充電可能エネルギ貯蔵から電力を供給することと、再充電可能エネルギ貯蔵に充電することのうちの少なくとも一つのための回路に連結する、再充電可能エネルギ貯蔵を含み、
回路は、エネルギ供給の電気出力をシミュレートするためのサブシステムを含む。
【００１２】
別の実施形態では、高温環境で電力を供給するように調整されたパワーシステムが提供される。パワーシステムは、
約−４０℃と２１０℃の間の温度範囲で動作し、再充電可能エネルギ貯蔵から電力を供給することと、再充電可能エネルギ貯蔵に充電することのうちの少なくとも一つのための回路に連結する、再充電可能エネルギ貯蔵を含み、
回路は、エネルギ貯蔵の充電状態をモニタするためのサブシステムを含む。
【００１３】
別の実施形態では、高温環境で電力を供給するように調整されたパワーシステムが提供される。パワーシステムは、
約−４０℃と２１０℃の間の温度範囲で動作し、再充電可能エネルギ貯蔵から電力を供給することと、再充電可能エネルギ貯蔵に充電することのうちの少なくとも一つのための回路に連結する、再充電可能エネルギ貯蔵を含み、
回路は、エネルギの少なくとも二つのエネルギのソース間でスイッチするためのサブシステムを含む。
【００１４】
別の実施形態では、高温環境で電力を供給するように調整されたパワーシステムが提供される。パワーシステムは、
約−４０℃と２１０℃の間の温度範囲で動作し、再充電可能エネルギ貯蔵から電力を供給することと、再充電可能エネルギ貯蔵に充電することのうちの少なくとも一つのための回路に連結する、再充電可能エネルギ貯蔵を含み、
回路は、パワーシステムの電力出力を自動的に調整するためのサブシステムを含む。
【００１５】
別の実施形態では、高温環境で電力を供給するように調整されたパワーシステムが提供される。パワーシステムは、
約−４０℃と２１０℃の間の温度範囲で動作し、再充電可能エネルギ貯蔵から電力を供給することと、再充電可能エネルギ貯蔵に充電することのうちの少なくとも一つのための回路に連結する、再充電可能エネルギ貯蔵を含み、
回路は、動作のモード間でスイッチするためのサブシステムを含む。
【００１６】
別の実施形態では、高温環境で電力を供給するように調整されたパワーシステムが提供される。パワーシステムは、
約−４０℃と２１０℃の間の温度範囲で動作し、再充電可能エネルギ貯蔵から電力を供給することと、再充電可能エネルギ貯蔵に充電することのうちの少なくとも一つのための回路に連結する、再充電可能エネルギ貯蔵を含み、
回路は、環境因子に従って動作を調整するためのサブシステムを含む。
【００１７】
別の実施形態では、高温環境で電力を供給するように調整されたパワーシステムが提供される。パワーシステムは、
約−４０℃と２１０℃の間の温度範囲で動作し、再充電可能エネルギ貯蔵から電力を供給することと、再充電可能エネルギ貯蔵に充電することのうちの少なくとも一つのための回路に連結する、再充電可能エネルギ貯蔵を含み、
回路は、低電力動作を誘導するためのサブシステムを含む。
【００１８】
別の実施形態では、高温環境で電力を供給するように調整されたパワーシステムが提供される。パワーシステムは、
約−４０℃と２１０℃の間の温度範囲で動作し、再充電可能エネルギ貯蔵から電力を供給することと、再充電可能エネルギ貯蔵に充電することのうちの少なくとも一つのための回路に連結する、再充電可能エネルギ貯蔵を含み、
回路は、データをロギングするためのサブシステムを含む。
【００１９】
別の実施形態では、高温環境で電力を供給するように調整されたパワーシステムが提供される。パワーシステムは、
約−４０℃と２１０℃の間の温度範囲で動作し、再充電可能エネルギ貯蔵から電力を供給することと、再充電可能エネルギ貯蔵に充電することのうちの少なくとも一つのための回路に連結する、再充電可能エネルギ貯蔵を含み、
回路は、パワーサプライのパフォーマンスを管理するためのサブシステムを含む。
【００２０】
別の実施形態では、高温環境で電力を供給するように調整されたパワーシステムが提供される。パワーシステムは、
約−４０℃と２１０℃の間の温度範囲で動作し、再充電可能エネルギ貯蔵から電力を供給することと、再充電可能エネルギ貯蔵に充電することのうちの少なくとも一つのための回路に連結する、再充電可能エネルギ貯蔵を含み、
回路は、パワーシステムのシステムヘルスをモニタリングするためのサブシステムを含む。
【００２１】
別の実施形態では、高温環境で電力を供給するように調整されたパワーシステムが提供される。パワーシステムは、
約−４０℃と２１０℃の間の温度範囲で動作し、再充電可能エネルギ貯蔵から電力を供給することと、再充電可能エネルギ貯蔵に充電することのうちの少なくとも一つのための回路に連結する、再充電可能エネルギ貯蔵を含み、
回路は、冗長素子にアクセスするためのサブシステムを含む。
【００２２】
別の実施形態では、パワーサプライを用いる方法が提供される。方法は、
少なくとも一つのウルトラキャパシタを含むパワーサプライを選択するステップと、
約−４０℃と２１０℃の間の温度範囲内で、少なくとも１時間ウルトラキャパシタ上で約０．１ボルトと約４ボルトの間の電圧を維持しつつ、パワーサプライを動作するステップと
を含み、
上記時間の終わりに、ウルトラキャパシタは、動作温度の範囲に亘って、リットルの体積毎に１０００ｍアンペアより小さいリーク電流を示す。
【００２３】
別の実施形態では、パワーシステムを用いる方法が提供される。方法は、
高温動作のために構成された再充電可能エネルギ貯蔵を高温動作のために構成された電子回路と結合するステップと、
パワーシステムの出力からパワーパルスを引き出すことによりパワーシステムを動作するステップと
を含み、
個々のパルスは、少なくとも０．０１Ｖのピーク値と、少なくとも０．０１Ｊの全体の電力と時間の積（エネルギ）を含む。
【図面の簡単な説明】
【００２４】
本発明の特徴及び利点は、添付の図面に関する以下の説明から明白である。
【図１】ロギング器具を含むドリルストリングの例示の形態を示す。
【図２】ワイヤラインにより配備されるロギング器具の実施形態を伴う、検層のための例示の形態を示す。
【図３】内部に配備されるロギング器具の実施形態を伴う、生産井の例示の形態を示す。
【図４】単体の貯蔵セルを含む例示の再充電可能エネルギ貯蔵の形態の概略図である。該貯蔵セルは、電解二重層キャパシタ（ＥＤＬＣ）であり、高温エネルギ貯蔵としての利用に適する。
【図５】高温再充電可能エネルギ貯蔵を含むパワーシステムのトポロジの実施形態を示す。
【図６】図５のトポロジの形態を示す。
【図７】図５のトポロジの形態を示す。
【図８】図５のトポロジの形態を示す。
【図９】高温再充電可能エネルギ貯蔵を含むパワーシステムのためのトポロジの別の実施形態を示す。
【図１０】バッテリ電圧シミュレータの一つの実施形態を示すブロック図である。
【図１１Ａ】図１１Ａは、本明細書では図１１としてまとめて称され、夫々バッテリ電圧シミュレータの直列形態を示すブロック図である。
【図１１Ｂ】図１１Ｂは、本明細書では図１１としてまとめて称され、夫々バッテリ電圧シミュレータの並列形態を示すブロック図である。
【図１２】図１０及び１１の電圧シミュレータのためのコンバータの形態を示すブロック図である。
【図１３】図１０及び１１の電圧シミュレータのためのコンバータの形態を示すブロック図である。
【図１４】図１０及び１１の電圧シミュレータのためのコンバータの形態を示すブロック図である。
【図１５】図１０及び１１の電圧シミュレータのためのフィードバックコントローラの形態を示すブロック図である。
【図１６】チャージモニタのステートの形態を示すグラフである。
【図１７】コントロールユニットにおける変化の形態を示すグラフである。
【図１８Ａ】図１８Ａは、本明細書では図１８としてまとめて称され、バイパスコントローラの形態を示すブロック図である。
【図１８Ｂ】図１８Ｂは、本明細書では図１８としてまとめて称され、バイパスコントローラの形態を示すブロック図である。
【図１８Ｃ】図１８Ｃは、本明細書では図１８としてまとめて称され、バイパスコントローラの形態を示すブロック図である。
【図１９】例示のパワーサプライの斜視図である。
【図２０】図１９のパワーサプライの分解図である。
【図２１】図１９及び図２０に示すパワーサプライのためのコントローラの斜視図である。
【図２２】バスコネクタを用いてアセンブルされる回路の側面図である。
【図２３】貯蔵セルの等角図である。
【図２４Ａ】図２４Ａは、本明細書では図２４としてまとめて称され、エネルギ貯蔵に組み立てた状態での、図２３の二つの貯蔵セルの等角図である。
【図２４Ｂ】図２４Ｂは、本明細書では図２４としてまとめて称され、エネルギ貯蔵に組み立てた状態での、図２３の二つの貯蔵セルの等角図である。
【発明を実施するための形態】
【００２５】
高温環境内で電気エネルギを供給するパワーシステムが、本明細書に開示される。高温環境内で電気エネルギを供給することに加えて、パワーシステムは、種々の付加的機能をユーザに提供するように構成されてもよい。本明細書に示されるパワーシステムの実施形態はダウンホール（即ち、地下物）内で用いるように構成されているが、パワーシステムは、安定パワーの提供への挑戦を示す高温環境内でも等しく十分に用いられ得ることが、認識されるべきである。そのような挑戦は、環境的に厳しい条件、エネルギ貯蔵を包含するのに利用可能な限定された空間、外部のパワーサプライ等と連絡することが困難である実質的な遠隔位置を、含み得る。パワーシステムを詳細に紹介する前に、少し説明する。
【００２６】
図１を参照すると、（「掘削孔」とも称される）ウエルボア１をドリルするための装置の形態が示される。慣例的事項として、ウエルボア１の深さはＺ軸に沿って記載され、Ｘ軸及びＹ軸により記載される平面上に横断面が提供される。
【００２７】
この例では、ウエルボア１は、とりわけ、回転エネルギ及び下方力を供給するドリリングリグ（図示せず）により駆動されるドリルストリング１１を用いて、陸地２内にドリルされる。ウエルボア１は、概略地表部材を行き来し、該地表部材は（層３Ａ、３Ｂ、３Ｃとして示される）種々の層３を含む。地表環境内で遭遇し得る種々の地質学的特性は「層」と称され得るのであり、掘削孔（即ち、ダウンホール）沿いの部材のアレイは「地表部材」と称され得る、ということは、当業者が認識するところである。即ち、層３は、地表部材により形成される。従って、本明細書で用いるように、「層」の用語は概略、地質学的層に言及するのであるが、「地表部材」はどの部材も含み、土、流体、気体、液体などの部材を含み得る、ということが、考慮される。
【００２８】
この例では、ドリルストリング１１は、ドリルビット１４を駆動する長いドリルパイプ１２を含む。ドリルビット１４は、掘削泥などの、掘削流体４のフローも供給する。掘削流体１４は、ドリルパイプ１２を介してドリルビット１４までポンプされることが多く、該ドリルパイプ１２では流体がウエルボア１内に存在する。これにより、ウエルボア１内部で掘削流体４の上方フローＦが生じる。上方フローは概略、ドリルストリング１１及びその構成部品を冷却し、ドリルビット１４からカッティングを取り除き、加圧されたハイドロカーボンのブローアウトを防ぐ。
【００２９】
（「掘削泥」とも称される）掘削流体４は概略、周囲に本来備わり得る、水、掘削流体、泥、石油、気体、及び周囲に本来備わり得る層流体などの、液体の混合物を含む。掘削流体４は、掘削オペレーションのために導入され得るが、掘削流体４の利用若しくは存在は、検層オペレーションのために要求されるものでも無いし、検層オペレーションから必ずしも排除されるものでも無い。概略、部材の層は、ドリルストリング１１の外側表面とウエルボア１の壁との間に存在するであろう。この層は、「スタンドオフ層」と称され、「スタンドオフ、Ｓ」と称される厚さを含む。
【００３０】
ドリルストリング１１は概略、「掘削間のロギング」（ＬＷＤ）とも称される、「掘削間の計測」（ＭＷＤ）を実行するための器具を含む。ＭＷＤ若しくはＬＷＤを実行することは、ドリルストリング１１内に組み込まれ掘削間の操作のために設計されたロギング器具１０の操作を要求する。概略、ＭＷＤを実行するためのロギング器具１０は、ドリルストリング１１にも取り付けられ拠って「ダウンホール電子機器１３」と称されるエレクトロニクスパッケージに、結合される。概略、ダウンホール電子機器１３は、データ収集、データ解析、及び、電気機械アクチュエータ、通信、電力処理などのオペレーションコントロールを提供する。パワーシステム１６が含まれてもよい。概略、パワーシステム１６は、ロギング器具１０、サーベイコンポーネント１５、及びダウンホール電子機器１３の内の少なくとも一つに電力供給する。多くの場合、ロギング器具１０及びダウンホール電子機器１３は、トップサイド装備７に結合する。トップサイド装備７が含まれて更に操作を制御し、データロギングなどと共により多くの分析能力を提供してもよい。（以下で説明する）通信チャネルは、トップサイド装備７に通信を提供でき、パルス化泥、有線管、ＥＭテレメトリ、光ファイバ、及び、周知であり所与の用途に使用可能な他の技術を介して、操作し得る。
【００３１】
図２を参照して、ウエルボア１のワイヤラインロギングのための例示のロギング器具１０が示される。慣例的事項として、ウエルボア１の深さは、Ｚ軸に沿って記載され、横断面は、Ｘ軸とＹ軸により記載される平面上に設けられる。ロギング器具１０による検層に先立ち、ウエルボア１は、図１に示すような掘削装置を用いて陸地２の中まで掘削される。
【００３２】
或る実施形態では、ウエルボア１は、少なくとも一定程度、掘削流体４で満たされている。（「掘削泥」とも称される）掘削流体４は、概略、水、掘削流体、泥、石油、気体、及び、周囲に本来備わり得る層流体などの、液体の混合物を含む。掘削流体４は、掘削オペレーションのために導入され得るが、掘削流体４の利用若しくは存在は、ワイヤラインロギングの間のロギングオペレーションのために要求されるものでも無いし、ワイヤラインロギングの間のロギングオペレーションから必ずしも排除されるものでも無い。概略、部材の層は、ロギング器具１０の外側表面とウエルボア１の壁との間に存在するであろう。この層は、「スタンドオフ層」と称され、「スタンドオフ、Ｓ」と称される厚さを含む。
【００３３】
ケーシング２１は、ウエルボア１内に挿入されると物理的完全性を保証し得る。ケーシングは、ウエルボア１内で形成されて内部に挿入され、さもなければウエルボア１内に配置される。ケーシング２１は、区分されていてもよいし、連続状であってもよい。本明細書での説明の便宜上、ケーシング２１は概略、（生産用導管などの）内側生産用導管と共に、セメント質の外側ケーシング２１などの、種々の設定を含む。
【００３４】
概略、ワイヤラインロギングでは、ロギング器具１０は、デリック６若しくは類似の装備により配備されるワイヤライン８を用いて、ウエルボア１の内に下げられる。概略、ワイヤライン８は、他の装置に加えて、負荷耐性ケーブルなどの、サスペンション装置を含む。他の装置は、パワーシステム。（有線若しくは光学などの）通信リンク、及び他の同様の装備を含み得る。概略、ワイヤライン８は、サービストラック９若しくは（サービスステーション、ベースステーションなどの）他の類似の装置から、運搬される。ワイヤライン８は、トップサイド装備７に結合されることも多い。トップサイド装備７は、ロギング器具１０に電力を供給し、同様にオペレーションの制御とデータの分析とのうちの少なくとも一つのための計算及び処理能力を提供する。
【００３５】
概略、ロギング器具１０は、「ダウンホール」即ちウエルボア１内の計測を実行する装置を含む。それら装置は、例えば、種々のサーベイコンポーネント１５を含む。例示のサーベイコンポーネント１５は、放射線検出器、シールディング、センサ、及び、周知の他の種々のサーベイコンポーネント１５の多くを含み得る。コンポーネント１５は、ダウンホール電子機器１３と適宜通信し得る。パワーシステム１６が含まれてもよい。概略、パワーシステム１６は、ロギング器具１０、サーベイコンポーネント１５、及びダウンホール電子機器１３の内の少なくとも一つに電力供給する。ロギング器具１０を用いて実行され得る計測及び他のシーケンスは、概略、ハイドロカーボン５の存在を解明し資格化するために実行されるが、他の目的のために、例えば、地熱資源を特定するために用いられてもよい。
【００３６】
図３を参照して、生産の間にロギングするための例示のロギング器具１０が示される。生産用ロギング器具１０は、ウエルボア１内部に配置されるのがよく、ウエルボア１内部では生産用ロギング器具１０はハイドロカーボン５を抽出する間存在する。生産用ロギング器具１０は、（図示しない）トラクタなどの、他の装備を用いてダウンホールに配置される。ある実施形態では、生産用ロギング器具１０は、（モータ及びトラックなどの）トラクタの要素を含んでもよい。パワーシステム１６が含まれてもよい。概略、パワーシステム１６は、ロギング器具１０、サーベイコンポーネント１５、及びダウンホール電子機器１３のうちの少なくとも一つに電力供給する。
【００３７】
生産が開始すると、掘削流体４がウエルボア１から駆除される。ハイドロカーボン５のフローが確立される。生産の初期の間では、ウエルヘッド１９がウエルボア１を覆って配置される。ウエルヘッド１９は、ウエルボア１からのフローの調整を提供し、ハイドロカーボン５の抽出の延長期間を調整する。上向きの矢印により示されるように、生産用ロギング器具１０が配置されると、生産（ハイドロカーボン５の引き出し）が弱まること無く続く。概略、ウエルヘッド１９は、周知のように噴出防止器を含む。
【００３８】
ここで、パワーシステム１６を詳細に考察する。例示の実施形態では、例示の実施形態では、パワーシステム１６は、内部エネルギ貯蔵を含む。エネルギ貯蔵は、様々な再充電可能エネルギ貯蔵の形態のどの一つでも、複数でも含み得る。例えば、再充電可能エネルギ貯蔵は、少なくとも一つのタイプのバッテリ、ウルトラキャパシタ、及び他の類似の装置を含み得る。例示のエネルギ貯蔵の形態は、以下より詳細に説明する。
【００３９】
パワーシステム１６は概略、高温で信頼性高く電力を受け入れ且つ供給できるどの装置であってもよい。エネルギ貯蔵３０の他の例示の形態は、化学バッテリ、例えば、アルミニウム電解キャパシタ、タンタルキャパシタ、セラミック及び金属膜キャパシタ、ハイブリッドキャパシタ磁気エネルギ貯蔵、例えば、空芯若しくは高温芯部材インダクタを含む。適切でも有り得る他のタイプのエネルギ貯蔵は、例えば、フライホイール、スプリングシステム、スプリング質量システム、質量システム、熱容量システム（例えば、高熱容量液体若しくは固体又は相変化物質に基づくもの）、水圧若しくは空気圧システムなどの、機械的エネルギ貯蔵装置を含む。一つの例は、エバンスキャパシタカンパニプロビデンス、ロードアイランド州  米国（Ｅｖａｎｓ  Ｃａｐａｃｉｔｏｒ  Ｃｏｍｐａｎｙ  Ｐｒｏｖｉｄｅｎｃｅ，ＲＩ  ＵＳＡ）から入手可能な高温ハイブリッドキャパシタ、１２５℃規格の部品番号ＨＣ２Ｄ０６０１２２  ＤＳＣＣ１０００４−１６、である。別の例は、エバンスキャパシタカンパニプロビデンス、ロードアイランド州  米国（Ｅｖａｎｓ  Ｃａｐａｃｉｔｏｒ  Ｃｏｍｐａｎｙ  Ｐｒｏｖｉｄｅｎｃｅ，ＲＩ  ＵＳＡ）から入手可能な高温タンタルキャパシタ、２００℃規格の部品番号ＨＣ２Ｄ０５０１５２ＨＴ、である。更に別の例は、エプコス、ミュンヘン  独国（ＥＰＣＯＳ  Ｍｕｎｉｃｈ、Ｇｅｒｍａｎｙ）から入手可能なアルミニウム電解キャパシタ、１５０℃規格の部品番号Ｂ４１６９１Ａ８１０７Ｑ７、である。更に別の例は、パナソニック、東京  日本国（Ｐａｎａｓｏｎｉｃ  Ｔｏｋｙｏ，Ｊａｐａｎ）から入手可能なインダクタ、１５０℃規格の部品番号ＥＴＱ−Ｐ５Ｍ４７０ＹＦＭ、である。更なる実施形態は、３０充放電サイクルを伴う１２５℃まで動作するサフト、バグノレット、フランス（Ｓａｆｔ，Ｂａｇｎｏｌｅｔ，Ｆｒａｎｃｅ）（部品番号Ｌｉ−ｉｏｎ  ＶＬ３２６００−１２５）から入手可能であり、更に（実験上）約２５０℃まで動作可能で、マサチューセッツ州ケンブリッジのソリッドエネルギ（Ｓｏｌｉｄ  Ｅｎｅｒｇｙ）のＳａｄｏｗａｙ，Ｈｕにより実験段階にある、リチウムイオンバッテリである。
【００４０】
環境ダウンホールは過酷であり、従って器具の信頼性に相当の課題を示すものである。例えば、周囲の温度は、地表面のものから３００℃以上の範囲となり得る。更に本明細書で説明するように、或る実施形態では、開示のパワーシステム１６は、周囲の温度が約７０℃から約２００℃までの範囲にある環境で、更に或る実施形態では、より高温の（例えば、２５０℃までの）環境で、動作するように構成されている。ある実施形態では、パワーシステム１６は、周囲の温度が約マイナス４０（−４０）℃程度に低い環境で動作し得る。しかしながら、注目すべきは、パワーシステム１６はより広汎な温度範囲で動作し得、従って温度の範囲は本明細書での教示に限定されない、ということである。
【００４１】
慣例的事項として、及び、本明細書での教示の目的のために、「エネルギ貯蔵」の用語は、増大する温度が従来のエネルギ貯蔵装置を一般に機能しなくさせる環境で動作する、エネルギ貯蔵装置のことを示す。即ち、エネルギ貯蔵は、同等の環境に配置された場合に従来のエネルギ貯蔵装置よりパフォーマンスが優れており、増大する温度の関数として少なくとも相当程度の有用性を提供する。
【００４２】
概略、本明細書の教示に従って提供され且つ用いられるウルトラキャパシタは、現存のエネルギ貯蔵技術に対して多数の利点を示す。これらの利点により、従来達成されたよりもより高い温度にて電力を供給し利用できるということとなる。従って、ダウンホール工具のユーザにはより大きい動作範囲が与えられ、パワー限界の結果として従前には範囲外であったエリアが、アクセス可能となる。
【００４３】
一つのセットの利点は、ウルトラキャパシタの再充電可能の性質に由来する。ウルトラキャパシタはエネルギを放出することとエネルギを受け入れることの両方を行うことができる。ウルトラキャパシタは、ダウンホール用途のために再充電可能エネルギ貯蔵装置として用いられ得る。例えば、ウルトラキャパシタは、パルス状で若しくは間欠状でツール類に電力を供給できるが、より連続的に、ワイヤライン、ダウンホールバッテリ若しくはダウンホールジェネレータにより、再充電され得る。
【００４４】
別のセットの利点は、ウルトラキャパシタの高電力操作能力に由来する。ウルトラキャパシタは、化学バッテリエネルギ貯蔵技術と比較して、同様の容積及び重量に対してより少ない内部抵抗を示すことがよく知られている。この特性により、一次（非再充電可能）化学バッテリ技術と比較してより高い電力供給能力が可能であり、再充電可能化学バッテリ技術と比較して更により高い電力回復能力が可能である。ウルトラキャパシタは、全体システムの電力操作能力を拡張するのに用いられ得る。例えば、ウルトラキャパシタは、通常のワイヤライン、ダウンホールバッテリ、若しくはダウンホールジェネレータ電力供給システムからは直接には利用可能ではない、電力の大きいパルスを供給し得る。
【００４５】
別のセットの利点は、ウルトラキャパシタを作成するのに用いられる部材に由来する。ウルトラキャパシタは化学反応を介してではなく電場においてエネルギを貯蔵するので、部材それ自身は、それら部材を大気環境に晒すことによっても、若しくは定格出力を超えたエネルギ貯蔵装置を利用することによっても、突発故障と成ることはない。例えば、ダウンホールアプリケーションをサポートするための既に配置済みの手続を超える、ハンドリング、安全性及び処分ロジスティックの増強を殆どすること無く、若しくは全くすること無く、ウルトラキャパシタは用いられ得る。更に、ダウンホールアプリケーションでのウルトラキャパシタを利用すると、他のエネルギ貯蔵技術の必要が減少し得、またこの場合、ダウンホールアプリケーションをサポートするのに要求されるハンドリング、安全性及び処分ロジスティックの必要が実際に減少する。
【００４６】
別のセットの利点は、ウルトラキャパシタの高エネルギ密度に由来する。ウルトラキャパシタは、比較可能なサイズ及び容量のキャパシタの、約５０〜１０００倍のエネルギを貯蔵できる。この特性により、ウルトラキャパシタはダウンホールツール内でより長い期間高電力を供給できる。
【００４７】
ウルトラキャパシタは、約７０℃より高い温度で動作することができなかったことから、これまでダウンホール内での利用に決して適さなかった。本明細書での教示に適する例示のウルトラキャパシタの例は、しばしばダウンホールが遭遇する過酷な環境での信頼性が高く安全な動作が可能であることにより、高温動作に関連する問題を解決する。
【００４８】
ウルトラキャパシタの例示の実施形態についてのより詳細を以下示す。
【００４９】
図４に示すように、例示のエネルギ貯蔵３０は、少なくとも一つの貯蔵セル４２を含む。この例では、エネルギ貯蔵３０は、「ウルトラキャパシタ」とも称される、電気化学二重層キャパシタ（ＥＤＬＣ）を含む。ウルトラキャパシタは、二つの電極（慣例により、「負極」３３及び「正極」３４と称されるが、ウルトラキャパシタは本記載のためには内部に電荷を貯蔵する必要は無い。）を含み、夫々の電極３３、３４は、電解質界面において二重層のチャージを有する。ある実施形態では、複数の電極が含まれる。しかしながら、ここでの議論のため、二つのみの電極３３、３４が示されている。本明細書での慣例事項として、電極３３、３４の各々は、エネルギ貯蔵を提供するための（本明細書で更に議論する）カーボンベースのエネルギ貯蔵媒体３１を利用する。
【００５０】
電極３３、３４の各々は、夫々の電流コレクタ３２を含む。電極３３、３４は、セパレータ３５により分離される。概略、セパレータ３５は、電極３３、３４を二以上のコンパートメントに分離するのに用いられる薄構造部材（通常、シート）である。
【００５１】
少なくとも一つの形態の電解質３６が含まれる。電解質３６は、電極３３、３４とセパレータ３５の中及び間の空隙を満たす。概略、電解質３６は、電荷イオンを含む物質である。該物質を溶解する溶媒は、幾つかの実施形態に含まれ得る。その結果の電解質溶液は、イオン輸送により電気を通す。
【００５２】
慣例事項として、電極３３、３４、セパレータ３５、及び電解質３６は、「貯蔵セル４２」と称される。或る実施形態では、「貯蔵セル」の用語は単に、電解質３６無しの電極３３、３４とセパレータ３５を意味する。
【００５３】
概略、例示のＥＤＬＣは、（単に「ハウジング３７」と称されることがある）円筒包囲ハウジング３７内にパッケージされる巻き形態に関する。プリズム形態などの、他の形態も用いられ得る。ハウジング３７は、密閉シールされ得る。種々の例では、パッケージは、レーザ、超音波、及び／又は溶接技術を利用する技術により、密閉シールされる。（「ケース」とも称される）ハウジング３７は、少なくとも一つのターミナル３８を含む。個々のターミナル３８は、エネルギ貯蔵媒体３１により貯蔵されるエネルギへの電気アクセスを設ける。
【００５４】
或る実施形態では、ハウジング３７は、電解質３６との反応度を最小限にするように選択された少なくとも一つの部材から製作される。例えば、ハウジング３７は、アルミニウムの合金と共にアルミニウムから製作される。或る実施形態では、タンタルなどの他の部材が、少なくとも部分的に（例えば、ターミナル３８として）用いられ得る。
【００５５】
例示のＥＤＬＣでは、エネルギ貯蔵媒体３１は、活性炭、カーボンファイバ、レーヨン、グラフェン、エアロジェル、カーボンクロス、（単一壁、及び／又は、多層などの）カーボンナノチューブ、及び／又は、他のカーボンナノフォームにより提供され得、更に含み得る。活性炭電極は、例えば、炭素化合物の炭化により得られるカーボン部材に第１の活性化処理を実行することによりカーボンベース部材を生成し、バインダを該カーボンベース部材に付加することにより形成体を生成し、該形成体を炭化し、更には炭化した形成体に第１の活性化処理を実行することにより活性炭部材して、製造され得る。
【００５６】
カーボンファイバ電極は、例えば、高表面積炭素ファイバを伴うペーパ若しくはクロスプリフォームを用いることにより、生成され得る。
【００５７】
一つの特定の例では、多層カーボンナノチューブ（ＭＷＮＴ）が、化学蒸着（ＣＶＤ）を用いることにより種々の基板の一つの上で作られ得る。そのように作られたＭＷＮＴは、電極３３、３４で有用である。一つの実施形態では、低圧化学蒸着（ＬＰＣＶＤ）が用いられる。製造プロセスでは、アセチレン、アルゴン、及び水素の気体混合物、並びに、電子ビーム蒸着及び／又はスパッタ蒸着を用いて基板上に蒸着されるイオン触媒を用い得る。
【００５８】
或る実施形態では、エネルギ貯蔵媒体３１を形成するのに用いられる部材が、純粋カーボン以外の部材を含み得る。例えば、バインダを提供するための種々の構造の部材が含まれ得る。しかしながら、概略、エネルギ貯蔵媒体３１は、実質的にカーボンで形成され、従って「炭素質材料」と称される。
【００５９】
端的に言えば、主としてカーボンで形成されていても、エネルギ貯蔵媒体３１は、エネルギ貯蔵媒体３１としての所望の機能を提供するために、どの形態のカーボンも、及び、相応しい若しくは受容可能と思われるどの添加物若しくは不純物を含んでもよい。
【００６０】
電解質３６は、複数のカチオン３９及びアニオン４１の対合を含み、或る実施形態では、溶液を含み得る。夫々の種々の組み合わせが用いられ得る。例示のＥＤＬＣでは、１−（３−シアノプロピル）−３−メチルイミダゾリウム、１，２−ジメチル−３−プロピルイミダゾリウム、１，３−ビス（３−シアノプロピル）イミダゾリウム、１，３−ジエキトシイミダゾリウム、１−ブチル−１−メチルパイパイジニウム、１−ブチル−２，３−ジメチルイミダゾリウム、１−ブチル−３−メチルピロルイジニウム、１−ブチル−４−メチルピリジニウム、１−ブチルピリジニウム、１−デシル−３−メチルイミダゾリウム、１−エチル−３−メチルイミダゾリウム、３−メチル−１−プロピルピリジニウム、及び、適切と思われる他の等価物と共にそれらの組み合わせを、含み得る。
【００６１】
例示のＥＤＬＣでは、アニオン４１は、ビス（トリフルオロメタンスルホン酸）イミド、トリス（トリフルオロメタンスルホン酸）メチド、ジジアンアミド、テトラフルオロホウ酸塩、六フッ化リン酸、トリフルオロメタンスルホン酸、ビス（ペンタフルオロエタンスルホン酸）イミド、チオシアン酸塩、トリフロロ（トリフロロメチル）ホウ酸塩、及び、適切と思われる他の等価物と共にそれらの組み合わせを、含み得る。
【００６２】
溶液は、アセトニトリル、アミド、ベンゾニトリル、ブチロラクトン、環状エーテル、炭酸ジブチル、炭酸ジエチル、ジエチルエーテル、ジメトキシエタン、炭酸ジメチル、ジメチルホルムアミド、ジメチルスルホン、ジオキサン、ジオキソラン、ギ酸エチル、炭酸エチレン、炭酸エチルメチル、ラクトン、直鎖エーテル、ギ酸メチル、プロピオ酸メチル、メチルテトラヒドロフラン、ニトリル、ニトロベンゼン、ニトロメタン、ｎ−メチルピロリドン、炭酸プロピレン、スルホラン、スルホン、テトラヒドロフラン、テトラメチレンスルホン、チオフェン、エチレングリコール、ジエチルグリコール、トリエチルグリコール、ポリエチレングリコール、炭酸エステル、γ−ブチロラクトン、ニトリル、トリシアンヘキサン、それらの組み合わせ、若しくは適切な性能特性を示す他の部材を、含み得る。
【００６３】
ＥＤＬＣが製作されると、リーク電流が殆ど若しくは全く無く、高温適用例で用いられ得る。本明細書に記載のＥＤＬＣは、広汎な温度範囲に亘って効率的に動作可能であり、全体の動作電圧及び温度範囲内では、リーク電圧は、装置の容積の１アンペア／リットルよち小さく、装置の容積に亘って正規化される。この性能に対する一つの鍵は、アセンブリプロセス自身であり、該アセンブリプロセスは、電解質内に電解質の重量及び容積に亘って５００ｐｐｍより小さい水分濃度と１０００ｐｐｍより小さい不純物量とを有する、完成されたＥＤＬＣを生成する。
【００６４】
ある実施形態では、特に、電極３３、３４の各々を構成する炭素質媒体は、真空環境の高温で乾燥される。セパレータ３５は、真空環境の高温で乾燥される。電解質３６は、真空環境の高温で乾燥される。電極３３、３４、セパレータ３５及び電解質３６が真空下で乾燥すると、５０ｐｐｍ以下の待機で最終的なシール若しくはキャップにより、それらはパッケージされる。キャップされないＥＤＬＣは、高温範囲に亘って真空下で乾燥される。この最終の乾燥が完了すると、ＥＤＬＣは、５０ｐｐｍ以下の湿度の大気内でシールされる。
【００６５】
更に、電解質３６内の不純物は最小限に保持される。例えば、ある実施形態では、ハロゲンイオン（塩化物、臭化物、フッ化物、ヨウ化物）の全体濃度は１０００ｐｐｍ以下に保持される。金属種（例えば、Ｂｒ、Ｃｄ、Ｃｏ、Ｃｒ、Ｃｕ、Ｆｅ、Ｋ、Ｌｉ、Ｍｏ、Ｎａ、Ｎｉ、Ｐｂ、Ｚｎ、それらの合金及び酸化物の少なくとも一つを含む）の全体濃度は、１０００ｐｐｍ以下に保持される。更に合成プロセスで用いられる溶液及び前駆体からの不純物は１０００ｐｐｍ以下に保持され、例えば、ブロモエタン、クロロエタン、１−ブロモブタン、１−クロロブタン、１−メチルイミダゾール、エチルアセテート、塩化メチレン等を含み得る。
【００６６】
電解質を純化する技術の一つの例は、「Ｔｈｅ  ｏｘｉｄａｔｉｏｎ  ｏｆ  ａｌｃｏｈｏｌｓ  ｉｎ  ｓｕｂｓｔｉｔｕｔｅｄ  ｉｍｉｄａｚｏｌｉｕｍ  ｉｏｎｉｃ  ｌｉｑｕｉｄｓ  ｕｓｉｎｇ  ｒｕｔｈｅｎｉｕｍ  ｃａｔａｌｙｓｔｓ」Ｆａｒｍｅｒ  ａｎｄ  Ｗｅｌｔｏｎ、Ｔｈｅ  Ｒｏｙａｌ  Ｓｏｃｉｅｔｙ  ｏｆ  Ｃｈｅｍｉｓｔｒｙ、２００２、４、９７−１０２というタイトルの引例（非特許文献１）に開示される。
【００６７】
不純物は、例えば、原子吸光分析装置（ＡＡＳ）、誘導結合プラズマ質量分析法（ＩＣＰＭＳ）、若しくは、タスク特定イオン液体に基づく、簡易可溶化及び電気化学センシング酸化重金属微粒子などの、様々な技術を用いて計測され得る。
【００６８】
ＡＡＳは、気体状態の自由電子による光学的放射（光）の吸収を利用する、化学元素の定性的及び定量的測定のためのスペクトル分析手順である。この技術は、分析すべきサンプル内の特定元素（検体）の濃度を計測するのに用いられる。ＡＡＳは、溶液中の若しくは直接固体サンプル中の、７０の異なる元素に亘って計測するのに用いられる。
【００６９】
ＩＣＭＰＭＳは、１１２（ｐｐｔ）の一部以下の濃度で、金属及び幾つかの非金属の範囲について好感度で計測可能な、一つのタイプの質量分析法である。イオンを分離し検知する方法としての質量分析器により、イオンを生成する方法としての誘導結合プラズマを共に結合することに基づく。ＩＣＰ−ＭＳは、選択のイオン同位体スペシエーションをモニタすることもできる。
【００７０】
電解質の重量及び容積に亘ってＥＤＬＣ内の含水量を５００ｐｐｍより小さく減少させ不純物を１０００ｐｐｍより小さく減少させることによって、ＥＤＬＣは、本明細書に開示の利用に適する広汎な温度範囲に亘って効率的に動作でき、このとき、その温度及び電圧の範囲内ではリットル当たり１０００ｍアンペアより小さいリーク電流（Ｉ／Ｌ）である。
【００７１】
一つの実施形態では、特定の温度におけるリーク電流は、ＥＤＬＣの電圧を定格電圧（即ち、最小定格動作電圧）にて７５時間一定に保持することにより、計測される。この期間、温度は特定の温度にて一定を維持する。計測インターバルの最後に、ＥＤＬＣのリーク電流が計測される。
【００７２】
或る実施形態では、ＥＤＬＣの最大電圧定格は、室温で４℃である。高温での（例えば、２１０℃以上での）ＥＤＬＣのパフォーマンスを保証するアプローチは、ＥＤＬＣの電圧定格の出力レベルを下げること（即ち、減少すること）である。例えば、電圧定格は約０．５Ｖにまで調整可能であり、これにより、より高温での拡張された動作期間が達成され得る。
【００７３】
エネルギ貯蔵３０は、複数の異なる形状因子で具体化され得る（即ち、ある外観を示し得る）。潜在的に有用な形状因子の例は、円筒セル、環状若しくはリング形状セル、平坦角柱セル若しくは、ボックス状セルを含む平坦角柱セルのスタック、及び、湾曲空間などの特定形に合致する形状を有する平坦角柱セルを、含む。円筒形状因子は、円筒ツール、若しくは円筒形状因子内に搭載されるツールと連動して、有用である。環状若しくはリング形状セルは、リング形状である、若しくはリング形状の形状因子内に搭載される、ツールと連動して、最も有用である。特定形に合致する形状を有する平坦角柱セルは、円筒、リング形状、若しくは他のツールと、又は、これらの形状因子内に搭載されるツールと連動して、有用である。
【００７４】
円筒ツール、若しくは、円筒形状因子内に搭載されるツールの例は、掘削装置内部のチャンネルに通常配置されるスティックラインの若しくは回収可能のツールを含む。環状若しくはリング形状のツール、又は、リング形状の形状因子内に搭載されるツールの例は、掘削装置内部の壁若しくはカラー上に配置されるカラー搭載ツールを含む。
【００７５】
パワーシステム１６の或る例示の形態をより詳細に以下にて示す。
【００７６】
概略、パワーシステム１６は、ダウンホール環境で直面し得る深さ及び温度にて動作するように設計され構成される。概略、パワーシステム１６は、サーベイコンポーネント１５及びダウンホール電子機器１３の少なくとも一つにエネルギを供給する。更にパワーシステム１６は、ロギング器具１０内にある、若しくはウエルボア１沿いのロギング器具１０に付随する、パワーシステム１６が供給し得るエネルギを要求する、コンポーネントに、エネルギを供給し得る。
【００７７】
先ず、エネルギ貯蔵３０は、初期電荷を放電でき、遠隔電源により再充電され得ることに留意されたい。例示の遠隔電源は、ワイヤライン８、再充電可能バッテリ、非再充電可能バッテリ、及びダウンホールジェネレータのうちの少なくとも一つにより、並びにそれらの組み合わせにより提供される電力を含む。或る実施形態では、ダウンホール電源は通常近接してエネルギ貯蔵３０に連結するバッテリを含むが、該バッテリはロギング器具１０に呈される深さ及び温度に耐えるものでもなければならない。ダウンホールジェネレータはロギング器具１０に呈される深さ及び温度に耐えるものでなければならない。概略、ジェネレータは、電力を生成するための、泥の流れなどの原動力、若しくは振動を利用する。
【００７８】
例示のロギング器具１０は、地熱資源開発、又は石油若しくはガス探査に利用される種々のツール及びコンポーネントを含み得、掘削中検層（ＬＷＤ）ツール、掘削中計測（ＭＷＤ）ツール、ワイヤラインツール、生産ツールなどを含み得る。これらのツールの例は、コアリングツール、シャットインツール、ＮＭＲツール、ＥＭテレメトリツール、泥パルサテレメトリツール、抵抗計測ツール、ガンマ検知ツール、圧力センサツール、音響センサツール、地震探査ツール、原子核ツール、パルス中性子ツール、層サンプリングツール、誘導ツールなどを含む。
【００７９】
更に、種々のコンポーネントがそれらツールに含まれ得ることが知られている。コンポーネントは、電力を消費して所望の機能を提供する。これらのコンポーネントに関する、限定されない例は、電子回路、変圧器、増幅器、サーボ、プロセッサ、データストレージ、（「ソフトウエア」と称される）機械可読媒体上に又は内に格納される機械実行可能命令、ポンプ、モータ、（熱同調センサ、光学センサなどの）センサ、トランスデューサ、光ファイバ、光源、シンチレータ、パルサ、油圧アクチュエータ、アンテナ、シングルチャネル及び／又はマルチチャネルアナライザ、放射線検出器、加速度計、磁力計などを含む。
【００８０】
端的に言えば、ロギング器具１０を支持して及び／又はロギング器具１０の一部として配備され得る器具、並びに、電力を幾分消費する、若しくは電力を幾分消費するコンポーネントにより駆動される器具は、パワーシステム１６及び付随のエネルギ貯蔵３０の利用によって益を得る。
【００８１】
更に、ロギング器具１０は、システムユーザ、デザイナ及び／又はオペレータによって適切と考えられる、あらゆるタイプの充電用遠隔電源とのインターフェースを、含み得る、又は有し得る。例では、遠隔電力供給に連結される低電力ワイヤライン、又は、適当と思われるもの（例えば、システムデザイナが指示するもの）を含む。他の実施形態では、泥駆動ジェネレータ若しくは交流発電機などの、オンボード発電機とパワーシステム１６を連結することが要求される。種々のダウンホールツールについての選択された記載が、評価のため以下含まれる。
【００８２】
コアリングツールは通常、ダウンホール環境内の、岩若しくは他の形成材料のサンプルを抽出するように設計されている。その例は、ロータリコアリングツール、掘削コアリングツール、側壁コアリングツールなどである。これらのツールは通常、標準的なダウンホール電源（バッテリ、ジェネレータ、ワイヤライン）から容易には取得できない、瞬間的電力量を要求することがあるモータを含む。ダウンホールのコアリングツールに取得される可能性がある電力は、コアリングの速度、及び／又は、抽出され得るコアリング部材の量に影響し得る。
【００８３】
シャットインツールは、同じ分離されたエリア内で、他の計測ツールにより行われる計測の忠実度を向上させるために、ダウンホールのエリアを分離するのに用いられ得る。シャットインツールは、流体のフローを停止し若しくは制御し得る。その流体のフローは、そうしなければダウンホール掘削オペレーションの間に流れ得るものである。シャットインツールは通常、高出力パルスを要求するモータを含む。シャットインツールに取得され得る電力量は、シャットインツールが流体のフローを停止し得る速度を決定する。
【００８４】
ＮＭＲ（核磁気共鳴）ツールは、掘削されるホールの周りの岩若しくは他の層内の炭化水素若しくは他の内容物を判定するのに用いられ得る。ＮＭＲツールは通常、１秒以下の速い、１ｋＷ以上の非常に高パワーの、動作のためのパワーパルスを要求する。ＮＭＲツールに取得され得る電力は、層の顕著な特性を計測するためのツールの効率性に影響を与え得る。
【００８５】
ＥＭ（電磁気）テレメトリツールは、伝搬電磁放射を用いて、地下適用エリアから地表へデータを伝送するのに用いられ得る。ＥＭテレメトリツールは、上記適用深さに匹敵する距離で、岩若しくは層を介する有用な伝送を達成するために、高パワーパルスを要求し得る。ＥＭテレメトリツールに取得され得る電力は、地表への伝送のために達成され得る範囲及びデータ転送速度に影響を与え得る。
【００８６】
泥パルサテレメトリツールは、掘削ホール内を通常流れる流体（「泥」）内の伝播圧力パルスを用いて、地下適用エリアから地表へデータを伝送するのに用いられ得る。泥パルサテレメトリツールは、泥内で必要な圧力振動を生成するためにパルスパワーを要求し得る。泥パルサテレメトリツールに取得され得る電力は、達成され得る信号忠実度に影響を与え得る。
【００８７】
抵抗ツールは、掘削ホール周りの岩若しくは層の電気抵抗を計測する。重要なことであるが、炭化水素の抵抗は、掘削ホール近くにある通常の岩及び他の部材の抵抗と、計測上異なる。抵抗ツールは、多数の方法により電気抵抗を計測できる。一つの方法は、ツール自身上の二つの物理的に分離したポイント間で差異ポテンシャルを適用することである。一つのポイントから他のポイントへ流れる電流は、ツール周りの層の抵抗を示す。抵抗ツールに取得され得る電力は、達成され得る抵抗計測の忠実度若しくは範囲に影響を与え得る。
【００８８】
再充電可能エネルギ貯蔵３０を含むパワーシステム１６の実施形態が、図５に示される。この例示の実施形態では、第１のサブシステム５２は、電流制限電子回路及びバッテリ調整電子回路を含む。エネルギ貯蔵３０の高パワー能力により、パワーシステム１６は、短期間の電流のバーストをロギング器具１０に備えさせ得る。一方で、（本明細書で「ソース」とも称する）外部エネルギ供給５１は、比較的小さいが一定である電流のみ供給するものでもよい。従って、第１のサブシステム５２の一つの機能は、個々のバーストの間に外部エネルギ供給５１から引き出される電流を制限することである。すなわち、パワーシステム１６が、エネルギ貯蔵３０からロギング器具１０へ大電流を供給するインターバルの間、である。この機能は、外部エネルギ供給５１がバッテリ技術に依存しいているときは、特に重大である。すなわち、ダウンホールオペレーションのために設計される通常のバッテリ技術は、制限された電流処理能力を有するものであり、大電流がそれらから要求されると壊滅的に機能しなくなり得る。従って、第１のサブシステム５２は、外部エネルギ供給５１から引き出される電流を制限するように構成され得る。更に、バッテリ技術は、例えば、使用に先立ちバッテリ電極をデパッシブするという調整を要求し得るので、第１のサブシステム５２は、バッテリの電極をデパッシブするのに必要なバッテリターミナル条件（電流及び電圧）を確立するように構成され得る。
【００８９】
第１のサブシステム５２及び第２のサブシステム５３は、第１のサブシステムコントローラ５５及び第２のサブシステムコントローラ５６に、夫々制御され得る。第１のサブシステムコントローラ５５及び第２のサブシステムコントローラ５６は、（「コントローラ」５８とも称され得る）コントロール回路５８の少なくとも一部を形成するように組み合され得る。
【００９０】
複数のセルを含み得る、化学バッテリは、それらの実効インピーダンスを減少させ、動作電流がバッテリ出力電圧の過剰な低下を生じないようにするべく、使用に先立ちデパッシブさせる必要があり得る。デパッシベーションは、多数の方法のうちの一つで完遂され得る。一つの例示の方法は、短期間セルから一定の負荷電流を引き出すことを要求する。例示の電流は、セルごとに１０ｍＡから数アンペアまでの範囲となり得、例示のデパッシブタイムは、数秒から数日までの範囲となり得る。電流レベルはデパッシブ手順の間、変化し、パルス化し、若しくは他のものとなり得るのであり、例えば、バッテリは３日間セルごとに４ｍＡでロードされ、３０分間セルごとに１５０ｍＡでロードされ得る。
【００９１】
第１のサブシステム５２は、デパッシベーションのために必要なバッテリからの電流引き込みを供給すべく、コントロールされ得る。第１のサブシステム５２は、デパッシベーションのための必要分を決定する計測装置を組み込んでもよい。自動デパッシベーションのためのコンポーネントを含む例示の実装を以下に示す。（図示しない）電圧及び／又は電流センサは、外部エネルギ供給５１と第１のサブシステム５２との間に配置され得る。第１のサブシステム５２は、バッテリから所定の電流、例えば、１００ｍＡを引き出す、コントロール回路５８若しくは（図示しない）独立のコントロール回路により、制御され得る。所定の電流負荷下で外部エネルギ供給５１により呈される結果としての電圧が、所定の時間（例えば、１００ｍ秒）の範囲内で（バッテリ内部のパッシベーション条件を示すために、先験的に決定され得る）所定の電圧閾値を下回るならば、デパッシベーションが要求され他は要求されない、と第１のサブシステム５２は判定し得る。例として、２６Ｖは、８セルの適度の定格の塩化チオニールリチウムバッテリパックのための共通閾値である。第１のサブシステム５２が、デパッシベーションが要求されると判定すれば、デパッシベーションのために上記例示の所定の電流を引き出すようにコントロールされ得る。
【００９２】
バッテリは、負荷電流をデパッシベートしバッテリ電圧が所定の値に上昇するまでモニタすることにより、概略実効的にデパッシベートされる。一つの例では、バッテリから約１００ｍＡを引き出す間に２８Ｖの適度の定格のバッテリ電圧が２６Ｖよりも下がるならば、バッテリデパッシベートが判定される。判定されれば、バッテリ電圧が２６Ｖよりも上がるまで約２００ｍＡを引き出すことにより、バッテリは通常デパッシベートされる。このように自動デパッシベーションはソースから約１００ｍＡを引き出して電圧をモニタする。２０Ｖバッテリに対して電圧が２７Ｖよりも下がれば、システムはバッテリから２００ｍＡを引き出して電圧をモニタし得る。例えば、パワーシステム１６が２６Ｖより大きいバッテリ電圧を計測すると、デパッシベーションは停止し得る。
【００９３】
バッテリからのデパッシベーション電流は、第１のサブシステム５２のアウトプットターミナルにおいて、エネルギ貯蔵３０に向けられ得る対応する電流を生成し得、この場合エネルギ貯蔵３０はデパッシベーションの間にチャージ（充電）されることとなる。エネルギ貯蔵３０が電流をチャージする必要があるときこの方法は有用となり得る。電流は、ダミー抵抗若しくはツエナーダイオード、若しくは（図示しない）これらの組み合わせ、又は代替手段としての類似物にも向けられ得る。電圧が既に、エネルギ貯蔵３０の定格電圧に若しくはその近傍にあるときに、これらの代替物は有用となり得る。
【００９４】
図６に示すように、第１のサブシステム５２の例示の実施形態は、第１のスイッチングデバイス６１、及び第２のスイッチングデバイス更にはフィルタインダクタ６３を含む。外部エネルギ供給５１は、第１のサブシステム５２に及びエネルギ貯蔵３０に（例えば、高温ウルトラキャパシタに）連結し得る。第１のスイッチングデバイス６１及び第２のスイッチングデバイス６２の作用は、前述の電流制限及びバッテリ調整特性に到達するように制御され得る。とりわけ、補完関係で動作する第１のスイッチングデバイス６１と第２のスイッチングデバイス６２の相対的オンタイム（デューティ比）は、変換比率及び電流のフローを調整するのに用いられ得る。エネルギ貯蔵３０の電圧と比較して外部エネルギ供給５１が値としてより大きいとき図６に示す例示の第１のサブシステム５２は有用であり得る。電流制限若しくは調整は、（図示しない）フィードバックコントロールシステムによって達成され得る。
【００９５】
第２のサブシステム５３の例示の実施形態は、ツールの要件に依存して、ＤＣ−ＤＣ、若しくはＤＣ−ＡＣのパワーコンバータを含む。第２のサブシステム５３の機能は、ロギング器具１０に供給される電圧若しくは電流を調整すべきものであってよい。エネルギ貯蔵３０の容量性により、ウルトラキャパシタがインプラントされると、エネルギ貯蔵３０からチャージが引き出される際、概略線形状に電圧が減少し得る。第２のサブシステム５３の機能は、エネルギ貯蔵３０により示される種々の電圧に拘わらず、ロギング器具１０に供給される電圧若しくは電流を調整すべきものであってもよい。（図示しない）フィードバックコントロールシステムにより、電圧制限若しくは調整が達成され得る。
【００９６】
図７に示すように、第２のサブシステム５３の例示の実施形態は、第２のスイッチングデバイス６１，第２のスイッチングデバイス６２、更にはフィルタインダクタ６３に関する個々の形態を含む。ロギング器具１０は、第２のサブシステム５３に及びエネルギ貯蔵３０に連結し得る。第１のスイッチングデバイス６１及び第２のスイッチングデバイス６２の個々の形態の作用は、前述の所望の電流若しくは電圧調整特性を達成するように制御され得る。とりわけ、第１のスイッチングデバイス６１と第２のスイッチングデバイス６２の個々の形態に関する相対的オンタイムのデューティ比は、変換比率及び電流のフロー若しくは呈される電圧を調整するのに用いられ得る。エネルギ貯蔵３０の電圧と比較して要求される電圧が値としてより大きいとき図７に示す例示の第２のサブシステム５３は有用であり得る。電流制限若しくは調整は、（図示しない）フィードバックコントロールシステムによって達成され得る。
【００９７】
図８に示すように、第１のサブシステム５２及び第２のサブシステム５３は、共に連結し、エネルギ貯蔵３０にも連結してパワーシステム１６の実施形態を提供する。この形態では、エネルギ貯蔵３０のターミナル電圧が両方（第１のサブシステム５２及び第２のサブシステム５３）よりも値としてより小さい限り、ロギング器具１０のターミナル電圧と比較して外部エネルギ供給５１のターミナル電圧が値としてより大きくてもより小さくても、例示のパワーシステム１６は特に有用である。
【００９８】
或る実施形態では、パワーシステム１６は、低スタンバイ電力消費のために構成されてもよい。この特性は、電力が乏しい遠隔の厳しい環境で有益である。コントロール回路５８内に、ローパワー若しくはマイクロパワーゲート（登録商標）ドライブ回路及びコントロール電子回路を組み込むことにより、低スタンバイ電力消費が達成され得る。更に、特に（更に以下に記載する）パワーシステム１６のためのスリープステートを組み込むことにより、全体のスタンバイ電力消費が減少し得る。或る実施形態では、低スタンバイ電力状態は、負荷若しくはロギング器具１０に電力を供給するパワープロセスのために、又は、回路のサブセットのみを要求する利用例のために、要求される回路のみの動作への回路のパワーダウンにより、特徴付けられる。ロギング器具１０がパワー（アクティブ）をいつ要求していないか、若しくは、エネルギ貯蔵３０がいつ電流を再充電する必要がないか、判定するために、検知回路が組み込まれてもよい。
【００９９】
或る実施形態では、（図示しない）電流センサが、第１のサブシステム５２とエネルギ貯蔵３０との間の相互接続上に配置され得る。電流センサは、エネルギ貯蔵３０からの電流引き込みを計測し得る。電流引き込みが或る閾値を下回るとき、（コントロール回路５８内部に含まれるロジックなどの）ロジックコントロール回路は、第１のサブシステムコントローラ５５の大部分をパワーダウンし得る。スリープステートでは、コントロール回路５８は、間欠的に、しかし場合によってはエネルギ貯蔵３０により要求される過渡電流よりもずっと速いタームスケールで、第１のサブシステム５２を起こし、更には、エネルギ貯蔵３０が再充電する必要があるかどうか判定する電流センサをポーリングし得る。
【０１００】
別の例として、第２のサブシステム５３とロギング器具１０の間の相互接続上に、独立の電流センサが配置されてもよい。この後者の電流センサは、ロギング器具１０による電流引き込みを計測するのに用いられ得る。その電流引き込みが或る閾値を下回ると、コントロール回路５８内部に有り得るロジックコントロール回路は、第２のサブシステムコントローラ５６の大部分をパワーダウンし得る。スリープステートでは、コントロール回路５８は、間欠的に、しかし場合によってはロギング器具１０により要求される過渡電流よりもずっと速いタームスケールで、第２のサブシステム５３を起こし、更には、ロギング器具１０がアクティブであるかどうか判定する電流センサをポーリングし得る。
【０１０１】
エネルギ貯蔵３０は多数の種々のフォームを示し得るので、エネルギ貯蔵３０はロギング器具１０内に統合するように構成され得る。例えば、ロギング器具１０は、環状形状ウルトラキャパシタなどの、環状形状エネルギ貯蔵３０を含んでもよい。この実施形態において、限定しない例により、エネルギ貯蔵３０は、掘削ストリング１１内で泥チャネル若しくは他の器具を囲んでもよい。エネルギ貯蔵３０は、セグメント化されてもよく、別途、フォーム要求を収容するように分割されてもよく、ユーザの必要のために適宜直列で若しくは並列で連結されてもよい。
【０１０２】
或る実施形態では、自動バイパスがパワーシステム１６内に含まれてもよい。即ち、フェールセーフ特性から、多数の利用例が利益を得ることができる。「バイパス」特性は、第１のサブシステム５２、エネルギ貯蔵３０、第２のサブシステム５３若しくはコントロール回路５８、又は他の重要なコンポーネントなどの、パワーシステム１６のコンポーネントのいずれかが適切に動作しないとき、有用である。その場合、外部エネルギ供給５１をロギング器具１０に直接接続して機能不全のコンポーネントにも拘わらず外部エネルギ供給５１が尚エネルギを供給できるようにすることが、有益である。ある実施形態では、バイパス特性は、重要コンポーネントの機能不全状態を自動的に判定し、外部エネルギ供給５１からロギング器具１０に別途の電流経路を供給する。バイパス特性は、機能不全のコンポーネントの発生の際有用であり、コンポーネントにおける固有の不確定さのために、或る実施形態では、バイパス特性は、自動動作を提供してもよい。即ち、バイパスを受け得る個々の重要コンポーネントの適切な機能性により、バイパス特性が無効となる、というデザインであってもよい。コンポーネントがハイレベルのショックや振動を被るような、ある実施形態では、等価の電気機械スイッチ、リレーなどよりも、環境においてよりロバストである固体デバイスにより、バイパス特性が実装されてもよい。
【０１０３】
接合型電界効果トランジスタ（ＪＦＥＴ）と称される半導体装置である、一つの例の固体デバイスは、固体自動バイパス特性を実装するのに特に有用である。ＪＦＥＴは、通常、夫々ゲート、ドレーン、及びソースと称される少なくとも三つのターミナルを有するデバイスであり、「ノーマルオン」であるということは、コントロール電圧がＪＦＥＴのゲートとソースの間に課せられない限りデバイスが適度に電流を通すということを意味する。自動バイパスのためにＪＦＥＴを利用する例示の方法は、ＪＦＥＴのドレーンを外部エネルギ供給５１の高電位アウトプットターミナルに接続し、ＪＦＥＴのソースをロギング器具１０の高電位アウトプットターミナルに接続する。更なる機能が、コントロール回路５８内に、若しくは（図示しない）独立のコントロール回路内に含まれてもよい。機能は、ＪＦＥＴをターンオフするのに有用な、ゲート−ソース電圧を導出するものでもよい。ゲート−ソースドライブ電圧は、全ての重要なコンポーネントの適切な機能性を呈する回路内部の電圧若しくは信号から、導出されてもよい。そのような信号若しくはそのような信号の集合体の多くは、電圧若しくは電流又はその他のものの計測装置による計測から、導出され得る。パワーシステム１６の適切な機能性を示すのに特に有用な一つの例示の信号は、エネルギ貯蔵３０のターミナル電圧である。例えば、エネルギ貯蔵３０が有用な電圧閾値を下回るならば、このことは、第１のサブシステム５２の機能不全と見なされ、外部エネルギ供給５１からの充電電流の損失を示す。この状況は、ロギング器具１０へのエネルギ貯蔵３０の過剰な放電を示す、第２のサブシステム５３の機能不全とも見なされ得る。これらの状況の何れも、コントロール回路５８の機能不全を間接的に示し、この例示の信号はシステムコンポーネントの適切な機能性を判定するのに十分であることもある。その信号は、ＪＦＥＴのゲート−ソース電圧を直接に駆動するのに、即ち実際上直接に駆動するのに有用であり、所与の閾値を下回るとき、ＪＦＥＴは自動的に非駆動状態、即ち、適切な電流をＪＦＥＴのドレーンからＪＦＥＴのソースターミナルへ流す状態に、戻る。
【０１０４】
更なる実施形態では、電流制限特性を含んでもよい。バッテリターミナルの不足電圧、バッテリの内部コンポーネントのダメージ、バッテリのオーバーヒート、過剰な速さの放電、バッテリの促進老化若しくはパッシベーション、バッテリの突発故障等を回避するための、電流制限を、化学バッテリ若しくは他のパワーソースが要求することを、考察する。安全な電流制限は、多数の方法でパワーシステム１６内に実装され得る。本明細書に記載の安全な電流制限を実装する二つの例示の方法は、単独でも組み合わせでも用いられ得る。
【０１０５】
第１の方法は、図５〜図８に示す回路のようなコントロール回路を用いる。例えば、コントロール回路５８は、電流センサから電源電流の計測を導出し、第１のサブシステム５２内の電力変換により達成される電圧及び電流の変換比の状態情報を導出し得る。外部エネルギ供給５１と第１のサブシステム５２との間に配置され得る電流センサからの電源電流の計測を導出し得る。
【０１０６】
第１のサブシステム５２は、例えば、補完関係で動作する第１のスイッチングデバイス６１と第２のスイッチングデバイス６２の相対的オンタイム（デューティ比）を調整し、電流のフローを調整し予め定められた値若しくは別途定められた値に制限することにより、コントロールされ得る。
【０１０７】
図９を参照して、パワーシステム１６の別の実施形態が示される。図９に示す例示の形態では、コントローラ４５は、選択対象の選択モジュール９９と電気通信し得る。概略、コントローラ４５は、電子マネージメントシステム（ＥＭＳ）９１回路を介してエネルギ貯蔵３０と通信し制御する。電子マネージメントシステム（ＥＭＳ）９１回路は、個々の電子回路モジュール９３を含み得る少なくとも一つのスーパーバイザ９２と、通信し得る（、若しくは或る実施形態では、ＥＭＳ９１内部に含まれ得る）。選択対象の選択モジュール９９は、複数のスーパーバイザ９２階をも含み、それらの各々は、個々の電子回路モジュール９３も含み得る。概略、電子マネージメントシステム（ＥＭＳ）９１は、内部バス９５を介して、スーパーバイザ９２の各々と電気通信する。
【０１０８】
慣例的事項として、内部バス９５は、パワーシステム１６内部でエネルギを、更にはコントロール信号なども伝える。従って、内部バス９５は、複数の導体、並びに（光学ファイバなどの）非導体素子などを含み得る。よって、内部バス９５の提示は意図的に単純なものであると考えられるべきであり、パワーシステム１６内部の内部通信の制限と考えるべきである。
【０１０９】
概略、電力は、少なくとも一つの外部エネルギ供給５１からパワーシステム１６に供給される。外部エネルギの例示のソースは、少なくとも一つのバッテリ、（ワイヤライン８などを介した）遠隔パワーソース、及び少なくとも一つのジェネレータを含む。ある実施形態では、電子マネージメントシステム（ＥＭＳ）９１は、外部エネルギ供給５１からエネルギを受け、エネルギ貯蔵３０内にそのエネルギを貯蔵する。概略、電子マネージメントシステム（ＥＭＳ）９１は、種々のタイプのエネルギ貯蔵３０の充電及び放電を管理するように構成される。例えば、電子マネージメントシステム（ＥＭＳ）９１は、少なくとも一つのタイプのバッテリと共に、ウルトラキャパシタの充電及び放電を管理するように構成されてもよい。電子マネージメントシステム（ＥＭＳ）９１は、エネルギ貯蔵３０を利用し種々のエネルギフォームを提供し得る。例えば、ウエルボア１沿いで従前利用可能なものより高いパワーのパルスが、従前の外部エネルギ供給５１から提供されてもよい。一つの例示の実施形態に対する電気特性が、以下の表１に示される。勿論これらの特性は、設計及び／若しくはスケール、又は他のそのようなパラメータでの変更により調整されてもよい。
【０１１０】
前記少なくとも一つのジェネレータは、種々の技術のうちのどの一つ以上に基づくものであってもよい。例示のジェネレータは、（例えば、タービンなどの）フロー駆動ジェネレータ、サーモボルタイックジェネレータなどとして分類され得るジェネレータを含む。
【０１１１】
図９の実施形態などの一つの実施形態では、パワーシステム１６内に含まれる電子回路は、デジタルロジックを用いて少なくとも部分的に実装され得る。例えば、電子マネージメントシステム（ＥＭＳ）９１回路は、デジタ回路を含み得る。ＥＭＳ９１のためのデジタル回路の一つの例は、Ｃｈａｎｄｌａｒ  ＡＺのＭｉｃｒｏｃｈｉｐ  Ｔｅｃｈｎｏｌｏｇｙ  Ｉｎｃ．から入手可能な、マイクロプロセッサ・モデルＰＩＣ１８Ｆ４６８０である。ＥＭＳ９１は、デジタルプロトコルを用いて複数のスーパーバイザ９２と通信し得る。スーパーバイザ９２の各々は、デジタル回路を含み得る。スーパーバイザ９２のためのデジタル回路の一つの例は、Ｃｈａｎｄｌａｒ  ＡＺのＭｉｃｒｏｃｈｉｐ  Ｔｅｃｈｎｏｌｏｇｙ  Ｉｎｃ．から入手可能な、マイクロプロセッサ・モデルＰＩＣ１２Ｆ６１５である。概略、スーパーバイザ９２の各々は、データバス９４を越えてデータを受ける。スーパーバイザ９２の個々の一つのための命令が受けられると、個々のスーパーバイザ９２（Ａ−ｎ）は、割り当てられた機能を実行する。例えば、スーパーバイザ９２Ａは、ＥＭＳ９１から命令を受けて内部バッテリから電力を引き出す。スーパーバイザ９２Ａは、個々の電子回路モジュール９３（この場合、電子回路モジュール９３Ａ）に命令し、エネルギ貯蔵３０内に含まれる内部バッテリを利用する。この例では、電子回路モジュール９３Ａは、パワーコンバータ及び適切なスイッチングを含む。
【０１１２】
選択モジュール９９は、コントローラ４５内に含まれ得る（加えてコントローラ４５に対してはそこから物理的に分離する）。概略、選択モジュール９９は、効率的なエネルギマネージメントに有益であり及び／又はユーザに有益な情報を提供するコンポーネントを含む。或る実施形態では、選択モジュール９９の個々の選択は、個々のスーパーバイザ９２ｎ及び電子回路モジュール９３ｎを含む。これらの実施形態では、スーパーバイザ９２の各々は、デジタル回路を含み得る。スーパーバイザ９２のためのデジタル回路の一つの例は、Ｃｈａｎｄｌａｒ  ＡＺのＭｉｃｒｏｃｈｉｐ  Ｔｅｃｈｎｏｌｏｇｙ  Ｉｎｃ．から入手可能な、マイクロプロセッサ・モデルＰＩＣ１２Ｆ６１５である。概略、スーパーバイザ９２の各々は、データバス９４を越えて、電子マネージメントシステム（ＥＭＳ）９１と共有し得るデータを受ける。スーパーバイザ９２個々の一つのための命令が受けられると、個々のスーパーバイザ９２（Ａ−ｎ）は、割り当てられた機能を実行する。例えば、スーパーバイザ９２Ｄは、ＥＭＳ９１から温度読み出しのための命令を受け得る。スーパーバイザ９２Ｄは、個々の電子回路モジュール９３（この場合、パワー電子回路モジュール９３Ｄ）に命令し、例えば、抵抗素子からの温度を確認する。別の例として、ＥＭＳ９１は、スーパーバイザ９２Ｃに命令しデータを貯蔵させる。従って、個々のスーパーバイザ９２Ｃは、個々の電子回路モジュール９３Ｃにデータ、ロギング命令などを供給する。
【０１１３】
電子回路モジュール９３ｎの各々は、意図した機能を実行するための適宜のデバイスを含み得る。例えば、少なくとも一つのパワーコンバータが含まれてもよく、更には、集積回路、ＩＣチップ、マイクロコントローラ、キャパシタ、レジスタ、インダクタ、並びに、他の類似のコンポーネント及びコンポーネントの組み合わせが含まれてもよい。
【０１１４】
カスタマイズ化されモジュール化されたユニットとして、選択モジュール９９が製作され提供されてもよい。即ち、個々の選択モジュール９９は、共通の通信プロトコルを利用しつつ、念頭の機能により構築され得る。
【０１１５】
コントローラ４５は、外部通信バス９７へのインターフェースを含み得る。外部通信バス（ＥＣＢ）９７は、オンボードの他のツーリングとの通信のために構成され、若しくは、ロギング器具１０と通信し得る。例示の他のツーリングは、泥パルサ、他のマイクロコントローラ、デジタル及び／又はアナログ回路などを含む。ＥＣＢ９７は、独自のプロトコルを用いてもよく、商業的に利用可能なプロトコルを用いてもよい。ＥＣＢ９７を用いて、ユーザは、例えば、トップサイド器具７からＥＭＳ９１に少なくとも一つのコマンドを送る。その少なくとも一つのコマンドは、例えば、電圧の変更、オプションの作動、貯蔵データの読み出しなどを要請するものであればよい。ＥＣＢ９７は、トップサイド器具７へのルーテインデータロギングの通信などの、周期的通信も提供し得る。
【０１１６】
概略、選択特性を、及び特にそれらの電気的形態を議論するに先立ち、実施形態は限定的で無く例示に過ぎないことに留意すべきである。例えば、コンポーネント及び／又は特性は、パワーシステム１６内部にて動かせ得る（即ち様々に関連させ得る）のであり、コンポーネント及び／又は特性の一部は、パワーシステム１６の外部に設けられてもよい。本明細書に記載の種々の特性の形態の組み合わせの幾つかは、他の形式で実現されてもよく、又は、本明細書に記載していない他の機能を示すものであってもよい。本明細書に記載の特性の形態の幾つかは省かれてもよく、特性の他の形態は本明細書に示されない技術により補完されてもよい。本明細書に記載される概観は、パワーシステム１６の技術及び機能の抽出として示され、従ってパワーシステム１６の形態の例示に過ぎないことにも、流されるべきである。即ち、例えば、パワーシステム１６の形態、及び、その特性、コンポーネント及び機能に関する、図面及び関連する議論は、限定的でない関係及び機能を示すに過ぎず、電気回路図などと見なされるものではない。
【０１１７】
種々の、更なるコンポーネント及び特性は、選択オプション９９内に含まれる。（本明細書には示していない）更なるコンポーネントの例は、ジャイロスコープ、温度センサ、振動センサ及び計測デバイス、ショックセンサ及び計測デバイス、フローセンサ及び計測デバイス、電流センサ及び計測デバイス、少なくとも一つのプログラマブルインターフェース及び回路、複数のカスタマイズソリューションの一つ若しくはそれ以上（そのうち幾つかは以下に示す）などを、含むものであり、これらに限定されない。これらの及び他のコンポーネントは、とりわけ、データロギング、データ伝送、電圧の計測及び／又は制御、電電流の計測及び／又は制御、更には、温度、ショック、振動、フロー、方向、軌道のモニタリングなどを提供し得る。ある実施形態では、更なるコンポーネントが（図示しない）更なるモジュールに設けられ、該更なるモジュールは、例えば、コモンバスを介して、パワーシステム１６に連結され得る。モジュールは、例えば、コントローラ４５とインターフェースとの間に配置され得る。
【０１１８】
概略、本明細書に開示のパワーシステム１６は、ダウンホールが直面する厳しい環境内での動作のために調整される。例えば、全体としてのエネルギ貯蔵３０及びパワーシステム１６は、ある実施形態では、（パワーシステム１６は−４０℃までの温度での動作のために構成され得るが）大気温度上側から、約１７５℃までの若しくは約２００℃までの温度範囲での動作のために調整される。或る実施形態では、エネルギ貯蔵３０は、約２５０℃までの温度での動作のために調整される。
【０１１９】
更なる電気的機能、及びこれら機能の実装の形態が以下示される。概略、例示のみとして、これらの特性は、夫々のスーパーバイザ９２及び電子回路モジュール９３への（即ち、これらにより制御される）従属物として実装され得る。これらの特性は図９の内容に示されるが、これらの特性は、本明細書に示す実施形態により実現することに限定されない。
【０１２０】
パワーシステム１６内に含まれ得る例示の更なる機能は、とりわけ、電圧シミュレーション、充電状態のモニタリング、切替コントロール、アウトプット電圧最適化、デュアルモードコントロール、温度プロテクション、スリープモード、メモリロギング、コンポーネントバイパス、及び調整電圧制御を、含む。これらの更なる特性は相互に排他的では無いことに留意すべきである。即ち、少なくとも一つの更なる特性は所与の機会に用いられ得ることが予想され、その更なる特性の実装は、他の特性の動作と対立するものでは無い。これらの更なる形態及び機能のうちいくつかを以下に示す。
【０１２１】
パワーシステム１６内に含まれ得る種々の特性の第１のものは、電圧シミュレーションに関するものである。例えば、電圧シミュレータが、選択モジュール９９内部にオプションとして含まれてもよい（。又は、別途パワーシステム１６内に組み込まれてもよく、この場合には選択モジュール９９が採用されない）。概略、電圧シミュレータは、別のタイプのエネルギ供給の電気的特性をシミュレートする（即ち、「模倣する」）。
【０１２２】
図１０を参照すると、主要パワーシステム（ＰＰＳ）８５を含むシミュレータ８０の例が示される。主要パワーシステム８５は、負荷及びソースに連結するものとして示される。ソースは、例えば、ウルトラキャパシタなどのエネルギ貯蔵３０であればよい。負荷は、エネルギに対する要求を示すどんな器具であってもよい。負荷の例は、ポンプ、モータなど、更には、センサなどの電子回路、コンピュータコンポーネントなどを含むが、これらに限定されない。負荷は、ロギング器具１０などの他のツーリング内部に配置され得る。
【０１２３】
主要パワーシステム８５のこの例示の実施形態では、パワーコンバータ８１、フィードバックコントローラ８２及びシミュレータマップ８４が含まれる。概略、主要パワーシステム８５内で用いられるコンポーネントは、パワーコントロールシステムの分野で周知である。パワーコンバータ８１、フィードバックコントローラ８２及びシミュレータマップ８４の各々は、以下でより詳細に記載する。概略、パワーコンバータ８１は、ソースからのパワーを受け、該パワーを変換する。変換はフィードバックコントローラ８２により制御されるのであり、該フィードバックコントローラ８２は、シミュレータマップ８４によってパワーコンバータ８１のアウトプット信号を制御する。
【０１２４】
図１１は、バッテリシミュレータ８０を含む或る例示のシステム構成を示す。図１１Ａは、バッテリシミュレータ８０のアウトプットと別のソース間の並列接続の形態を表す。図１１Ｂは、バッテリシミュレータ８０のアウトプットと別のソース間の直列接続の形態を表す。オプションのパワーコンバータ（第２のパワーコンバータ８１Ｂと第３のパワーコンバータ８１Ｃ）が含まれ得る。オプションのパワーコンバータ８１Ｂ、８１Ｃは、例えば、バッテリシミュレータ８０のアウトプットと更なるソース若しくは負荷を調和させるべく、含まれ得る。他の組み合わせも可能である。例えば、複数のバッテリシミュレータ８０が連結され、多数の二次的ソースが連結され、並列及び直列構成の組み合わせが実現される。端的には、種々の構成が実現可能であり、概略、必要に応じて多数のソース、負荷、パワーコンバータなどを含み得る。
【０１２５】
パワーコンバータ８１（Ａ、Ｂ、Ｃ、．．．ｎ）の各々は、概略、どんなトポロジであってもよい。例は、「バック」、「ブースト」、「バック−ブースト」、「フライバック」、「フォワード」、「スイッチドキャパシタ」と通常称されるコンバータ、及び他の分離したバージョンの非分離コンバータ（例えば、Ｃｕｋ、バック−ブーストなど）、更にはそのようなコンバータのカスケード（例えば、バック＋ブースト）を含むが、これらに限定されない。
【０１２６】
或る実施形態では、パワーコンバータ８１（Ａ、Ｂ、Ｃ、．．．ｎ）の各々は、特に、ソース若しくは少なくとも一つの更なるソースが再充電可能であるときに、双方向パワーフローをサポートし得る。
【０１２７】
例示のコンバータ８１が図１２に示される。この例では、コンバータ８１は、双方向バックコンバータである。アウトプット電圧がインプット電圧より小さいことが要求されるときに、この実施形態が、とりわけ、パワーコンバータとしての利用に適切である。
【０１２８】
別の例示のコンバータ８１が図１３に示される。この例では、コンバータ８１は、双方向ブーストコンバータである。更なる例示のコンバータ８１が図１４に示される。この例では、コンバータ８１は、結合された双方向バック−ブーストコンバータである。
【０１２９】
フィードバックコントローラ８２の例示の形態が図１５に示される。本明細書に示すコンポーネントは、デザイナ、製造者若しくはユーザにより適宜決定されて、アナログ若しくはデジタルドメインで、又は組み合わせで実装され得る。フィードバックコントローラ８２は、種々の特性をモニタしコントロールする素子を含み得る。例えば、フィードバックコントローラ８２は、周波数補償、パルス幅変調、無駄時間プロテクション、デューティサイクル制限、ソフトスタートの提供（即ち、傾斜電圧）などのためのコンポーネントを含み得る。
【０１３０】
シミュレータマップ８４は、様々に実装され得る。例えば、「アナログ」形態では、シミュレータマップ８４は、シミュレートされたソースの実際のレプリカを介して（例えば、シミュレートされたソースのより小さいバージョンにより）実装され得る。これらの実施形態のうちには、関連するレプリカコンポーネントによりレプリカが充電され放電されるものもある。
【０１３１】
「デジタル」形態と称される、他の実施形態では、（メモリ、アナログ−デジタルコンバータ、デジタル−アナログコンバータなどと連結する）マイクロコントローラが、ソースの状態を感知し、アウトプットコンバージョンを周知の特徴にマップする（即ち、相互に関連付ける）。特に、例示としてではあるが、マイクロコントローラは、アナログ−デジタルインターフェースを介して（例えば、アナログ−デジタルコンバータを介して）ソースの充電状態を感知し、データテーブル、アルゴリズム若しくはメモリから検索される他のデータセットに従いバッテリからの所望の（予想される）アウトプットを評価し、パワーコンバータ８１のアウトプットを然るべく管理する。結果は、デジタル−アナログインターフェース（例えば、デジタル−アナログコンバータ）を介してマイクロコントローラから出力される。よってアナログアウトプットは、フィードバックコントローラ８２のための「コマンド」電圧に影響する。
【０１３２】
アナログとデジタルの間の分離は、主要パワーシステム８５内の種々の場所で実現され得る。例えば、フィードバックコントローラ８２はマイクロコントローラ内で完全に実装され得るのであり、そこではコマンドはアナログ信号として通過しないのであるが、マイクロコントローラのより内部で（若しくは、例えば複数のマイクロコントローラが用いられるならばバスを越えて）通過される。概略、アナログからデジタルの及びその逆の変換は、システムデザイナ、製造者若しくはユーザにより適切と考えられる、主要パワーシステム８５内のどこででも実現され得る。
【０１３３】
パワーコンバータ８１についての指令された若しくは調整された形態（例えば、アウトプット電圧）は、実用可能な特性若しくは特徴を概略含み得る。例えば、アウトプット電流、アウトプット電圧、アウトプット電力、若しくは、アウトプット電圧、電流及び電力の混合が、コントロールされ得る。他の形態は、インピーダンス、アウトプット抵抗、及び他の同様のパラメータを含む。概略、アウトプットは直流電流（ＤＣ）を含む。しかしながら、或る実施形態では、交流電流（ＡＣ）が提供される。
【０１３４】
ソース（上記例ではキャパシタ）の感知された特性は、概略、適切と考えられるどの形態を考慮してもよい。例えば、感知された特性は、電圧、充電、インピーダンス、電流、温度などを含み得る。
【０１３５】
図１６を参照すると、例示の充電状態モニタ１７０の形態が示される。図１６では、バッテリからの電流は、インラインセンス抵抗Ｒｓｅｎｓｅに亘る、電圧計測（Ｖｓｅｎｓｅ）により計測される（Ｉｂａｔｔ）。電流は、抵抗値Ｒｓｅｎｓｅ（オーム）を知った上で、電圧計測から演繹され得る。例えば、以下の数１に示す関係を用いる。
[数１]
Ｉｂａｔｔ＝Ｖｓｅｎｓｅ／Ｒｓｅｎｓｅ  （１）
電流は、他の技術によっても感知され得る。例えば、或る実施形態では、ホール効果センサ若しくは誘導センサにより、感知され得る。
【０１３６】
概略、パワーソース（例えば、バッテリ）は最初、フルの充電状態に充電される。モニタは、ミリ秒に一度などの周期に基づいて電圧を計測する。計測は、例えば、アナログ−デジタルコンバータ（ＡＤＣ）にて、実行され得る。更に、経時的に電流の完全な記録を格納するのでは無く、記憶された充電状態変数を更新するこの方法が用いられてもよい。よって、充電状態を演算することにより、計測からの相当量のデータを格納する必要は無い。このことは、ダウンホールモニタからトップサイドレシーバへ、若しくは、ダウンホールで利用可能なメモリが限定供給であるときなど、モニタから遠隔レシーバへ充電状態条件を伝送するのに有用である。
【０１３７】
選択特性として含まれ得るパワーシステム１６の別の形態は、切替コントロールの形態である。或る実施形態では、エネルギ貯蔵３０が複数のエネルギソースを含んでもよい。複数のエネルギソースが提供されると、パワーシステム１６は、エネルギソースのうち電力を供給する特定のものを選択する必要がある。例えば、ある場合では、パワーシステム１６は、二つのバッテリを利用してもよい。一つの状態では、パワーシステム１６は、バッテリの第１のものから引き出してもよい。第１のバッテリが所与の状態に達すれば（例えば、第１のバッテリが実質的に消耗すれば）、パワーシステム１６は、バッテリの第２のものなどの、別のソースから電力を引き出してもよい。よって、ソースの切替が必要となる。
【０１３８】
しかしながら、切替は、必ずしも、ソース間のスイッチングほど簡素でないことに留意すべきである。例えば、パワーシステム１６は別のソースのみから電力を引き出すこともあるし、パワーシステム１６は第１のソース及び別のソースを含む組み合わせソースから電力を引き出すこともある。一つの例では、パワーシステム１６は、放電中に一つのバッテリにより示される電圧をモニタする。パワーシステム１６は、負荷電圧、開回路電圧、若しくは二者の組み合わせを計測することになる。或る例では、パワーシステム１６は、負荷のある状態と負荷の無い状態の両方を含む、数周期に亘って、バッテリ電圧を時間平均することになる。パワーシステム１６は、ソースの残余の寿命の表示としてソース電圧を利用することになる。或る実施形態では、パワーシステム１６は、エネルギ貯蔵３０により供給される電流を計測し、電流と時間の積を記録し、それを残余の寿命の表示としてフル充電状態のキャパシティの先験的周知値と対比し、切替をコントロールする、充電状態モニタを（連動して若しくは独立して）用いることにもなる。パワーシステム１６は、個々のソースの残余の寿命を判定するための、若しくは必要な切替を示すための、デザイナにより有益若しくは適切と考えられる、他のどの方法若しくは方法のどの組み合わせを、用いてもよい。切替は、バッテリ、ワイヤライン、ジェネレータ、並びに、デザイナ、ユーザ、製造者若しくは他の利害関係者により適切若しくは必要と考えられる他の形式のエネルギソース、又はそれらの組み合わせの間で、実装され得る。
【０１３９】
切替は、多数のやり方で実装され得る。一つの例は、切替コントローラにより選択される種々のエネルギソースのための電流経路内で能動デバイス（例えばＭＯＳＦＥＴ）を採用する。ＭＯＳＦＥＴの接地基準のロジックレベルのインプットに対して、システムＰＥＭＳ９１若しくは個々のスーパーバイザ９２は、ＭＯＳＦＥＴのゲートとソース間にロジックレベルコントロール信号を供給し、それらをアクティブとし得る。例えば、一つのソースをアクティブにし別のものを非アクティブにするため、第１のソースに対するＭＯＳＦＥＴの切替がアクティブにされ第１のソースとパワーシステム１６との間で閉回路接続を形成し、第２のソースに対するＭＯＳＦＥＴの切替が非アクティブにされ第１のソースとパワーシステム１６との間で閉回路接続を断線する。接地基準のＭＯＳＦＥＴがいかなる理由にも適切で無いならば、ＭＯＳＦＥＴは高ポテンシャル電流経路内に同じように配置されてもよい。この場合、ＭＯＳＦＥＴのゲート−ソース電圧は、ＭＯＳＦＥＴターミナルにて示されるゲート−ソース電圧を安全範囲に限定するレベルシフト回路を、必要としてもよい。いずれの場合も、回路が意図して断線されるときに効率的に電流をブロックするために、デザイナは、能動デバイス内の固有のボディダイオードの方向を考慮すべきである。リレー、アナログスイッチ、ヒューズ、リセット可能ヒューズ、トランジスタ、分離されたゲートドライブ若しくは分離された能動デバイス、及び任意の数のデバイスは、切替コントロールを実装するのに全て有用であり得る。切替コントロールは、より線形状にも実装され得る。例えば、一つのソースから引き出される電力量は、例えばそのソースの電流経路内に配置された抵抗をコントロールすることにより、連続に亘ってコントロールされ得る。このことは、トランジスタによっても実装され得る。この場合のコントロール信号は、デジタル若しくはバイナリ信号では無く、アナログ信号と類似すべきである。
【０１４０】
（「切替コマンド」や他の類似の用語で称される）ソース間の変更を指令するコントロール信号は、ＥＭＳ９１若しくは個々のスーパーバイザ９２内部で生成され得る。切替コマンドは、デジタルでも、アナログでも、若しくは信号の混合ででも生成可能であり、適切と考えられる技術などにより、ＥＭＳ９１若しくは個々のスーパーバイザ９２の外部でも生成され得る。
【０１４１】
切替は、多数のやり方で明示され得る。例えば、バッテリ間でスイッチすることも可能であるし、一つのバッテリから二つ以上のバッテリの組み合わせに若しくは一つの組み合わせから別の組み合わせにスイッチすることも可能であるし、所与の期間に任意の回数スイッチすることも可能であるし、ある状態に繰り返し戻るように若しくは複数の状態の間で、スイッチすることも可能であるし、このように状態間で変調して効率的な時間平均動作に達することも可能であるし、又は、例えばワイヤライン、ジェネレータ、キャパシタ、フライホイール若しくは有用と考えられる他のソースなどの、複数のタイプのエネルギソースの任意の組み合わせの間でスイッチしてもよい。切替コントロールは、エネルギソースの充電状態、ソースにより示される電圧、エネルギソースにより示されるインピーダンス、大気温度、振動若しくは他の計測値、オイル及びガス掘削アプリケーション内の表面などの遠隔位置から受信される信号、又は、他の情報源など、どの情報により通知されてもよい。
【０１４２】
図１７では、例示の切替コントロールユニット１８０のためのトポロジの形態が示される。
【０１４３】
パワーシステム１６が動作する可変の且つ極端な条件が与えられると、自己調整電圧コントロール特性が含まれパワーシステム１６の動作可能性を保証し得る。
【０１４４】
電圧適合回路が或るケースに含まれ、エネルギ貯蔵３０の最大限電圧をコントロールする。コントロールは、例えば、温度若しくは或る他の外部計測（例えば、別の環境計測）に従うものであればよい。特に、或る実施形態では、エネルギ貯蔵３０は、増大する温度により益々不安定となる。エネルギ貯蔵３０によりサポートされる電圧を制限することにより、不安定性は良くなることも多い。高温ウルトラキャパシタに対しては、温度が増大すると、（実効直列抵抗が減少し上昇温度でのキャパシタンスが増大する結果として）パワー性能及びエネルギ容量も増大し得る。一方で、パワー性能とエネルギ容量の両方は、ウルトラキャパシタ電圧（の二乗）と共に増大する。よって上昇温度では電圧が減少し、また、実効直列抵抗が減少し上昇温度でのキャパシタンスが増大する結果としてパワー性能とエネルギ容量が少なくとも部分的に保持される。上昇温度における電圧が減少することで、それら上昇温度ではエネルギ貯蔵３０の安定性が向上し得る。このことにより結果として、エネルギ貯蔵３０の寿命が付随的に増大する。更にこのことにより、エネルギ貯蔵３０の最大限温度定格が拡張し、よって、エネルギ貯蔵３０の温度定格が決定要因である実施形態では、パワーシステム１６に対する最大限温度定格が拡張することになる。温度適合の例として、例えば、パワーコンバージョンのための可変電圧セットポイント（この場合、可変セットポイントは温度の計測に従って変動する）を設けることにより、温度に従うストリング電圧の管理が実装され得る。一つの実施形態では、温度はＥＭＳ９１に連結するサーモカップルにより計測され、ＥＭＳ９１そのものは電圧セットポイントコマンドを個々のスーパーバイザ９２に送信する。電圧調整コマンドを受けると、個々のスーパーバイザ９２は、パワーコンバータコントロール回路の名目若しくは最大限電圧出力を調整するパワーコンバータコントロール回路をコントロールし得る。
【０１４５】
パワーシステム１６の別の例示の特性は、マルチプルモードコントロールの特性である。マルチプルモードコントロール（ＭＭＣ）は、パワーシステム１６の形態の多重セットをコントロールするように実装され得る。例えば、一つのモードでは、ユーザは、エネルギ貯蔵３０（この例では、バッテリ）内部でのパワー損失を減少させるある性能形態を達成するように望むことができ、これにより、バッテリの利用可能な寿命を延長できる。このモードでは、例えば、パワーシステム１６は、比較的低電圧を供給するように構成され得る。別のモードでは、ユーザは、遠隔位置への通信の効率を向上する、増大出力パワーへ導く性能形態を達成するように望むことができる。このモードでは、例えば、パワーシステム１６は、比較的高電圧を供給するように構成され得る。あるモードでは、パワーシステム１６は、実質的により高い電圧を供給するように構成され得る。他の性能形態は、例示として、最大限出力電流若しくは平均出力電流、又は、適切と考えられる他の形態を含み得る。他のモードが所望されてもよい。任意の数のモードが利用可能とされ得る。
【０１４６】
モードを選択する種々の方法が実装され得る。例えば、ユーザは、（外部通信バス（ＥＣＢ）９７を亘って電子マネージメントシステム（ＥＭＳ）９１をプログラミングするなど、）パワーシステム１６をプログラミングすることにより地表面でパワーシステム１６を構成できる。ユーザは、ＥＭリンクや泥パルスリンクなどのデータリンク、若しくは、ダウンホール流体の流れをコントロールすることで作成されるリンク、又は、他のリンクに亘って、通信することにより、パワーシステム１６を遠隔で構成できる。パワーシステム１６は、ランタイムでそれ自身を再構成するようにもプログラムされ得る。異なる動作モードは、様々に達成され得る。例えば、電子マネージメントシステム（ＥＭＳ）９１は、フィードバック調整パワーコンバータの出力電流若しくは出力電圧のための設定点をランタイムで変更でき、よって、コンバータにより示される名目出力電圧若しくは出力電流を変更する。電子マネージメントシステム（ＥＭＳ）９１は、例えば、アナログ若しくはデジタルコントロール信号を個々のスーパーバイザ９２に与えることにより、若しくは、コントロールインプットを変更するデバイスをアクティブにすることにより、又は、適切と考えられる他の手段により、このことを達成し得る。デジタルフィードバックコントロールを伴って設計されたコンバータでは、モード間の変更はデジタルで為され得る。ある場合では、モード間で変更するとき他の回路パラメータは実効的に変更され得る。例えば、フィードバックループの安定性を指示する受動コンポーネントは、名目出力電圧が変更されるとき、変更され得る。トランジスタや他の制御スイッチデバイスを用いて、必要に従い、これらのコンポーネントは能動的にスイッチアウトし、他のコンポーネントはスイッチインする。デジタルフィードバックコントロールの場合では、フィードバックループの安定性は、デジタルコントローラを予めプログラムするコードの、異なるセグメント間でスイッチングすることにより、維持され得る。
【０１４７】
パワーシステム１６の別の例示の特性は、低温コントロールの特性である。低温コントロールは、所定の環境で所望され得る。即ち、エネルギソース（例えば、外部エネルギ供給５１）のパフォーマンスは、ある温度範囲（「低温閾値」、これは概略値や値の範囲である）を下回ると一時的に低下し得る。低温閾値以下では、実質的電力がそこから引き出されるとエネルギソースは損傷し得る。例えば、ニューヨーク州のＥｌｅｃｔｒｏｃｈｅｍ  Ｓｏｌｕｔｉｏｎｓ  ｏｆ  Ｃｌａｒｅｎｃｅから入手可能なダウンホールバッテリ（「低温閾値」−４０℃までアウトプット電流である２００ｍＡのための定格サイズを伴う、ＵＳＡ品番３３−１２７−１５０ＭＲ  ＳＥＲＩＥＳ：４４２２  ＤＤ）を考察する。低温閾値以下では、このバッテリは、パーマネントのセル損傷を生じること無く、約１−５０ｍＡを供給することのみ可能となる。
【０１４８】
よって、パワーシステム１６は、低温コントロール回路により構成され得る。低温コントロール回路は、低温範囲で温度を検知し、エネルギソースから引き出される電力を適切に制限するように、構成され得る。低温閾値以下で引き出される電力は、パワーシステム１６の動作を維持すること、更には温度の検出のための及び電力引き出しのコントロールのためのコントロールシステムを維持することなどの、所定の機能に割り当てられ得る。よって、ある実施形態では、電力制限設定点は、低温感知及びコントロールを実装するのに必要なパワーレベルより上に設定される。環境に対する大気温度が低温閾値より上に上昇すると、低温コントロール回路は徐々に、電力をパワーシステム１６内部の選択されたコンポーネントに戻すことができる。
【０１４９】
パワーシステム１６は、温度をモニタするため種々のデバイスが備わり得る。或る実施形態では、低温コントロール回路は、サーモカップル、バンドギャップ基準回路、及び抵抗温度検出器（ＲＴＤ）のうち少なくとも一つが備わる。計測のための他の技術が採用されてもよく、例えば、温度依存特性を示す、パワーシステム１６内部の他のコンポーネントの利用が含まれ得る。
【０１５０】
電力引き出しは、所定のパワーシステムコンポーネント、例えば、パワーコンバータ及びセンサシステムを単に無効にすることにより、制限され得る。電力引き出しは、パワーシステムコンポーネントの電力引き出しをコントロールすることによっても、例えば、パワーコンバータ回路の出力電流若しくは電圧を調整することによっても制限され得る。システムは、温度が低温範囲よりも上昇したら通常動作を再開するように構成されてもよい。
【０１５１】
低温プロテクションに関して議論すると、前述の形態は高温プロテクションを提供する際と同様に有用であり得るとも認識されるべきである。温度プロテクションはパワーシステム１６の減少した機能に備えるものであるが、或る例では、パワーシステム１６が仮想的にシャットダウンする「温度超過シャットダウンモード」を誘導することが有益である。
【０１５２】
パワーシステム１６の別の特性は「スリープモード」である。スリープモードは、ユーザにパワーシステム１６のプロテクションを提供する。パワーシステム１６が利用されていない期間に、このようなプロテクションは有益であり得る。例えば、エネルギ貯蔵３０に接続するパワーシステム１６を維持することが望ましい貯蔵若しくは輸送の機関である。とりわけ、スリープモードは、エネルギ貯蔵３０の早期枯渇を制限するものとなる。特に、所定のレベルの「スタンバイパワー」は通常、パワーシステム１６のコンポーネントをアクティブで保持するように要求されるものとなる。所与のパワーシステム１６がエネルギ貯蔵３０に接続されて数週間から数ヶ月間貯蔵状態で若しくは輸送状態で残されているならば、エネルギ貯蔵３０が実質的に若しくは完全に枯渇することが生じ得る。以下の例を考察する。
【０１５３】
一つの例では、エネルギ貯蔵３０は、４つのセルを有するバッテリ（例えば、ニューヨーク州のＥｌｅｃｔｒｏｃｈｅｍ  Ｓｏｌｕｔｉｏｎｓ  ｏｆ  Ｃｌａｒｅｎｃｅから入手可能な、品番３３−１２７−１５０ＭＲ  ＳＥＲＩＥＳ：４４２２）を含む。バッテリパックは、概略４セル×３．６７Ｖ×２９Ａｈ＝４２５Ｗｈのキャパシティを有する。４週間このバッテリパックに接続するパワーシステムにより引き出される２００ｍＷのスタンバイパワーは、バッテリパックを約６７Ｗｈ枯渇させる、即ち全体キャパシティの約１６％を枯渇させることになる。パワーシステム１６がフルチャージ以下で貯蔵に送られると、若しくは拡張期間送られると、影響は重大となり得る。
【０１５４】
或る実施形態では、スリープモードは、実効的な非動作状態を検出することにより、アクティブ化する。複数の方法が採用され得る。一つの例では、パワーシステム１６に、少なくとも一つのダストキャップを設ける。ダストキャップの夫々は、パワーシステム１６と電気的に連結するように装備されている。例えば、ダストキャップは、パワーシステム１６のコネクタ内のピンに接続するように構成されたジャンパを含み得る。ＥＭＳ９１は、コネクタ内の所定のピンがいつ接続しスリープモードを指令したかを認識するものになる。
【０１５５】
一つの実施形態では、接続の検出により、ダストキャップにより接続されたピン（この例では、二本のピン）がＥＭＳ９１上のピンに応答することが要請される。ＥＭＳ９１は、ピンの第１のものをデジタルアウトプットと認識し他方のピンをデジタルインプットと認識するように構成される。デジタルアウトプットとして構成されるピンは、高い、例えば、５Ｖのためのロジックレベルに設定され得る。続いて、５Ｖがインプットとして構成されるピン上で検出されると、ＥＭＳ９１はそのことをダストキャップの表示として、よって非動作状態として解釈することになる。多数の状態を検出するのに、若しくは、多数の異なる場合で生じる等価の状態を検出するのに、ピンの構成の複数の組み合わせが用いられ得る。
【０１５６】
（（便宜上全て「カバー」と称される）カバー、シールド若しくはパッケージングのうちのどのタイプも用いられ得る）ダストキャップは、パワーシステム１６に他の条件を課するように構成されてもよい。例えば、カバーは、ピン若しくは他のどのタイプのインピーダンスに亘っての所定の電気抵抗を示すものであってもよいし、例えば、ダストキャップに埋め込まれる主要バッテリからの電圧を示すものであってもよいし、独立回路若しくは他のどんな手段によって形成される交流信号若しくはデジタル信号を示すものであってもよいし、ダイオードにより示されるような非線形効果を示すものであってもよい。コネクタ上でのピンへの接続は、ダストキャップが通常プレッシャバレル上へネジ締めされるので、カバー内に埋め込まれた回転可能コネクタを要求するものであってもよい。よって、接続はレセプタクルと合致でき、ダストキャップの外側部分は前記接続周りに回転し得る。接続は、ダストキャップ無しで実装されてもよいし、システムをスリープモードにするのに明確に配置されてもよいし、プレッシャバレルの外側上に存するもの以外のコネクタにてパワーシステムに接続してもよい。スリープモードが外部接続無しに非動作の検出により実装され、非動作を示すものであってもよい。例えば、パワーシステム１６は、負荷に供給される電流を計測し、予め定められた値より小さい供給電流が所定期間流れた後、非動作状態を判定し、スリープモードに入るようにパワーシステムをコントロールしてもよい。パワーシステム１６は、キャパシタ若しくは他のエネルギ貯蔵素子上の電圧を計測し、予め定められた量より小さい電圧偏差が所定期間生じた後、非動作状態を判定し、スリープモードに入るようにパワーシステム１６をコントロールしてもよい。デザイナにより適切若しくは有用と考えられる他の方法が採用されてもよい。
【０１５７】
或る実施形態では、カバーは、レジスタ、バッテリ、ダイオード等のうちの少なくともひとつなどの、コンポーネントを含む。即ち、カバーは、カバーを導入した際、固有の電気信号をパワーシステム１６に供給することになるどのコンポーネントを含んでもよい。パワーシステム１６が関連する固有の電気信号を検出すると、パワーシステム１６はスリープモードに入ることになる。
【０１５８】
スリープモードは、動作時のみに要求されるパワーコンバータやセンサーコンポーネントなどの、不必要なシステムコンポーネントを無効にすること、若しくはパワーダウンすることで、構成され得る。出力電圧などのシステムパラメータを一時的に変更し、例えば、エネルギ貯蔵の自己放電で若しくは他の抵抗素子で消費されるスタンバイパワーを減少させるものであってもよい。
【０１５９】
パワーシステム１６の実施形態に含まれ得る別の特性により、データロギングが可能である。即ち、メモリロギング回路（即ち、モジュール）は、パワーシステム１６内に含まれてもよい。メモリロギング回路は、メモリ、及びイベントデータを受信するインターフェースを含み得る。このデータは、システム動作をコントロールし、システムステータスを遠隔位置に送信し、又は、他のユーザ間の動作の後にシステムをデバッグする若しくはアセスメントする（評価する）のに、有用である。システムが記録し得るデータの例には、バッテリ電圧、バッテリ電流、バッテリ充電状態、温度、振動、ショックイベント、計測された流体フローを示すロジックレベル信号、ＭＷＤ泥パルサのための泥パルスアクチュエーション、バッテリ切替などが、含まれ得る。メモリロギング回路は、イベントデータを受信し格納するため、適切な処理機能（即ち、メモリロギングプロセッサ）を更に含んでもよい。メモリロギングプロセッサは、メモリからイベントデータを検索し、ユーザへの伝送のためにイベントデータを通信するというものであってもよい。
【０１６０】
概略、データサンプリング及びデータパラメタリゼーションのレートは、有用量の情報の格納を確保すべく、注意深く選択されるべきものである。即ち、高温で動作するために定格化されるメモリは、概略、低温で動作するのに定格化されるメモリよりも密度が低い。従って、或る実施形態では、データサンプリング及びロギングは、変更のレートと等しいレートで実行される。或る実施形態では、サンプルされたデータはパラメータ化される（即ち、充電状態や損傷率などの、集約パラメータを表すフィッテング変数を更新するのに用いられる）。複数の例が示される。例えば、或る実施形態では、ゆっくり変化する信号は数分ごとにサンプルされるに過ぎない。振動データは、所定の時間ウインドウ（例えば、１０秒）に亘って加速度計から計測されるｒｍｓ（二乗平均平方根）加速度の時間平均としてパラメータ化される。バッテリの充電状況は、（バッテリ電流のフル記録を保持するのではなく）バッテリ電流が経時的に計測されるにつれて更新されるシングルデータポイントとして格納される。ショックイベントはタイムスタンプされ、加速度がその間に特定の制限（例えば、３５Ｇ）を越えたシングルイベントとして記録される。揮発及び不揮発メモリの組み合わせは、高温で動作する高密度メモリの欠乏を緩和することもできる。即ち、不揮発メモリ（パワー損失に拘わらずその状態を保つメモリ）は概略密度が低いが、エネルギソースの障害の際にもそのデータを失うものでは無く、従って、特に厳しい環境の利用例では不揮発メモリ内にデータを保ことが有益である。一方で揮発メモリは概略密度がより高いが、エネルギソースの障害の際にそのデータを必ずしも保持するものでは無い。ある実施形態では、概略、揮発メモリ内に全てのデータを格納する妥協的デザインが用いられ、そこでは、不揮発メモリに周期的にデータをアーカイブしてより長い記録保持を可能にする。
【０１６１】
例示として、メモリマネージメントのための妥協的デザインでは、ユーザは、エネルギソースの障害の際にはデータ記録のうち最近の１００時間等にアクセスできる、というものであってもよい。最新のアーカイブから最も前のデータは失われる可能性がある。この効果は、更に頻繁にアーカイブすることで緩和され得る。しかしながら、不揮発メモリは概略、特定の数の書き込みサイクルに対して定格されている。よって、トレードオフがされてもよい。例えば、システムが２０００時間継続する必要がありＲＯＭ（不揮発メモリ）が１００００書き込みサイクルのために定格されているならば、（２０００時間）／（１００００サイクル）×６０分＝１２分毎に、データをアーカイブしてもよいことになる。よって、ユーザは最悪の場合最新データのうち１２分のものを失う可能性があり、実質的には最新データのうち６分のものを失うことが予想されることになる。この効果は複数のＲＯＭをパワーシステム１６に加えることにより更に緩和され得る。つまり、一つのＲＯＭが多数回（例えば、１００００回）書き込みされた後、寿命であると見なされ、続いて第２のＲＯＭが１００００回書き込みされ、従って１００００回以上の書き込みサイクルがパワーシステム１６には利用可能であり、よってより頻繁にアーカイブを採ることが可能となる。一方で、エネルギソース内の障害が無いならば、データのフル記録がＲＡＭ（揮発メモリ）ないで利用可能であることになる。従って、種々のメモリマネージメントスキームが採用可能であることが、認識されるべきである。
【０１６２】
例示のメモリコンポーネントは、米国カリフォルニア州アナハイムのＴＴセミコンダクタから入手可能である一つのメガビット高温ＲＯＭ（ＥＥＰＲＯＭ）（品番ＴＴ２８ＨＴ０１０）である。この例示のコンポーネントは、約２００℃までの動作のために定格されている。別の例は同製造者から入手可能である、１６ＭバイトＲＡＭ（ＳＲＡＭ）（品番ＴＴＳ２ＭＷＶ８）であり、約２２０℃までの動作のために定格されている。
【０１６３】
前述のように、パワーシステム１６の実施形態に含まれ得る特性の一つは、バイパス特性である。バイパス特性の更なる形態を以下幾つか説明する。
【０１６４】
或る実施形態では、バイパス特性は、（「バイパスコンバータ」と称される）独立パワーコンバータと冗長パワーコンバータのうちの少なくとも一つにより実装される。その場合、バイパスされるコンポーネントへの電流、若しくは該コンポーネントの出力からの電流をブロックすることが、好ましい。よって、スイッチネットワークがパワーシステム１６内にふくまれてもよい。或る実施形態では、スイッチネットワークは、電流を適切にブロックするように第１のコンバータの出力を伴うダイオードを含む。或る実施形態では、（ダイオードが、過度なパワーロス、若しくは、双方向設計の電流のブロッキングを生じるなどして）ダイオードの採用が適当では無く、よってＭＯＳＦＥＴや他の能動デバイスが採用され得る。スイッチとして少なくとも一つのＭＯＳＦＥＴ、若しくは少なくとも一つの他のタイプのトランジスタを利用する実施形態では、スイッチデバイスが、適切なゲート若しくはベース、又は他の駆動回路に連結され、スイッチデバイスを安全にアクティブ化する。ＭＯＳＦＥＴの場合では、固有のボディダイオードは、両方の方向の電流をブロックすると考えられる。ボディダイオードに対向する直列ダイオードは、両方の方向の電流をブロックするのに採用され得る。ＭＯＳＦＥＴの組み合わせも採用され得る。ＭＯＳＦＥＴとダイオードの組み合わせも同じく採用され得る。或るトポロジでは、スイッチネットワークの機能は回路に固有であり、更なるスイッチネットワークは必要とされない。例えば、非同期ハイサイドスイッチを有するブーストコンバータ（ダイオード）では、コンバータは、高電位経路でソースから負荷へ実質的な電流を伝えるに過ぎないものである。よって、スイッチネットワークに関して要求される機能は、高電位経路で負荷からソースへ電流が流れ得ず、よって更なるスイッチネットワークが必要とされない、ということである。
【０１６５】
パワーシステム１６のコンポーネントが電力を供給するのに適切な状態に無いとき、バイパス特性は特に有用であり得る。例えば、バイパス特性は、サブシステム若しくはエネルギソースが機能しなくなるときに、有用であり得る。エネルギ貯蔵が低充電状態であるときや、パワーシステム１６がエネルギ貯蔵３０や別のシステムコンポーネントを利用することを禁じられる動作モードに入ったときにも、バイパス特性は有用であり得る。バイパス特性の他の利用は、デザイナが適切と考えると、示され得る。
【０１６６】
バイパスコントローラのある組み合わせが、図１８に示される。図１８Ａ、１８Ｂ及び１８Ｃでは、パワーシステム１６のコンポーネントとの様々な関係で、バイパス特性９０が示されている。
【０１６７】
パワーシステム１６内に含まれ得る更に別の特性は、最適化モジュールである。最適化モジュールを含む実施形態では、パワーシステム１６は、全体の性能形態を最適化するように調整し得る。この調整は、ランタイムに生じ得る。例えば、パワーシステム１６は、最適化された全体のシステムエネルギの効率性をターゲットとし得る。パワーシステム１６は、全てのパワー損失の総計を考慮するように構成され得る。例えば、パワーシステム１６は、損失が負荷電圧で変動することから負荷内の損失をモニタし、エネルギソース内の損失が二乗平均平方根（ｒｍｓ）電流レベルで変動することからエネルギソース内の損失をモニタし、パワーコンバータコントローラをアクティブに保持する際にスタンバイパワー損失をモニタし、エネルギソースなどのリークパワー損失をモニタするように、構成されてもよい。この情報を用いて、最適化特性はタスク化され、全体のパワー損失を減少させる。
【０１６８】
最適化に備えるために、最適化モジュールは、種々の技術のどの一つ以上のものを採用してもよい。例えば、最適化モジュールは、エネルギソースからの二乗平均平方根（ｒｍｓ）電流引き出し、パワーコンバータコントロール回路の相対的オンタイム、負荷に示される出力電圧、エネルギ貯蔵３０に示される電圧などを、調整するもののような最適化パラメータを計算し得る。最適化回路は「摂動及び観察」を採用してもよく、この場合、一つのパラメータと再計測システム効率性を摂動し、トータルのパワー損失を減少させる方向で摂動を調整することを試みることになる。いずれかの方向での摂動が、パワー損失の計測となるのであれば、最適化若しくは局所的最適化が特定され得る。グローバルな意味で実質的に準最適である局所最適の回避は、第１の計算によるアルゴリズムを探索する摂動と観察を組み合わせることが助けとなり得る。第１の計算は、大域的（システム）最適条件の比較的近傍にシステムパラメータのセットを配置すべきである。パワーシステム１６内の全ての損失の見積合計を先ず考慮することにより、そうすることが試みられ得る。総計は、ランタイム計測から導出される損失項、先験的若しくは予めプログラムされた値から導出される損失項、計算から導出される損失項、及びそれらの組み合わせから導出される損失項を、含み得る。システムパラメータの種々のセットに対して総計を計算し、システムパラメータの全てのセット間で最小限の計算されたパワー損失を生じるシステムパラメータのセットを選択することにより、第１の計算は、大域的最適を配置することを試み得る。第１の計算は、総計のデリバティブを計算して局所的最適のセットを配置し、元の総計の式にシステムパラメータを代入し戻して大域的最適を選択するために局所的最適のセットに到達することを、試みることもできる。
【０１６９】
更に、最適化モジュールは、システム１６が変化する際、例えば、時間平均負荷電流若しくは電圧が変化する際、エネルギ貯蔵３０が古くなる際、温度が上昇しエネルギ貯蔵３０のリーク電流が上昇する際などの、ランタイムにて、最適化を調整し得る。電圧及び電流を、例えば、ソース電圧及び電流を、負荷電圧及び電流を、それ（パワーシステム１６）自身のスタンバイ電流を、エネルギ貯蔵３０内に流れる電流を、計測することができることは、結局、パワーシステム１６の助けとなり得る。最適化モジュールは更に計測を組み合わせてバッテリ内部抵抗などの他の形態を判定できる。それはバッテリ電圧と電流の計測に関する二つの明確な対から導出され得るからである。エネルギソースの内部抵抗は、最適化に対するインプットと見なされうる。
【０１７０】
ある場合では、最適化された出力電圧は、パワーシステム１６の或る実施形態のより高い効率性（小損失）に繋がる。以下の例を考える。ＭＷＤ泥パルサシステムでは、より低い電圧により、消散の無い十分なモータ動作が生じ得る。通常、ＭＷＤパルサを駆動するのに高電圧バッテリが必要とされる。出力電圧のパルスの間に瞬間的に電圧が降下するからであり、バッテリ電圧を選ぶ際にＮＷＤシステムの下方動作電圧制限は責任を負わねばならないからである。即ち、その内部抵抗からの垂下の責任を負うため、幾分かのヘッドルームがバッテリ電に含まれなければならない。そうで無ければ、他の望まれない動作である、パワーシステム１６のシャットダウンを生じ得る下方制限電圧閾値を、これらの垂下が破ってしまう。しかしながら、それらバッテリ電圧は、泥パルサの効率性及びバッテリ寿命に最適なものでは無い。従って、バッテリ電圧をバッファしてＭＷＤパルサに電力を提供するように、パワーシステム１６が構成されてもよい。この場合、パワーシステム１６は、エネルギ貯蔵３０、パワーコンバータ若しくは両方の、フィードバック調整及び／又は低出力直列抵抗の結果として、バッテリと比べて実質的により固定された出力電圧を供給し得る。よって、バッテリのみの設計では典型的であるヘットルームのための考慮は、大きく緩和される。下方制限電圧閾値を破ってしまうことに関心を払うこと無く、より低い電圧をＭＷＤパルサに示し得る。より低い電圧で動作するＭＷＤパルサはより効率的となり得る。最終的には、この効率性はエネルギ貯蔵３０内のバッテリのより長い寿命に繋がる。非効率に浪費されるバッテリエネルギが無いからである。一つの例では、ＭＷＤ泥パルサは、１５Ｖから２９Ｖの電圧を受け入れ得る。概略２５〜２８Ｖの電圧に達するのに、７セル若しくは８セルバッテリが通常選ばれる。動作間、バッテリはその寿命に亘って劣化し内部抵抗の増加に繋がるのであり、ＭＷＤパルサへのパルス電力供給の間に瞬間電圧は開回路バッテリ電圧から２０Ｖ以下にまで低下する。バッテリ電圧が、瞬間的若しくは時間平均的又はその他の様式で計測される下方閾値に達すると、システムは、適切に機能することを停止してもよいし、意図的にシャットダウンしてもよい。一方で、２８Ｖバッテリから駆動されるＭＷＤパルスは、約１５Ｊのエネルギを消費し得る。また、パワーシステム１６は、バッテリとＭＷＤパルサに連結されてもよい。パワーシステム１６は、バッテリの寿命に亘って、ＭＷＤパルサに対して相対的に固定された２０Ｖを供給してもよい。一方、２０Ｖパワーシステムアウトプットにより駆動されるＭＷＤパルスは、約２６％エネルギ節約を表す約１１Ｊのエネルギを消費する。この動作を示すＭＷＤパルサの例は、米国テキサス州ジョージタウンのＢｅｎｃｈｔｒｅｅから入手可能であるＢｅｎｃｈｔｒｅｅＭＷＤモータドライブ泥パルサ（品番９００３７０）である。
【０１７１】
更に別の特性として、システムヘルスモニタが示され得る。システムヘルスは、温度、振動及びショック、並びに対応する期間に関する、計測及び記録から導出され得る。損傷率は、経験的及び統計的テストに基づいて予め定め得る。
【０１７２】
パワーシステム１６は、そのアークティクチャにて冗長特性を含み得る。例えば、更なるパワーエレクトロニクス回路が含まれてもよい。エネルギ貯蔵３０内に更なるキャパシティが含まれてもよい。パワーシステム１６は、コンポーネント内の障害の検出により該コンポーネントを非アクティブ化し更に冗長コンポーネントをアクティブ化するように、構成されてもよい。回路は、コントロール回路を無効にすること、それに対する電力接続を遮断すること、及び、トランジスタやリレーなどの能動デバイスを用いてインプット及びアウトプットからそれを断線することのうちの少なくとも一つにより、非アクティブ化され得る。エネルギ貯蔵３０は、能動デバイスを用いてインプット及びアウトプットからそれを断線することにより、同様に非アクティブ化され得る。
【０１７３】
障害は様々に特定され得るのであり、特定すべき障害のタイプ及び障害を生じたコンポーネントのタイプに依存する。例えば、アウトプットパワードロー（引き出し）が通常の制限の範囲内である限り、所定の時間より長く通常の制限内でコンバータが電圧の出力を維持できないことにより、パワーコンバータ障害が示され得る。ウルトラキャパシタ障害は、直列接続のウルトラキャパシタに示される通常の電圧に拘わらない、低い若しくは略ゼロの電圧として特定され得る。これは、特に短絡タイプの障害を示し得る。更にＰＥＭＳ９１若しくは他のタイプのコントローラに連結されるアナログ−デジタルコンバータに連結するレジスタ分割器などの、電圧計測デバイスを採用することにより、障害検出は促進され得る。障害及び損傷率は、（本明細書に示される技術などにより）メモリに記録され、とりわけ、ユーザに報告されてもよい。
【０１７４】
パワーシステム１６の電気的性能の形態をこれまで記載したが、更なる形態が加えられてもよい。概略、これらの更なる形態は、パワーシステム１６の構造及び製造に関する。
【０１７５】
図１９〜２４を参照すると、パワーシステム１６の更なる形態が示される。図１９では、ロギング器具１０に組み合わせるのに適したパワーシステム１６の実施形態が示される。この例では、パワーシステム１６は、ドリルストリング１１若しくはワイヤライン８への組み合わせを簡素化する形状因子を有する。特に、この例では、パワーシステム１６は、伸長且つ円筒のコンテナ４７として設けられ、端部の夫々にて（この実施形態では）インターフェース４６を含む。コンテナ４７内部には、エネルギ貯蔵３０としての複数のウルトラキャパシタが存する。エネルギ貯蔵３０の充電及び放電はコントローラ４５によりコントロールされ、該コントローラ４５はインターフェース４６を介して電力を伝え得る。図２０は、図１９に示すパワーシステム１６の実施形態の分解図を示す。
【０１７６】
パワーシステム１６及びそのコンポーネントは、「モジュラー」形式でアセンブルされ得る。即ち、パワーシステム１６のモジュラーアーキティクチャは、個々のパワーシステム１６をカスタマイズすること、及び功利的な製造を行うことに備えるものである。以下に示す形態を議論することでモジュラー構造の形態はより明確となる。
【０１７７】
図２１を参照すると、コントローラ４５の実施形態が示される。この例では、コントローラ４５は、円筒のコンテナ４７の内部に配置されるのに適した形状因子を示す。従って、コントローラ４５は、少なくとも一つの絶縁体６５を含む。この例では、コントローラ４５は、概略、両端の各々に配置された絶縁体６５により境界付けされ、更に中間絶縁体６５を含む。絶縁体６５の各々は、概略、パワーシステム１６の他の部位からのコントローラ４５の物理的分離を設けるものであり、複数のスタンドオフサポート６４のためのアンカーなどの、他の特性の組み合わせのために用いられ得る。絶縁体６５は、ポリエトラフロエチレン（ＰＴＦＥ）若しくは等価物などの、適切な絶縁素材から製造され得る。絶縁体６５は、コンテナ４７内部にぴったりと嵌まり、中間コンポーネントがコンテナ４７内部で所定の位置に物理的に保持される。概略、絶縁体６５の各々は、少なくとも一つのノッチ若しくはホールなどの、少なくとも一つの物理的特性を含み、少なくとも一つのアクセスウェイを設ける。少なくとも一つのアクセスウェイは、例えば、ワイヤの通路、カプセル化などのために、アクセスを設け得る。
【０１７８】
スタンドオフサポート６４は、複数の回路６２の搭載及び分離に集合的に備える。回路６２は、例えば、回路基板上に配置されたコンポーネントを含み得る。回路６２は、例えば、複数のキャパシタなどのコンポーネントを含み得る。或る実施形態では、少なくとも一つのインダクタ６３が含まれる。或る実施形態では、複数のインダクタ６３が含まれる。複数のインダクタ６３は単体の導体で巻かれてもよい。単体の導体が或る実施形態で用いられ、複数のインダクタ６３に、（過度の振動が生じることがあるような）厳しい環境での強固な物理的強度を与え得る。
【０１７９】
概略、スタンドオフサポート６４は、個々の回路６２間での間隔を維持する剛性サポートを提供する。スタンドオフサポート６４の各々は、金属材料、及び／又は、ポリマのフォームなどの絶縁材料などの、適切な材料から製造され得る。
【０１８０】
図２１の図では、回路基板の各々は、稼働中、Ｚ軸に概略垂直に配置される。よって、回路６２の各々は、回路６２に亘って応力を概略均等に吸収して分散し、機械的応力から最小限の摂動を経験する。端的に言うと、回路６２の各々は、経験する応力と歪みのうちの少なくとも一つを最小限にする（即ち、軸力がせん断ではなく圧縮である）ことに備えるデザインを含み得る。概略、回路６２の各々は、少なくとも一つのノッチ若しくはホールなどの、特性を含み、少なくとも一つのアクセスウェイを設ける。少なくとも一つのアクセスウェイは、例えば、ワイヤの通路、カプセル化などのために、アクセスを設け得る。個々の回路６２の形状因子（即ち、物理的外観）は、そのような収容設備に備えることにどのように望まれても、順応し得る。例えば、円形回路基板の代わりに、回路基板が２若しくは多数の側部を有してもよい（ｎ角形）。
【０１８１】
貯蔵セル４２のうちの少なくとも二つは、それらの間に配置された少なくとも一つの絶縁体６５を含み得る。貯蔵セル４２の個々の一つは、デラウエアのＤｕｐｏｎｔ  Ｃｈｅｍｉｃａｌ  Ｃｏｒｐ．により提供される、ＫＡＰＴＯＮ等のポリイミドフィルムなどの、他のフォームの絶縁材料を含み得る。概略、ＫＡＰＴＯＮは広汎な範囲の温度で安定を維持することから、用いられる。貯蔵セル４２の各々は絶縁フィルム内にラップされ、該絶縁ラップは、とりわけ、電気的短絡の回避に備えるように用いられ得る。
【０１８２】
種々のモジュラーコンポーネントがアセンブルされると（即ち、相互接続されると）、これらはコンテナ４７内部にインストールされる。例えば、アセンブリはコンテナ４７内に挿入され得る。機械的に強固なパワーシステム１６を保証し、電気的干渉を回避するために、或る実施形態では、カプセル材料がコンテナ４７内に注ぎ込まれ得る。概略、カプセル材料は、コンテナ４７内部の空きスペースを全て充填する。
【０１８３】
カプセル材料の実施形態は、例えば、（ミッドランドミシガンのＤｏｗ  Ｃｏｒｎｉｎｇから入手可能な）ＳＹＬＧＡＲＤ  １７０を含み、これは、高速硬化シリコンエラストマであり、硬化前の低粘性、１００ｋＨｚで２．９の絶縁定数、５３０ｖ／ｍｉｌ（ボルト／ミル）の絶縁強度、１００Ｈｚで０．００５の散逸係数、及び、約−４５℃〜約２００℃の温度範囲を示す。他のカプセル材料が用いられてもよい。カプセル材料は、例えば、電気特性、温度範囲、粘性、固さなどに従って、選択され得る。
【０１８４】
回路６２の各々は、（例えば、選択モジュール９９内の選択として記載した特性を含む、前述の特性の一部などの、）少なくとも一つの、ユーザのための付加価値特性を示し得、必要に応じてパワーシステム１６内に含まれてもよい。慣例的事項として、「付加価値特性」は、パワーシステム１６をコントロールするのに有用な特性として考慮され得る。例えば、付加価値特性は、データロギング、テレメトリ、充電状態モニタ、バッテリ切替コントロール、電力変換、デジタルスーパーバイザ、（並列インターフェースなどの）少なくとも一つのインターフェース、ヘルスモニタなどのための、機能を含み得る。
【０１８５】
従って、種々の回路６２の接続のための共通電気バスがあってもよい。電気バスは、（回路６２間を半田付けする若しくは別途接続する複数の導体を含むバスなどの）有線アセンブリを含み得る。電気バスは、他の技術も含み得る。
【０１８６】
即ち、電気バスは、有線アセンブリの代わりに、若しくはそれに加えて，他の形式の接続を含み得る。例えば、バスは少なくとも一つのバスコネクタを含み得る。バスコネクタは、例えば、つがいとなるオス型コンポーネントとつがいとなるメス型コンポーネントを含み得、この場合、個々のコンポーネントは、回路６２の夫々のものに付属し得る。これらの実施形態では、バスコネクタは更に、コントローラ４５内部の相当程度の物理的サポートに備え得る。バスコネクタは、一対多の導体を含み得、とりわけ、受け入れ可能な動作の温度範囲、（剛性などの）機械的特性のために選択され得る。つがいとなるオス型コンポーネントとつがいとなるメス型コンポーネントの各々は、パワーシステム１６内で用いられる種々の回路が特定されることから、回路６２の夫々のものの上に予め作成され、又は、個々の回路６２に後で加えられる。種々のバスコネクタが用いられ得る。例えば、図２２を参照されたい。
【０１８７】
図２２では、バスコネクタ７０の簡略図が示される。この例では、メス型コンポーネント７１は、オス型コンポーネント７２とラッチするラッチデバイスを含む。組み立てられると、メス型コンポーネント７１とオス型コンポーネント７２は、二つの回路６２間の構造サポートと共に、電気通信を構成する。更なるバスコネクタ７０が用いられ得る。例えば、別のバスコネクタ７０が回路６２の対向する側に配置され構造強度の増大に備えるものであってもよい。
【０１８８】
バスコネクタ７０は、表面搭載されてもよいし、少なくとも一つのスルーホール内に配置されてもよいし、直列に（若しくは並列に）搭載されてもよいし、適切と考えられるどんなように搭載されてもよい。或る実施形態では、バスコネクタ７０は、（図示しない）リボンケーブルなどの、中間デバイスの組み合わせのために、順応させてもよい。リボンケーブルは、例えば、高温動作に適するポリイミド可撓性材料を含んでもよい。
【０１８９】
図２０に示すように、エネルギ貯蔵３０は、複数の貯蔵セル４２を含み得る。貯蔵セル４２は、様々な構成で電気的に連結され得る。複数の単体貯蔵セル４２からのエネルギ貯蔵３０の構築に関するより詳細は、図２３、図２４に示される。
【０１９０】
図２３を参照すると、貯蔵セル４２が、頂部に配置されたカソード８３を含む。貯蔵セル４２のハウジング３７は、アノード８７を設ける。カソード８３とアノード８７は、統合絶縁体６３により電気的に分離される。例えば、カソード８３は、ハウジング３７内に組み込まれるグラス・金属のシール内に含まれる電極であればよい。望まれない電気干渉から貯蔵セル４２を保護するために、前述のＫＡＰＴＯＮのフィルムなどの、絶縁材料のラッパで包まれ得る。ＫＡＰＴＯＮは、その上に配置される高温接着剤を含み、ハウジング３７への接着を確保するようにしてもよい。概略、或る実施形態では、ラッパ７４は、カソード８３とハウジング３７の底面とを除いて、ハウジング３７全体に亘って電気抵抗を設ける。
【０１９１】
或る実施形態では、カソード８３は、ステンレス鋼から製造されるが、これは必要条件ではない。
【０１９２】
或る実施形態では、ウオッシャ７５がラッパ７４を覆って配置され得る。ウオッシャ７５は、ラッパ７４と同様の材料（例えば、ＫＡＰＴＯＮ）から製造され得る。概略、ウオッシャ７５はカソード８３周りにぴったり嵌まりハウジング３７の頂部全体の覆いを提供するように、寸法取りされる。ウオッシャ７５の配置に続いて、タブがカソード８３に貼られてもよい。
【０１９３】
とりわけ、ウオッシャ７５は、エネルギ貯蔵３０内の更なる電気絶縁を設ける。勿論、（既に示し記載したように）ウオッシャ７５は、カソード８３周りに配置され得るが、ウオッシャ７５がアノード８７周りに配置されてもよい（例えば、逆の極性を備える図２３のアセンブリを想定されたい。）。従って、ウオッシャ７５は、適切と考えられる少なくとも一つの電極（即ち、アノード、及び／又は、カソード）の周りに配置されてもよい。
【０１９４】
本明細書で図２４として総称される、図２４Ａ及び図２４Ｂを参照すると、エネルギ貯蔵３０のアセンブリの形態が示される。図２４Ａでは、二つの貯蔵セル４２が並んで配置される。タブ８８は、エネルギ貯蔵セル４２の第１のもののカソードに貼られ、エネルギ貯蔵セル４２の第２のものの底面にも貼られている。（レーザ、スポット、ティグ、抵抗、超音波、若しくは他の形式の溶接などにより）タブ８８が適宜貼られると、エネルギ貯蔵セルの第２のものは、図２４Ｂに示すように、直立位置に回転する。
【０１９５】
一つの実施形態では、ニッケルがタブ８８を製造するのに用いられる。しかしながら、タブ８８に用いられる部材は、（溶接性、強度、導電性などの）適切な属性を示すと考えられるどんな部材も含み得る。
【０１９６】
貯蔵セル４２の直列接続は、エネルギ貯蔵３０の一つの例示の形態である。他の実施形態では、エネルギ貯蔵３０は、並列接続された、若しくは直列と並列の組み合わせで接続された、貯蔵セル４２を含み得る。
【０１９７】
図２４Ｂに示すように複数の貯蔵セル４２がスタックに（即ち、直列で）アセンブルされると、貯蔵セル４２の各々の間にギャップ８６が生じる。（図２０に示す）インサート材が、貯蔵セル４２の各々の間に設けられてもよい。或る実施形態では、インサート材４９は、例えば、ポリテトラフロロエチレン（ＰＴＦＥ）などの、高温絶縁部材から製造される。とりわけ、インサート材４９は、機械的力の分散に備えるものであり、動作間の個々のアノード８７の電気的分離を確保する。
【０１９８】
エネルギ貯蔵３０が最終形態でアセンブルされると、パワーシステム１６は「ポット」され得る。即ち、パワーシステム１６がコンテナ４７内に挿入されると、コンテナ４７は、カプセル材料で充填され得る。とりわけ、カプセル材料は、機械的ショックの減衰に、更には、パワーシステム１６内部の電気的及び環境的官省からの保護に、備えるものである。一つの実施形態では、パワーシステム１６は、カプセル材料として（ミシガン州ミッドランドのＤｏｗ  Ｃｏｒｎｉｎｇから入手可能な）ＳＹＬＧＡＲＤ（登録商標）シリコンエラストマで充填された。カプセル材料は、例えば、回路コンポーネントから過剰な熱を消散させる熱導体の備えともなり得る。
【０１９９】
このようにパワーシステム１６の形態を記載したが、種々の実施形態が実現され得ることが認識されるべきである。例えば、パワーシステム１６は、貯蔵セル４２若しくはパワーシステム１６に連結する（図示しない）バッテリのうちの少なくとも一つでの充電をモニタする充電状態モニタを設ける回路を含み得る。パワーシステム１６は、例えば、冗長構成で設けられた複数のバッテリパックのうちの一つ若しくはそれ以上から電力を引き出すコントロール回路を含み得る。パワーシステム１６は、モータドライブを提供し得る。（パワーシステム１６をコントロールするコントロール回路に適宜アウトプットを提供し得る）圧力、温度及び振動などの、種々のセンサなどを含み得る。
【０２００】
概略、本明細書に記載のパワーシステム１６は、厳しい環境に直面するダウンホール内で動作するように適応されている。例えば、全体としてのエネルギ貯蔵３０及びパワーシステム１６は、或る実施形態では、大気の温度から約１７５℃までの範囲で動作するように適応される。
【０２０１】
パワーシステム１６で用いられ得る既製のコンポーネント及び技術は、（１）ベアダイシリコン及びシリコン・オン・インシュレータ能動デバイス、（２）シリコンカーバイド有効電力デバイス、（３）高温定格且つ低温係数のセラミック受動素子（ＣＯＧ若しくはＮＰＯ誘電体）、及び（４）高温磁気受動素子を含む。ＡＩＮ（窒化アルミニウム）セラミックは、卓越した熱安定性及び熱伝導性により回路基板材料として用いられ得る。回路相互接続は、酸化抵抗金（Ａｕ）配線で形成され得る。ボンディングストラテジは、フリップフロップ、又は、例えば、ＡｕＧｅ高温半田を用いるベアダイ能動コンポーネントのためのＡｕ若しくはＡｌワイヤボンディングを、採用し得る。或る実施形態では、特に、熱拡張並びにショック及び振動の存在への更なる機械的適合性により、ワイヤボンディングは、フリップフロップボンディングよりも有利と想定される。
【０２０２】
周波数補償のために用いられる受動回路コンポーネントは値が変動し得ることから非常に広汎な温度の振れがあるにも拘わらず、例えば、フィードバック調整回路の安定性を保証するのに、高温回路技術が用いられ得る。負の温度係数抵抗を従来の抵抗と連結することにより、能動デバイスを厳密に適合することにより、及び、絶対的センシング及びコントロールでは無くラシオメトリック（相対）を信頼することにより、低温度若しくは本質的にゼロ温度係数回路デザインが達成され得る。例として、バンドギャップ導出電圧基準は、フィードバック調整回路内のセットポイント上の非常に広汎な温度変動の効果をキャンセルするのに用いられ得る。温度係数戦略コンポーネント選択はこれらの問題も緩和する。例えば、ＣＧＯ若しくはＮＰＯ誘電体セラミックキャパシタは、この範囲に亘るオンフォーカスファイルに対して比較的平坦な反応を示す。能動デバイス性能変動は、密閉且つベアダイの形式で広汎に利用可能なシリコン・オン・インシュレータ（ＳＯＩ）及びシリコンカーバイド（ＳｉＣ）技術の利用により、大きく緩和され得る。
【０２０３】
周知である他の高温部材、コンポーネント及びアークティクチャも、特定の（高い）温度での動作可能性に備えるように採用され得る。
【０２０４】
シリコン・オン・インシュレータ（ＳＯＩ）、シリコンカーバイド（ＳｉＣ）、ベアダイコンポーネント、セラミックＰＣＢ、低温係数受動素子、及び高温のＨｉ−Ｒｅｌ半田は、電子システムを完成するのに全て調達されるものである。上記コンポーネントの各々に対する商業サプライヤの非包括的リストは、以下の表１に含まれる。
【０２０５】
例示の高温コンポーネント製造者
【表１】
2019071449.tif 000003
【０２０６】
本明細書で用いるように、パワーシステム１６に関する「コントロール」の用語の使用は、パワーシステム１６の性能（機能）を制御することに関する。あいかしながら、或る実施形態では、「コントロール」は、パワーサプライの性能（機能）のモニタリングを提供することと見なされ得る。例えば、（例えば、有用な充電が使い果たされたことを充電状態が示すときにパワーサプライを絶つなど、）パワーサプライの利用の形態を別途コントロールするのに有用であり得る。従って、「コントロール」、「コントローリング」などの用語は、広範に、且つ、意図するような若しくは別途意図するような更なる解釈をカバーするように、理解されるべきである。
【０２０７】
概略、（ラッパ７４、ウオッシャ７５、カプセル材料などの）所定のメジャー及びコンポーネントを利用すると、所定の予防的利益を得ることができ、且つ、厳しい環境に直面するダウンホール内でのパワーシステム１６の性能を保証できる。従って、これらのメジャー及びコンポーネントの一部は更なる利益を提供するものであり、これらのメジャー及びコンポーネントの組み合わせによるダウンホールでの動作に、パワーシステム１６を備えさせることは、まず予防的利益を実現するものであり、更に、少なくともある状況では、パワーシステム１６の「堅強化」と称されるものとなり得る。
【０２０８】
本明細書に記載のパワーシステム１６の利点の一部は、例えば、高定格バッテリが用いられるべきところで、低い若しくは適度な定格のバッテリを利用することでも安全レベルの増大を得られるということを含む。エネルギ貯蔵３０は、相当量の鉛若しくはリチウムを含むものでは無い。パワーシステム１６は、高電流引き込みの間に通常見られる一時的電圧ディップを制限することによる、利用可能なバッテリ寿命の拡張を含む。更に、パワーサプライは、固有のパワーコンバージョンを伴う可撓性を加えるのであり、バッテリはダウンホールでツールや器具とより簡易にインターフェースを取ることができる。更に、パワーシステム１６は、高温再充電ウルトラキャパシタを用いてバッテリ電流を平滑化し制限しつつ、ブーストパワーを供給できる。これらの効果は、概略、パワーシステム１６内に含まれるバッテリの利用可能な寿命を拡張するものである。
【０２０９】
パワーシステム１６は、さもなければ「クロストーク」や信号ワイヤに亘る望まれない結合などを生じることに繋がる、直流電流（ＤＣ）バス上の電圧変動の発生を、パワーシステム１６内部の電気回路からの大きい、速い電圧偏向を減少させることにより、除去することもできる。
【０２１０】
再充電可能のエネルギ貯蔵３０を含むパワーシステム１の多数の形態を示してきたが、例示の実施形態の種々の性能パラメータを表２に示す。
【０２１１】
例示のダウンホールのエネルギ供給のための性能パラメータ
【表２】
2019071449.tif 000004
【０２１２】
表２では、システムピークパワーは、個々のセルのピークパワー、Ｖｗ２／（４Ｒｄｃ）を用い、システム内のセル数Ｎを乗じて、計算されていることに留意されたい。最大限のアウトプット電圧は、ピーク電圧を名目システム電圧２０Ｖで除して計算されている。システムエネルギは、セル毎のエネルギ、１／２ＣＶｗ２／３６００を用い、システム内のセル数Ｎを乗じて計算されている。
【０２１３】
例示のシステムの実施形態からの結果である重要特性は、約２５０℃までの動作温度を含むが、これ以上の生存温度、無毒性コンポーネントの実質的利用、カスタマイズ可能電流調整及び安全電流限度、カスタマイズ可能出力電圧設定、冗長電子回路、自動バッテリデパッシベーション、フェールセーフを保証するバイパスオペレーション、密閉構造なども伴う。
【０２１４】
従って、高パワー及びパルス化パワーが必要であるものを含むダウンホールＭＷＤ及びＬＷＤなどの利用例で、システムを広く展開可能である。とりわけ、オイル及びガス若しくは地熱探査（「ダウンホール」）では、利点の例は以下のものを含む。パワーシステムを主要バッテリ及び負荷に連結し、主要バッテリ内部の実効的直列抵抗内の電流及び抵抗損失間の二乗関係により「ピークのある」電流と対比してエネルギ損失が少ない「平滑化された」バッテリ電圧を導き、バッテリ内部の損失を減少することによる、ダウンホールにおける主要バッテリの寿命の改善。パワーシステムを比較的低パワーソース（例えば、外部エネルギソース５１）及び負荷に連結し、エネルギ貯蔵から比較的高パワーのバーストを供給させより長い時間フレームに亘ってエネルギ貯蔵を再充電させることによる、システムバーストパワー性能の増加。パワーシステム１６を相対的間欠ソース及び負荷に連結することによる、ジェネレータなどのパワーソースにおける間欠性の緩和。
【０２１５】
よって、本明細書での開示は、電力をダウンホールにブーストし、従来のシステムに対して２０〜４０％若しくはそれ以上ランタイムの時間を拡張できるダウンホールシステムということになる。更に、このことにより、高定格ではなく低定格若しくは適度の定格のバッテリの利用が可能となり、更に、ダウンホールでの機能不全の可能性を最小限にするフェールセーフ特性及び冗長特性の設置により信頼性が拡張され、結果として地上操作が簡潔なものとなる。
【０２１６】
本明細書の開示は例示に過ぎず、本発明を限定するものでは無い、ということが認識されるべきである。更に、更なるコンポーネント、構成、配置などは、本発明の範囲内にあることを維持しつつ実現され得ることを、当業者であれば認識するところである。例えば、ユーザは、エネルギ貯蔵３０を引き出し上側に維持して展開し、同時にワイヤライン８などのケーブルを介してロギング器具１０に電力を供給することを望むことができる。概略、ダウンホールの環境での、若しくは別途の、パワーシステム１６の設計及び／又は利用は、システムデザイナ、製造者、オペレータ、及び／又は、ユーザの要求、及び特定の状況に存在する要望によってのみ、限定される。
【０２１７】
更に、種々の他のコンポーネントを含むことができ、本明細書に開示の形態に備えることを求めることができる。例えば、更なるパワーサプライ（例えば、ジェネレータ、ワイヤライン、遠隔供給及び化学バッテリのうちの少なくとも一つ）、冷却コンポーネント、加熱コンポーネント、圧力保持コンポーネント、絶縁体、アクチュエータ、センサ、電極、トランスミッタ、レシーバ、トランシーバ、アンテナ、コントローラ、電気ユニット若しくは電子機械ユニットが、本明細書で説明した種々の形態をサポートするのに、若しくは本開示以外の他の機能をサポートするのに、含まれてもよい。
【０２１８】
概略、パワーシステム１６は、一つ若しくは複数のタイプのパワーコンバータを含み得る。例示のタイプのパワーコンバータは、「バック（ｂｕｃｋ）」、「ブースト」、「バック−ブースト」、「フライバック」、「フォワード」、「スイッチドキャパシタ」、及び他の分離したバージョンの非分離コンバータ（例えば、Ｃｕｋ、バック−ブーストなど）、更にはそのようなコンバータのカスケード（例えば、バック＋ブースト）を含むが、これらに限定されない。コンバータは、直流−交流（インバータ）でも、ＡＣ−ＤＣ（整流器）でも、ＡＣ−ＡＣでもよい。例示のタイプ及び／又はスイッチドキャパシタ回路は、マークス（Ｍａｒｘ）タイプ、ラダーネットワーク、直列−並列、チャージポンプなどを含むが、これらに限定されない。概略、コンバータは、スイッチドモードでも線形調整タイプのコンバータでもよい。スイッチドモードコンバータは、トランジスタ、ダイオード、シリコン制御整流器、若しくは、利害関係者により適切と考えられるどの他のタイプのスイッチも、含み得る。
【０２１９】
本発明若しくはその実施形態の要素を示す際、冠詞「ａ」「ａｎ」及び「ｔｈｅ」は、一つ若しくはそれ以上の要素があると意味することを意図する。同様に、形容詞「ａｎｏｔｈｅｒ」は、要素を示すのに用いられるとき、一つ若しくはそれ以上の要素を意味することを意図する。「ｉｎｃｌｕｄｉｎｇ」や「ｈａｖｉｎｇ」の用語は、リスト化された要素以外の更なる要素が存在し得るというような、包含性を意図する。
【０２２０】
適宜、本明細書では、技術内容は「回路」、「モジュール」、「コンポーネント」として、及び、他の類似の（概略相互交換可能な）用語により示され得る。提示の技術の形式は本明細書で説明した実施形態に限定されない、と認識されるべきである。即ち、回路などの多数の形態は、機械読み取り可能媒体内に格納される機械実行可能命令として（即ち、ソフトウエアとして）実装可能であり、逆も可能であることが認識されるべきである。従って、適宜、回路は、適切なプロセッサなどに含まれ得るし、若しくは置き換えられ得る（逆もあり得る。）。
【０２２１】
本明細書で使用する際、「自動的」及び類似の用語は、概略、少なくとも部分的に、無人で若しくは相互作用無しで進み、規定された若しくは規定されない期間の進行に基づいて継続し得るプロセス若しくは技術の機能として理解されるべきである。例えば、コントロール回路若しくはソフトウエアは、インプットを受信し、自動的にコントロール調整を為すことができる。調整及び他のプロセス、コントロール若しくは技術は、「リアルタイム」に基づいて若しくは「実質的なリアルタイム」に基づいて、実行され得る。しかしながら、ユーザ、デザイナ、製造者若しくは他の同様な利害関係者の要求に適合するのに十分である期間内の特定のプロセス、コントロール若しくは技術として、「リアルタイム」に係る用語は理解されるべきであり、瞬間的な応答やパフォーマンスに制限されることを意図するものでは無い。
【０２２２】
本明細書では、コンポーネント（例えば、電極部材、電解質など）、条件（温度、種々のレベルでの種々の不純物からの自由度など）、及び、機能特性（例えば、初期キャパシティと比較した循環後キャパシティなど）に種々の変更事項を記載したが、これらに限定されるものではない。これらの変更事項のいずかのどの組み合わせも本発明の実施形態を規定する、ということが理解されるべきである。例えば、特定の電解質との、特定の電極部材の組み合わせ、特定の温度範囲及び特定量以下の不純度、特定の値の循環後キャパシティ及びリーク電流での動作、これらの変数は可能性として含まれるが特定の組み合わせは明白には示され得ないところ、本発明の実施形態を構成する。物、コンポーネント、条件及び／又は方法の、他の組み合わせは、本明細書に記載の変数から特に選択されて他の実施形態を規定するが、そのことは当業者には明白である。
【０２２３】
種々のコンポーネント若しくは技術は、所定の必要な若しくは有用な機能若しくは特性を提供し得ることが認識されるところである。従って、添付の特許請求の範囲及びその変形例のサポートにあたり必要とされ得るこれらの機能及び特性は、本明細書の開示の一部及び開示の発明の一部として本来的に含まれるものと認められる。
【０２２４】
例示の実施形態を参照して本発明を記載したが、当然ながら本発明の範囲から乖離すること無く、種々の変更が可能であり、均等物がそれらの要素に置換し得る。更に、本発明の本質的範囲から乖離すること無く、多数の修正が特定の器具、条件若しくは部材を本発明の開示内容に正しく順応させる。従って、本発明は、本発明を実施するために熟考されたベストモードとして開示された特定の実施形態に限定されるものではなく、本明細書に添付の特許請求の範囲により解釈されるべきであることを、意図するものである。
【符号の説明】
【０２２５】
１・・・ウエルボア、
２・・・陸地、
３・・・層、
４・・・掘削流体、
５・・・ハイドロカーボン、
７・・・トップサイド装備、
８・・・ワイヤライン、
９・・・サービストラック、
１０・・・ロギング器具、
１１・・・ドリルストリング、
１２・・・ドリルパイプ、
１３・・・ダウンホール電子機器、
１４・・・ドリルビット、
１５・・・サーベイコンポーネント、
１６・・・パワーシステム、
１９・・・ウエルヘッド、
２１・・・ケーシング。
【図１】
2019071449.tif 000005
【図２】
2019071449.tif 000006
【図３】
2019071449.tif 000007
【図４】
2019071449.tif 000008
【図５】
2019071449.tif 000009
【図６】
2019071449.tif 000010
【図７】
2019071449.tif 000011
【図８】
2019071449.tif 000012
【図９】
2019071449.tif 000013
【図１０】
2019071449.tif 000014
【図１１Ａ】
2019071449.tif 000015
【図１１Ｂ】
2019071449.tif 000016
【図１２】
2019071449.tif 000017
【図１３】
2019071449.tif 000018
【図１４】
2019071449.tif 000019
【図１５】
2019071449.tif 000020
【図１６】
2019071449.tif 000021
【図１７】
2019071449.tif 000022
【図１８Ａ】
2019071449.tif 000023
【図１８Ｂ】
2019071449.tif 000024
【図１８Ｃ】
2019071449.tif 000025
【図１９】
2019071449.tif 000026
【図２０】
2019071449.tif 000027
【図２１】
2019071449.tif 000028
【図２２】
2019071449.tif 000029
【図２３】
2019071449.tif 000030
【図２４Ａ】
2019071449.tif 000031
【図２４Ｂ】
2019071449.tif 000032
【手続補正書】
【提出日】平成31年1月18日(2019.1.18)
【手続補正１】
【補正対象書類名】特許請求の範囲
【補正対象項目名】全文
【補正方法】変更
【補正の内容】
【特許請求の範囲】
【請求項１】
高温環境で電力を供給するように調整されたパワーシステムであって、
約−４０℃と約２１０℃の間の温度範囲で動作し、再充電可能エネルギ貯蔵から電力を供給することと、再充電可能エネルギ貯蔵に充電することのうちの少なくとも一つのための回路に連結する、再充電可能エネルギ貯蔵を含み、
前記再充電可能エネルギ貯蔵は、約０．１ジュールと約１００キロジュールの間のエネルギを貯蔵し、少なくとも充電−放電の２周期の間に約１ワットと約１００キロワットの間のピーク電力を供給するように構成されており、
前記再充電可能エネルギ貯蔵は、電気化学二重層キャパシタを含むウルトラキャパシタを含み、
前記ウルトラキャパシタは、電解質で湿潤した二つの電極を含み、各々の電極は、電流コレクタに付属し、接触し、若しくは該電流コレクタを覆い、更に各々の電極は、前記電解質に浸透するセパレータにより相互に分離され、
前記電極、電解質及び電流コレクタは、１０００ｐｐｍより小さい不純物量を含有し、該不純物はハロゲン化合物イオンと金属種とのうちの少なくとも一方を含み、
前記ウルトラキャパシタは、動作温度の範囲に亘って、定格電圧までの電圧にて、リットルの体積毎に１アンペアより小さいリーク電流を示す、
パワーシステム。
【請求項２】
前記不純物が前記電解質の合成で用いられる溶媒及び前駆体から導出される、請求項１に記載のパワーシステム。
【請求項３】
前記不純物の濃度は、原子吸光分析装置（ＡＡＳ）と誘導結合プラズマ質量分析法（ＩＣＰＭＳ）との、一方によって決定される、請求項１に記載のパワーシステム。
【請求項４】
前記定格電圧は、動作温度に従って調整される、請求項１に記載のパワーシステム。
【請求項５】
前記リーク電流は、前記定格電圧における、及び、前記動作温度の範囲における、少なくとも７５時間の動作の後に、評価される、請求項１に記載のパワーシステム。
【請求項６】
前記再充電可能エネルギ貯蔵は、ダウンホールツールで用いるのに適切な形状因子を含む、請求項１に記載のパワーシステム。
【請求項７】
前記形状因子は、円筒、環状若しくはリング形状、平坦、角柱、ボックス状のうちの少なくとも一つであり、且つ、特定形に合致する形状を有する、形状を含む、
請求項６に記載のパワーシステム。
【請求項８】
前記回路は、遠隔電源から再充電信号を受信するように、構成されている、請求項１に記載のパワーシステム。
【請求項９】
前記遠隔電源は、ワイヤライン、再充電可能バッテリ、非再充電可能バッテリ、及びダウンホールジェネレータのうちの少なくとも一つを、並びにそれらの組み合わせを、含む、請求項８に記載のパワーシステム。
【請求項１０】
前記電解質は、触媒プロセスを介して純化される、請求項１に記載のパワーシステム。
【請求項１１】
高温環境で電力を供給するように調整されたパワーシステムであって、
約−４０℃と約２１０℃の間の温度範囲で動作し、再充電可能エネルギ貯蔵から電力を供給することと、再充電可能エネルギ貯蔵に充電することのうちの少なくとも一つのための回路に連結する、再充電可能エネルギ貯蔵を含み、
前記再充電可能エネルギ貯蔵は、約０．１ジュールと約１００キロジュールの間のエネルギを貯蔵し、少なくとも充電−放電の２周期の間に約１ワットと約１００キロワットの間のピーク電力を供給するように構成されており、
前記再充電可能エネルギ貯蔵は、電気化学二重層キャパシタを含むウルトラキャパシタを含み、
前記ウルトラキャパシタは、電解質で湿潤した二つの電極を含み、各々の電極は、電流コレクタに付属し、接触し、若しくは該電流コレクタを覆い、更に各々の電極は、前記電解質に浸透するセパレータにより相互に分離され、
前記電極、電解質及び電流コレクタは、１０００ｐｐｍより小さい不純物量を含有し、
前記ウルトラキャパシタは、動作温度の範囲に亘って、定格電圧までの電圧にて、リットルの体積毎に１アンペアより小さいリーク電流を示す、
パワーシステム。
【請求項１２】
前記電解質は、
１−（３−シアノプロピル）−３−メチルイミダゾリウム、１，２−ジメチル−３−プロピルイミダゾリウム、１，３−ビス（３−シアノプロピル）イミダゾリウム、１，３−ジエキトシイミダゾリウム、１−ブチル−１−メチルパイパイジニウム、１−ブチル−２，３−ジメチルイミダゾリウム、１−ブチル−３−メチルピロルイジニウム、１−ブチル−４−メチルピリジニウム、１−ブチルピリジニウム、１−デシル−３−メチルイミダゾリウム、１−エチル−３−メチルイミダゾリウム、３−メチル−１−プロピルピリジニウム、及び、それらの組み合わせのうちの、少なくとも一つを含有する、カチオンを含む、
請求項１１に記載のパワーシステム。
【請求項１３】
前記電解質は、
ビス（トリフルオロメタンスルホン酸）イミド、トリス（トリフルオロメタンスルホン酸）メチド、ジジアンアミド、テトラフルオロホウ酸塩、六フッ化リン酸、トリフルオロメタンスルホン酸、ビス（ペンタフルオロエタンスルホン酸）イミド、チオシアン酸塩、トリフロロ（トリフロロメチル）ホウ酸塩、及び、それらの組み合わせのうちの、少なくとも一つを含有する、アニオンを含む、
請求項１１に記載のパワーシステム。
【請求項１４】
前記電解質は、
アセトニトリル、アミド、ベンゾニトリル、ブチロラクトン、環状エーテル、炭酸ジブチル、炭酸ジエチル、ジエチルエーテル、ジメトキシエタン、炭酸ジメチル、ジメチルホルムアミド、ジメチルスルホン、ジオキサン、ジオキソラン、ギ酸エチル、炭酸エチレン、炭酸エチルメチル、ラクトン、直鎖エーテル、ギ酸メチル、プロピオ酸メチル、メチルテトラヒドロフラン、ニトリル、ニトロベンゼン、ニトロメタン、ｎ−メチルピロリドン、炭酸プロピレン、スルホラン、スルホン、テトラヒドロフラン、テトラメチレンスルホン、チオフェン、エチレングリコール、ジエチルグリコール、トリエチルグリコール、ポリエチレングリコール、炭酸エステル、γ−ブチロラクトン、ニトリル、トリシアンヘキサン、及び、それらの組み合わせのうちの、少なくとも一つを含有する、溶液を含む、
請求項１１に記載のパワーシステム。
【請求項１５】
前記電解質は、触媒プロセスを介して純化される、請求項１１に記載のパワーシステム。
【外国語明細書】
2019071449.tif 000033
2019071449.tif 000034
2019071449.tif 000035
2019071449.tif 000036
2019071449.tif 000037
2019071449.tif 000038
2019071449.tif 000039
2019071449.tif 000040
2019071449.tif 000041
2019071449.tif 000042
2019071449.tif 000043
2019071449.tif 000044
2019071449.tif 000045
2019071449.tif 000046
2019071449.tif 000047
2019071449.tif 000048
2019071449.tif 000049
2019071449.tif 000050
2019071449.tif 000051
2019071449.tif 000052
2019071449.tif 000053
2019071449.tif 000054
2019071449.tif 000055
2019071449.tif 000056
2019071449.tif 000057
2019071449.tif 000058
2019071449.tif 000059
2019071449.tif 000060
2019071449.tif 000061
2019071449.tif 000062
2019071449.tif 000063
2019071449.tif 000064
2019071449.tif 000065
2019071449.tif 000066
2019071449.tif 000067
2019071449.tif 000068
2019071449.tif 000069
2019071449.tif 000070
2019071449.tif 000071
2019071449.tif 000072
2019071449.tif 000073
2019071449.tif 000074
2019071449.tif 000075
2019071449.tif 000076
2019071449.tif 000077
2019071449.tif 000078
2019071449.tif 000079
2019071449.tif 000080
2019071449.tif 000081
2019071449.tif 000082
2019071449.tif 000083
2019071449.tif 000084
2019071449.tif 000085
2019071449.tif 000086
2019071449.tif 000087
2019071449.tif 000088
2019071449.tif 000089
2019071449.tif 000090
2019071449.tif 000091
2019071449.tif 000092
2019071449.tif 000093
2019071449.tif 000094
2019071449.tif 000095
2019071449.tif 000096
2019071449.tif 000097
2019071449.tif 000098
2019071449.tif 000099
2019071449.tif 000100
2019071449.tif 000101
2019071449.tif 000102
2019071449.tif 000103
2019071449.tif 000104
2019071449.tif 000105
2019071449.tif 000106
2019071449.tif 000107
2019071449.tif 000108
2019071449.tif 000109
2019071449.tif 000110
2019071449.tif 000111
2019071449.tif 000112
2019071449.tif 000113
2019071449.tif 000114
2019071449.tif 000115
2019071449.tif 000116
2019071449.tif 000117
2019071449.tif 000118
2019071449.tif 000119
2019071449.tif 000120
2019071449.tif 000121
2019071449.tif 000122
2019071449.tif 000123
2019071449.tif 000124
2019071449.tif 000125
2019071449.tif 000126
2019071449.tif 000127
2019071449.tif 000128
2019071449.tif 000129
2019071449.tif 000130
2019071449.tif 000131
2019071449.tif 000132
2019071449.tif 000133
2019071449.tif 000134
2019071449.tif 000135
2019071449.tif 000136
2019071449.tif 000137